(57)【要約】【課題】この発明は、高解像度の主映像情報に、高解像度と標準解像度との２種類の副映像情報を選択的に重畳して映像表示させることを可能とした情報再生装置及び情報再生方法を提供することを目的としている。【解決手段】要求された映像出力形態に応じて、高解像度の主映像情報に高解像度の第１の副映像情報を重畳して出力する第１の映像情報出力手段２０１〜２０３，２１０〜２１２と、要求された映像出力形態に応じて、高解像度の主映像情報を低解像度に変換した情報に低解像度の第２の副映像情報を重畳して出力する第２の映像情報出力手段２０４〜２１２とを備える。【選択図】    図１０９
2006041937.tif 000002
【特許請求の範囲】
【請求項１】
第１の解像度を有する主映像情報と、前記第１の解像度を有する第１の副映像情報と、前記第１の解像度よりも低い第２の解像度を有する第２の副映像情報と、前記第１及び第２の副映像情報の解像度を示す情報を含む属性情報とが記録された情報記録媒体を再生する情報再生装置であって、
要求された映像出力形態に応じて、前記主映像情報に前記第１の副映像情報を重畳して出力する第１の映像情報出力手段と、
要求された映像出力形態に応じて、前記主映像情報を前記第２の解像度に変換した情報に前記第２の副映像情報を重畳して出力する第２の映像情報出力手段とを具備することを特徴とする情報再生装置。
【請求項２】
前記第１の解像度に対応する第１のカラーパレットと、前記第２の解像度に対応する第２のカラーパレットとが記録された情報記録媒体を再生する情報再生装置であって、
前記第１のカラーパレットと、前記第２のカラーパレットとを情報記録媒体より読み出す読出手段と、
前記読出手段により読み出された前記第１の解像度に対応する第１のカラーパレットと、前記第２の解像度に対応する第２のカラーパレットとを記憶する記憶手段と、
前記第１の副映像情報が使用される場合、前記記憶手段から前記第１のカラーパレットを読み出し、前記第２の副映像情報が使用される場合、前記記憶手段から前記第２のカラーパレットを読み出すように切り替える切替手段とを具備することを特徴とする請求項１記載の情報再生装置。
【請求項３】
前記第２の映像情報出力手段は、要求された映像出力形態に応じて、ワイドタイプ、レターボックスタイプ及びパンスキャンタイプのいずれかの形態で映像情報を出力可能であることを特徴とする請求項１または２記載の情報再生装置。
【請求項４】
第１の解像度を有する主映像情報と、前記第１の解像度を有する第１の副映像情報と、前記第１の解像度よりも低い第２の解像度を有する第２の副映像情報と、前記第１及び第２の副映像情報の解像度を示す情報を含む属性情報とが記録された情報記録媒体を再生する情報再生方法であって、
要求された映像出力形態に応じて、前記主映像情報に前記第１の副映像情報を重畳して出力する第１の工程と、
要求された映像出力形態に応じて、前記主映像情報を前記第２の解像度に変換した情報に前記第２の副映像情報を重畳して出力する第２の工程とを具備することを特徴とする情報再生方法。
【発明の詳細な説明】
【技術分野】
【０００１】
この発明は、情報再生装置及び情報再生方法に関する。
【背景技術】
【０００２】
周知のように、現在、情報記憶媒体として、集束光を用いてデジタル情報を再生可能なＤＶＤ（digital versatile disk）と呼ばれる光ディスクがある。現行のＤＶＤの規格としては、読み出し専用のＤＶＤ−ＲＯＭ規格、追記型のＤＶＤ−Ｒ規格、書き替え（１０００回程度）型のＤＶＤ−ＲＷ、書き替え（１００００回以上）型のＤＶＤ−ＲＡＭ規格がある。いずれの規格にも、映像情報［ビデオデータ、副映像（サブピクチャ）データ、音声データを総称したビデオオブジェクト］自体の光ディスク（情報記憶媒体）上に記録されたデータ構造と、その映像情報を管理する管理データのデータ構造を規定するフォーマット規格がある。
【０００３】
再生専用の現行ＤＶＤビデオ規格は、多数種類の言語に同時に対応し、マルチアングル・マルチストーリーなどのマルチシーン表現が可能なばかりでなく、メニュー画面が充実しておりユーザが見たいシーンへの直接アクセスが容易である等、ユーザに使い易い映像コンテンツを提供できるフォーマットになっている（例えば、特許文献１及び特許文献２参照）。
【０００４】
上記のように再生専用の現行ＤＶＤビデオ規格は、ユーザに使い易い映像コンテンツを提供できるフォーマットになってはいるが、ユーザがより一層使い易くし、かつユーザに対するコンテンツ表現力をより一層豊かにするためには規格に対する改良が要求されている。
【０００５】
また、ユーザが使い易いコンテンツを提供するためには、オーサリング（ＤＶＤビデオディスクに記録するプログラムの作成と編集）が複雑になると言う問題がある。
【０００６】
現行ＤＶＤビデオ規格でのユーザに対するコンテンツ表現力が不足している部分、およびユーザが使い難い箇所またはユーザが使い易いコンテンツを提供するためにオーサリングが複雑になる箇所を具体的に列記する。
【０００７】
〔１〕ユーザが使い難い。またはユーザが使い易いコンテンツを作成するにはオーサリングが複雑であった。
【０００８】
（Ａ）タイトルの再生途中で再生中断を行い、何か別の処理をして、再度タイトルの再生に戻った時の再生開始位置に対する不具合点。
【０００９】
（Ａ１）映像を再生中断し、メニューや映像を切り替え表示した後に戻ると、元の中断位置からの再生が出来ない。
【００１０】
特定映像タイトルの再生途中で再生中断を行いメニュー画面に切り替えた後、ボーナスコンテンツを途中あるいは最後まで再生した後に、前回途中で中断を行った映像タイトルを再生しようとすると従来のＤＶＤビデオ規格で作ったコンテンツでは映像タイトルの先頭位置からしか再生できない場合が多い。ボーナスコンテンツの再生を開始した段階で、その前の特定映像タイトルのリジューム情報（再生中断位置情報）がこのボーナスコンテンツの位置情報に書き替えられるためで、ボーナスコンテンツを途中あるいは最後まで再生した後に先の映像タイトルの中断位置から再生を開始できるようなコンテンツにするためには複雑なオーサリング処理が必要となる。
【００１１】
（Ａ２）ゲームなどで再生中断後にゲームを再開しようとした時に切りの良い位置からの再生開始が出来ない。
【００１２】
特定タイトルとして上記の映像の代わりに“ゲーム”（例えばロールプレーイングゲーム）を行っていた場合、メニュー画面に戻った後、ゲームを再開する場合に中断位置では無く、ゲームの章の区切り目から開始させたいと言うコンテンツプロバイダ側からの要求があるが、現行のＤＶＤビデオ規格ではその対応が出来ない。
【００１３】
（Ｂ）表示用言語設定に関する使い難い部分がある。
【００１４】
（Ｂ１）コンテンツ内で指定できるコマンドでメニュー記述言語コードが変更できず、オーサリングが複雑である。
【００１５】
現行のＤＶＤビデオではメニュー記述言語コード（Ｍ＿ＬＣＤ）をナビゲーションデータのＳＰＲＭ（０）（０番目のシステムパラメータ：１６ビット）内に設定し、その値を図４８の情報再生装置のメモリ部１２２内に格納しておく。現行のＤＶＤビデオ規格ではコンテンツ内で設定出来るコマンドリスト内にＳＰＲＭ（０）の値を変更するコマンドは存在せず、特殊な条件下のユーザ指定のみによってのみＳＰＲＭ（０）の値の変更が可能となる。具体的には情報再生装置内に装備されるユーザ機能の内、Ｍｅｎｕ＿Ｌａｎｇｕａｇｅ＿Ｓｅｌｅｃｔ（）と呼ばれるユーザ操作機能を用いてＳＰＲＭ（０）の値を変更できるが、このＭｅｎｕ＿Ｌａｎｇｕａｇｅ＿Ｓｅｌｅｃｔ（）と呼ばれるユーザ操作は情報再生装置が動作停止している間しか設定できないと言う制約がある。このユーザ操作は、専用の画面を表示してリモコンを用いて設定する。
【００１６】
このようにＳＰＲＭ（０）の値をコンテンツ内で設定出来るコマンドで変更できないため、ＳＰＲＭ（０）の値がどのように設定されても対応可能なようにコンテンツ（特にメニュー情報に関するＶＯＢデータ）内に複数のメニュー記述言語コードに対してそれぞれメニュー記述言語コードを選択する画面を作る必要が有り、コンテンツ作成時のオーサリング作業が非常に大変だった。
【００１７】
（Ｂ２）ユーザが設定したメニュー記述言語コード情報が消される危険性が発生する。
【００１８】
例えば仮に（Ｂ１）の問題点を解消するためにコンテンツ内でＳＰＲＭ（０）の値を変更できるコマンドを新規に追加すると、折角ユーザが特定のメニュー記述言語コード（例えば、ＳＰＲＭ（０）に日本語）を設定してもコンテンツを再生することで自動的にＳＰＲＭ（０）の値が変更されてしまう危険性がある。コマンドにより自動的にメニュー記述言語コードが変更されるとユーザが不満を覚えるばかりでなく、ユーザがメニュー記述言語コードを再設定する必要が発生してユーザの負担が増すと言う問題点が発生する。
【００１９】
〔２〕ユーザに対するコンテンツ表現力が不足している箇所がある。
【００２０】
（Ｃ）静止画に対するシームレス再生に関する不具合点。
【００２１】
（Ｃ１）現状のＤＶＤビデオコンテンツでは動画と静止画との間のシームレス接続が出来ない。
【００２２】
現行のＤＶＤビデオでは動画（Ｍｏｖｉｅ  Ｃｏｎｔｅｎｔ）のシームレス再生を保証しており、異なるＶＯＢ間（または異なるタイトル）を跨いで（途中で動画の画面が途切れること無く）シームレスに接続再生が可能となっている。それに反して、例えばスライドショー（表示される静止画像が自動的に切り替わる静止画像に対する一つの表示方法）で表示した静止画から動画に切り替わる時にシームレス再生が保証されず、情報再生装置によっては途中で映像や音声が静止する場合がある。現行のＤＶＤビデオコンテンツでは静止画から動画に切り替わる時点でシームレス接続が保証されない理由は
ｉ）シームレス再生を保証するＥ−ＳＴＤ（Ｅｘｔｅｎｄｅｄ  Ｓｙｓｔｅｍ  Ｔａｒｇｅｔ  Ｄｅｃｏｄｅｒ）モデルにおいて、動画オブジェクト内ではアクセスユニットが定義され、このアクセスユニットの境界位置で図４８に示す分離部１０３、ビデオデコーダ部１１１、副映像デコーダ部１１２、オーディオデコーダ部１１４に設定されるＳＴＣ（Ｓｙｓｔｅｍ  Ｔｉｍｅ  Ｃｌｏｃｋ：基準となるクロック値）の値が切り替わる。これに対して現行ＤＶＤでは静止画に対してはアクセスユニットが定義できない。
【００２３】
つまり、動画はフィールド単位で常に連続して画像（ピクチャ）を出力し続けているのに対し、例えばスライドショーで表示される静止画は断続的にのみ画像を出力する。静止画オブジェクト内のデータ構造としてはＭＰＥＧ２（Ｍｏｖｉｎｇ  Ｐｉｃｔｕｒｅ  Ｅｘｐｅｒｔｓ  Ｇｒｏｕｐ  ２）の規格に従い、１枚の静止画を構成するＩピクチャ（Ｉｎｔｒａ  ｐｉｃｔｕｒｅ）の直後にシーケンスエンドコード（ｓｅｑｕｅｎｃｅ＿ｅｎｄ＿ｃｏｄｅ）が配置され、ビデオデコーダ部１１１ではこのシーケンスエンドコードを検知すると次のＩピクチャが来るまでデコードを停止してしまう。従って、従来のＤＶＤビデオにおいては、静止画の断続的に出力するタイミングの間の期間では動画のようなアクセスユニットを設定出来なかった。
【００２４】
ｉｉ）従来のＤＶＤビデオでは静止画間の切り替えタイミングとして共通パリティー間の切り替えを許容していた。すなわち前の静止画がトップフィールド（またはボトムフィールド）で終了した後、次の静止画がトップフィールド（またはボトムフィールド）から開始されることが許容される。従って、フレームの途中で静止像から動画に切り替わるとシームレス接続が行えず、切り替わり目で画面が乱れる危険性があった。
【００２５】
（Ｃ２）静止画を組み合わせたマルチアングル再生や動画と静止画との間のマルチアングル再生が出来ない。
【００２６】
現行のＤＶＤビデオでは静止画（Ｓｔｉｌｌ  Ｐｉｃｔｕｒｅ  Ｃｏｎｔｅｎｔ）のスライドショーを組み合わせたマルチアングル再生や静止画のスライドショーと動画を組み合わせたマルチアングル再生が難しい。無理にマルチアングル再生対応コンテンツを作った場合には、静止画に対するシームレス再生が保証されてないため、マルチアングルになっている静止画が連続的に再生できなかったり（静止画像が連続的に切り替わらずに途中で静止画が止まったり）、マルチシーンの画面とワンシーケンシャルシーンの画面との間の切り替わり目でスムーズに切り替わらずに途中で画面が止まったりする。動画ではインターリーブドブロック（Ｉｎｔｅｒｌｅａｖｅｄ  Ｂｌｏｃｋ）内で各アングル毎に分散配置を行うインターリーブドユニット（ＩＬＶＵ：Ｉｎｔｅｒｌｅａｖｅｄ  Ｕｎｉｔ）が定義されているに対して、現行ＤＶＤビデオにおいて静止画に対するＩＬＶＵの定義が明確になって無いためである。また、静止画では画面切り替わりまでの期間が長く（同一の静止画を長時間再生し続けるので）、アングル切り替え直後に対応した静止画をすぐに表示できる仕組みが現状では無い。更に（Ｃ１）でも説明したように静止画に対応したＩピクチャの直後に配置されるシーケンスエンドコードを検出すると、次のＩピクチャが来るまでビデオデコーダ部１１１のデコード処理が一時停止されるので現行のＤＶＤビデオ規格上ではインターリーブドブロックを構成するセル内のビデオデータにはシーケンスエンドコードの配置を禁止している。
【００２７】
（Ｄ）セル単位のコマンドが含まれたＶＯＢの所ではシームレス再生が保証されない。
【００２８】
現行ＳＤ（Ｓｔａｎｄａｒｄ  Ｄｅｆｉｎｉｔｉｏｎ：標準解像度）のＤＶＤビデオではＰＧＣ（Ｐｒｏｇｒａｍ  Ｃｈａｉｎ）内のセル単位でのコマンド指定が可能になっている。このコマンド情報は図３５と同様にＰＧＣの管理情報が記録された領域であるＰＧＣＩ（Ｐｒｏｇｒａｍ  Ｃｈａｉｎ  Ｉｎｆｏｒｍａｔｉｏｎ）内のセルコマンド５１３領域内に記録される。このセルコマンド５１３が設定されているセルの再生が終了した時点でセルコマンドが実行されるため、次のセルの再生が一時中断され得る。そのため、現行のＳＤのＤＶＤビデオではセルコマンド５１３を含んだＶＯＢの再生時にセル間のシームレス再生が保証されていない。
【００２９】
（Ｅ）ハイライト情報に関する不具合点
（Ｅ１）ハイライト情報と副映像間で表示期間（設定期間）のずれが生じる。
【００３０】
ビデオタイトル映像の再生時にハイライト情報のメニューを表示させ、ユーザがインタラクティブな操作を出来るようにコンテンツを作れる。この場合、再生中のビデオタイトル映像内容に合わせてハイライト情報を切り替えたり、内容を変化させる必要があるのでハイライト情報の表示期間や有効的な実行可能期間の精度が重要となる。従来のＳＤのＤＶＤビデオコンテンツでは画面に表示されるボタンはボタンの画像を提供する副映像ストリームとボタンで指定したコマンドを実行するのに必要なハイライト情報が含まれるビデオストリームの２種類の異なるストリームの組み合わせで構成されている。
【００３１】
ハイライト情報の有効的な実行可能期間は開始と終了の時刻情報（ＰＴＭ：Ｐｒｅｓｅｎｔａｔｉｏｎ  Ｔｉｍｅ）で与えられ、主に字幕などに利用される副映像の表示期間と完全に一致しており、副映像が終了すると、メニュー選択も終了してしまうという問題を抱えている。そのため、コンテンツ製作者が、字幕とメニューを同時に組合せたコンテンツの製作を行おうとすると、副映像の有効（表示）期間内に、ユーザにメニュー選択を実行させなければならないなど、コンテンツ作成上の制約があり、コンテンツ製作者は、イメージ通りのコンテンツが作成できず、自由度が制限され、ユーザへ提供されるコンテンツの制限を余儀なくされた。
【００３２】
（Ｅ２）メニューの選択項目画像が色彩的に多彩で無い。
【００３３】
現状のＳＤのＤＶＤビデオコンテンツでは１６色の配色しか表現できないのでユーザへのアピール度が低く、多彩なカラー表現が出来ない。
【００３４】
（Ｅ３）ハイライト情報の指定領域を矩形以外の形に設定できない。
【００３５】
現状のＳＤのＤＶＤビデオコンテンツではハイライト情報の指定領域として矩形以外の形状は設定できず、例えば三角形や星形などのバラエティーを持ったコンテンツが作れなかった。
【００３６】
（Ｅ４）画面上の互いに離れた複数領域に対して同じボタンを設定できない。
【００３７】
現状のＳＤのＤＶＤビデオコンテンツではまとまった一箇所の領域内にしか同じボタンを設定できなかった。
【００３８】
それに比べてＰＣの画面やインターネットのホームページ画面では画面内の複数領域に対して同じＵＲＬをリンクさせることが容易であり、現状のＳＤのＤＶＤビデオコンテンツはＰＣ画面やインターネットのホームページ画面に対して見劣りしていた。
【００３９】
（Ｆ）メニュー画面切り替え時に背景音声が飛ぶと言う問題がある。
【００４０】
現状のＳＤのＤＶＤビデオコンテンツでは各メニュー毎にメニュー画面表示時の音声情報（バックグランドミュージック）が付随している。従って、メニュー画面を変える毎にそれに付随して音声情報が変化する。
【００４１】
メニューを切り替えても途切れること無く連続して背景音声が再生したいと言うコンテンツプロバイダの要求を現状のＳＤのＤＶＤビデオコンテンツでは満足できない。更に、例えば
イ〕メニュー切り替え時の音の途切れが無く連続して背景音声（バックグランドミュージック）が再生されると共に、メニュー画面により背景音声（バックグランドミュージック）の繰り返し再生される範囲が変わったり（例えば“トップメニュー画面”を表示している時には“曲の１番”だけが繰り返し再生されるのに対して、“特定メニュー画面Ａ”の表示中には“曲の１番から３番まで”を繰り返し再生し、“特定メニュー画面Ｂ”の表示中には“曲の１番の中の更にサビ部分”のみを繰り返し再生する）、あるいは
ロ〕メニュー画面の切り替わりと同時に不連続的に背景音声（バックグランドミュージック）が変わる事無く、切り替わり前のメニュー画像に対応した背景音声（バックグランドミュージック）が一通り終了した直後に連続して切り替わり後のメニュー画像に対応した背景音声（バックグランドミュージック）が開始され、その後は切り替わり後のメニュー画像に対応した背景音声（バックグランドミュージック）が繰り返し再生される
と、言う様にコンテンツを作成したいというコンテンツプロバイダの要求を満足できない。
【００４２】
また、現在では、例えば波長が４０５ｎｍ程度の青色系レーザ光を用いて情報の記録や再生を行なうことにより、ＤＶＤの４〜５倍もの情報記録を可能とした、いわゆるＨＤ（High Definition）−ＤＶＤが開発され、そのためのＨＤ−ＤＶＤビデオ規格も確立されている。
【００４３】
このＨＤ−ＤＶＤビデオ規格においては、主映像情報がＨＤ（高解像度）であるのに対し、副映像情報にＨＤとＳＤ（標準解像度）との２種類が存在する。このため、主映像情報に副映像情報を重畳して映像表示させる際に、主映像と副映像とで解像度の整合をとる必要が生じる。
【００４４】
特許文献３には、主映像、副映像及び音声データ等を含む大容量のマルチメディア情報を、簡易なハードウェア構成でデコード及び再生する構成が開示されている。しかしながら、この特許文献１には、主映像と副映像とで解像度の整合をとることについては、何らの記載もなされていないものである。
【特許文献１】米国特許第５，６３６，２００号明細書
【特許文献２】特許第２，６７７，７７５号明細書
【特許文献３】特開２００１−３２０６７３号公報
【発明の開示】
【発明が解決しようとする課題】
【００４５】
ＨＤ−ＤＶＤビデオ規格において、主映像情報がＨＤ（高解像度）であるのに対し、映像出力形態に応じて、字幕等の品質を維持するように副映像情報にＨＤとＳＤ（標準解像度）との２種類が存在するため、主映像情報に副映像情報を重畳して映像表示させる際に、主映像と副映像とで解像度の整合をとる必要が生じる。
【００４６】
この発明は上記事情を考慮してなされたもので、高解像度の主映像情報に、高解像度と標準解像度との２種類の副映像情報を選択的に重畳して映像表示させることを可能とした情報再生装置及び情報再生方法を提供することを目的とする。
【課題を解決するための手段】
【００４７】
この発明に係る情報再生装置は、第１の解像度を有する主映像情報と、第１の解像度を有する第１の副映像情報と、第１の解像度よりも低い第２の解像度を有する第２の副映像情報と、第１及び第２の副映像情報の解像度を示す情報を含む属性情報とが記録された情報記録媒体を再生する情報再生装置であって、要求された映像出力形態に応じて、主映像情報に第１の副映像情報を重畳して出力する第１の映像情報出力手段と、要求された映像出力形態に応じて、主映像情報を第２の解像度に変換した情報に第２の副映像情報を重畳して出力する第２の映像情報出力手段とを備えるようにしたものである。
【００４８】
さらに、この発明に係る情報性再生装置は、第１の解像度に対応する第１のカラーパレットと、第２の解像度に対応する第２のカラーパレットとが、記録された情報記録媒体を再生する情報再生装置であって、第１のカラーパレットと、第２のカラーパレットとを情報記録媒体より読み出す読出手段と、読み出したカラーパレットを記憶する記憶手段と、第１の副映像情報が使用される場合、記憶手段から第１のカラーパレットを取り出し、第２の副映像情報が使用される場合、記憶手段から第２のカラーパレットを取り出すように切替える切替手段とを備えるようにしたものである。
【００４９】
また、この発明に係る情報再生方法は、第１の解像度を有する主映像情報と、第１の解像度を有する第１の副映像情報と、第１の解像度よりも低い第２の解像度を有する第２の副映像情報と、第１及び第２の副映像情報の解像度を示す情報を含む属性情報とが記録された情報記録媒体を再生する情報再生方法であって、要求された映像出力形態に応じて、主映像情報に第１の副映像情報を重畳して出力する第１の工程と、要求された映像出力形態に応じて、主映像情報を第２の解像度に変換した情報に第２の副映像情報を重畳して出力する第２の工程とを備えるようにしたものである。
【発明の効果】
【００５０】
上記した発明によれば、高解像度の主映像情報に、高解像度と標準解像度との２種類の副映像情報を選択的に重畳して映像表示させることが可能となり、これによって、字幕等に利用される副映像情報を、映像出力形態の解像度に応じた品質で表示させることができる。
【発明を実施するための最良の形態】
【００５１】
以下、図面を参照してこの発明による情報再生装置及び情報再生方法の実施の形態を説明する。
【００５２】
まず初めにこの発明における特徴の全体を概観し、各特徴間の関係を説明する。次に、本明細書で注目する中心的技術内容である“ＨＤメニュー用オーディオオブジェクト（ＡＯＢ）制御”に関するポイントを説明した後、具体的な実施形態の説明を行う。
【００５３】
この発明は下記の（１）〜（３）の適宜な組み合わせで実施される。
【００５４】
（１）メニュー用オーディオオブジェクトＨＤＭＥＮＵ＿ＡＯＢ内にＨＤＭＥＮＵ＿ＡＯＢヘッダ情報、メニュー用オーディオオブジェクトＡＯＢを有し、ＨＤＭＥＮＵ＿ＡＯＢヘッダ情報は、ＨＤＭＥＮＵ＿ＡＯＢの終了アドレスＡＯＢ＿ＥＡ、ＨＤＭＥＮＵ＿ＡＯＢのエントリポイント数ＡＯＢ＿ＥＰ＿Ｎｓ、ＨＤＭＥＮＵ＿ＡＯＢの属性ＡＯＢ＿ＡＴＲ、および第１〜第５までのＨＤＭＥＮＵ＿ＡＯＢのエントリポイント先頭アドレスＡＯＢ＿１ＳＴ＿ＥＰ、ＡＯＢ＿２ＮＤ＿ＥＰ、ＡＯＢ＿３ＲＤ＿ＥＰ、ＡＯＢ＿４ＴＨ＿ＥＰ、ＡＯＢ＿５ＴＨ＿ＥＰで構成される。
【００５５】
（２）ＨＤ用プログラムチェーンＰＧＣカテゴリ情報ＨＤＶＭＧＭ＿ＰＧＣ＿ＣＡＴ内に音声情報選択フラグ（２ビット）を有する。音声情報選択フラグが‘００ｂ’である場合、メニュー用オーディオオブジェクトＨＤＭＥＮＵ＿ＡＯＢの再生は停止し、メニュー用ビデオオブジェクトＨＤＶＭＧＭ＿ＶＯＢ内のオーディオを再生することを示す。音声情報選択フラグが‘０１’である場合、メニュー用ビデオオブジェクトＨＤＶＭＧＭ＿ＶＯＢ内のオーディオは無視され、メニュー用オーディオオブジェクトＨＤＭＥＮＵ＿ＡＯＢの再生を続けることを示す。音声情報選択フラグが‘１１ｂ’である場合、メニュー用オーディオオブジェクトＨＤＭＥＮＵ＿ＡＯＢの再生を開始することを示す。
【００５６】
（３）上記ＨＤ用ＰＧＣカテゴリ情報（ＨＤＶＭＧＭ＿ＰＧＣ＿ＣＡＴ）内には上記メニュー用オーディオオブジェクトＨＤＭＥＮＵ＿ＡＯＢ内に指定されたエントリポイントの開始番号、終了番号も記録されており、上記開始終了番号によってメニュー用オーディオオブジェクトＨＤＭＥＮＵ＿ＡＯＢの繰り返し再生位置を決定している。
【００５７】
本明細書ではビデオデータ、副映像（サブピクチャ）データ、音声データ、グラフィックデータを総称してビデオオブジェクトと呼び、ビデオオブジェクトとビデオオブジェクトの管理データを総称してコンテンツと言う言葉で表現する。また、違いを明確にするために従来のＤＶＤビデオコンテンツをＳＤ（Ｓｔａｎｄａｒｄ  Ｄｅｆｉｎｉｔｉｏｎ）コンテンツ、下記の（Ａ）〜（Ｇ）の特徴を持ったこの発明実施形態対象のコンテンツをＨＤ（Ｈｉｇｈ  Ｄｅｆｉｎｉｔｉｏｎ）コンテンツと言う言葉を使って使い分ける。
【００５８】
《全体の特徴説明》
〔１〕ユーザが使い難い。またはユーザが使い易いコンテンツを作成するにはオーサリングが複雑である問題点を解決する。
【００５９】
（Ａ）タイトル中断時の中断位置情報制御方法
〔ポイント１〕
リジューム情報への保存・廃棄ルールを現行ＤＶＤビデオ規格に対して変更し、図４８に示す情報再生装置のメモリ部１２２内に記録するリジューム情報の書き換え・変更禁止・情報内容の破棄処理に対して細かく制御可能とする。
【００６０】
〔ポイント２〕
情報再生装置のメモリ部１２２内に記録するリジューム情報が書き替えられた場合には、次のリジューム情報に対する制御指示が来るまで保持する。例えば、従来のＤＶＤビデオ規格では後述するＪｕｍｐＴＴやＪｕｍｐＶＴＳ＿ＴＴあるいはＪｕｍｐＶＴＳ＿ＰＴＴコマンドが実行された場合には、上記のリジューム情報内容を消す決まりがあったが、この発明ではそれを変更し、上記のコマンドが実行された後でもリジューム情報の内容を保持し、（Ａ１）に示した問題点の一部を解消する。
【００６１】
〔ポイント３〕
（Ａ１）に示した問題点の対策として、図２４に示すように各ＰＧＣに対してＲＳＭ（リジューム：Ｒｅｓｕｍｅ：再生再開）命令（画面上の選択による命令）や例えばユーザ指定に対応して実行されるＲｅｓｕｍｅ（）ファンクション（再生装置が行うコマンド）による再生再開が許可されるか否かを示すリジューム許可フラグ（Ｒｅｓｕｍｅ  ｐｅｒｍｉｓｓｉｏｎ  Ｆｌａｇ＝ＲＳＭ許可フラグ）を新たに設定する。具体的な内容として、後述するＣａｌｌＳＳコマンドを実行する時に、このＲＳＭ許可フラグが‘０ｂ’に設定されていればリジューム情報の内容を更新し、‘１ｂ’に設定されていれば更新を禁止する。
【００６２】
例えば（Ａ１）で説明した例では、ボーナスコンテンツが含まれるＰＧＣに対してリジューム情報の更新を禁止することにより、情報再生装置のメモリ部１２２内に記録されたリジューム情報はその前に中断された特定映像タイトルに対するリジューム情報が保持されることになる（詳細は後述する）。
【００６３】
〔ポイント４〕
（Ａ２）に示した問題点の対策として、図３５に示すようにプログラムチェーン情報ＰＧＣＩの中に新たにプログラムチェーン・コマンドテーブル（ＰＧＣ＿ＣＭＤＴ）５１を設定し、リジュームシーケンス情報を記録する。このプログラムチェーン・コマンドテーブル（ＰＧＣ＿ＣＭＤＴ）５１内に記載されたリジュームシーケンス情報はメニュー画面から該当するタイトルのＰＧＣに戻った直後に実行されるコマンド列（コマンドの連続的な繋がり順序）を意味している。メニュー画像から中断されたタイトルに対応したＰＧＣに戻り、リジューム情報に基づいて再生を開始する前には必ずこのリジュームシーケンス情報の有無を確認する。
【００６４】
リジュームシーケンス情報が無い場合には、リジューム情報に基づき中断位置からの再生を開始する。
【００６５】
もし、リジュームシーケンス情報がある場合には、リジュームシーケンス情報で指定された場所から再生を開始する。
【００６６】
例えば（Ａ２）に示した問題点の対策として、プログラムチェーン・コマンドテーブル（ＰＧＣ＿ＣＭＤＴ）５１内に記録されたリジュームシーケンス情報内に、“ゲームの区切り目の位置情報”をリジューム情報に書き替えるコマンドを設定しておくことで、メニュー画面から戻った直後にゲームの区切り目から再生を開始させることが出来る（詳細内容は後述する）。
【００６７】
再生を中断した位置を示す情報としてセル番号、セルの先頭位置に配置されたナビパックのアドレス情報、ＰＧＣ再生制御状況、ＶＴＳ（ビデオタイトルセット：Ｖｉｄｅｏ  Ｔｉｔｌｅ  Ｓｅｔ）番号、タイトルドメイン内でのタイトル番号ＴＴＮ（このタイトル番号の値はＳＰＲＭ（４）の値として格納される）、タイトルドメイン内でのＶＴＳ内のタイトル番号ＶＴＳ＿ＴＴＮ（この値はＳＰＲＭ（５）の値として格納される）、タイトルドメイン内でのタイトルのＰＧＣ番号ＴＴ＿ＰＧＣＮ（ＳＰＲＭ（６））、１個のシーケンシャルＰＧＣのタイトルに対するパートオブタイトル番号ＰＴＴＮ（ＳＰＲＭ（７））、選択状態でのハイライトのボタン番号ＨＬ＿ＢＴＮＮ（ＳＰＲＭ（８））がリジューム情報として記録される。上記のようにメニュー画像から中断されたタイトルに対応したＰＧＣに戻って来た場合に限らず、リジューム情報の少なくとも一部が変化する場合など、例えばＳＰＲＭ（８）の情報に関連してハイライト位置情報が変わるなどの状況が変化した場合でも、必ずリジュームシーケンス情報の最後まで処理を実行するように設定している。
【００６８】
図１０６はリジューム処理の一例を示す。
【００６９】
リジューム処理は基本的に次のように行なわれる。
【００７０】
（１）（ＲＳＭ許可フラグが許可状態であるＰＧＣ内で）ＣａｌｌＳＳ命令、Ｍｅｎｕ＿Ｃａｌｌ（）操作のいずれかを実行。ＲＳＭＩが更新され、メニューが再生される。
【００７１】
（２）ＪｕｍｐＴＴ命令の実行（ＲＳＭ許可フラグが禁止状態であるＰＧＣにジャンプ）。ＰＧＣが再生される
（３）（ＲＳＭ許可フラグが禁止状態であるＰＧＣ内で）ＣａｌｌＳＳ命令、Ｍｅｎｕ＿Ｃａｌｌ（）操作のいずれかを実行。ＲＳＭＩは更新されず、メニューが再生される。
【００７２】
（４）ＲＳＭ命令の実行。ＲＳＭＩを使用してＲＳＭ＿ＣＭＤが実行され、中断した箇所、あるいはＲＳＭ＿ＣＭＤｓにより指定された部分からＰＧＣがリジュームされる。
【００７３】
ＰＧＣ再生順番：
０）リジュームコマンドフェーズ（ＲＳＭ情報の更新が許可されているＴＴ＿ＤＯＭ内のＰＧＣのみ）はＰＧＣの再生がリジューム再生として再開される時、リジュームコマンド領域内のナビゲーションコマンドを実行する。ＰＧＣの再生がリジューム再生以外として再開される時、このフェーズは実行されない。
【００７４】
１）プレコマンドフェーズ
プレコマンド領域内でナビゲーションコマンドを実行する。
【００７５】
２）再生初期化フェーズ
シーケンシャル再生、ランダム再生、シャッフル再生の何れかであるＰＧ再生モードを処理する。
【００７６】
ａ）シャッフルモードを初期化する。
【００７７】
ｂ）ＰＧＣ＿ＡＳＴ＿ＣＴＬＴとＰＧＣ＿ＳＰＳＴ＿ＣＴＬＴを用いてオーディオ／サブピクチャを選択する。
【００７８】
３）プログラム再生フェーズ
ＰＧ再生モードに応じてプログラムを再生する。
【００７９】
プログラムの各セルについて、次のステップが実行される。
【００８０】
ａ）（ＥＶＯＢＵスチルを含む）セル再生
ｂ）セルスチル
ｃ）セルコマンド
４）ループカウントフェーズ
ＰＧ再生モードに応じてフェーズ３から再開される。
【００８１】
ＰＧ再生モードはＰＧＣ一般情報を参照。
【００８２】
５）ＰＧＣスチルフェーズ（ランダム、シャッフル再生に対してのみ）
ＰＧＣ内のスチルタイムバリューに応じてＰＧＣスチルが実行される。
【００８３】
スチルタイムバリューはＰＧＣ一般情報を参照。
【００８４】
ＰＧＣスチルはＰＧＣ実行モードがシーケンシャル再生のＰＧＣにはセットされない。
【００８５】
６）ポストコマンドフェーズ
ポストコマンド領域内でナビゲーションコマンドを実行する。
【００８６】
７）ネクストリンクフェーズ
Ｎｅｘｔ＿ＰＧＣＮが有効の場合、Ｎｅｘｔ＿ＰＧＣＮによるＰＧＣの実行に移り、そうでない場合はＳｔｏｐ  Ｓｔａｔｅに移る。
【００８７】
Ｎｅｘｔ＿ＰＧＣＮはＰＧＣ一般情報を参照。
【００８８】
注１：フェーズ２〜フェーズ５は再生制御ブロックを構成する。
【００８９】
注２：フェーズ３）のステップａ）、フェーズ３）のステップｂ）、フェーズ５）以外の全てのフェーズのステップにおいて、
実行時間はフェーズ３）のステップｃ）以外は０である。フェーズ３）のステップｃ）について、実行時間は０．５秒以下である。
【００９０】
カウンタモード内のナビゲーションタイマと一般パラメータはフローズンされる。
【００９１】
ユーザ操作は実行されない。実際には、フェーズ３）のステップａ）、あるいはフェーズ５）まで操作は延期される。
【００９２】
注３：関連する情報がＰＧＣＩに記述されている場合のみ、各フェーズは実行される。
【００９３】
〔管理情報記録場所〕
リジューム情報を管理する情報の配置場所について第１の実施形態では図２３に示すようにＨＤビデオタイトルセット・プログラムチェーン情報テーブル（ＨＤＶＴＳ＿ＰＧＣＩＴ）４１２内のＨＤＶＴＳ＿ＰＧＣＩサーチポインタ４１２ｂ内のＨＤＶＴＳ＿ＰＧＣカテゴリ（ＨＤＶＴＳ＿ＰＧＣ＿ＣＡＴ）内にＲＳＭ許可フラグ（リジューム情報の更新許可フラグ）を持たせている。
【００９４】
また、他の実施形態（第２の実施形態）では図３３、図３４に示すようにプログラムチェーン・一般情報（ＰＧＣ＿ＧＩ）５０内のＲＳＭ＆ＡＯＢカテゴリ（ＲＳＭ＆ＡＯＢ＿ＣＡＴ）内にＲＳＭ許可フラグ（リジューム情報の更新許可フラグ）を持たせている。
【００９５】
また、（Ａ２）の問題を解決する特徴（Ａ）に関する〔ポイント４〕に示したタイトルのＰＧＣに戻った直後に実行されるコマンド列（コマンドの連続的な繋がり順序）を示すリジュームシーケンス情報は、図３５に示すようにリジューム（ＲＳＭ）コマンドシーケンスとしてプログラムチェーン・コマンドテーブル（ＰＧＣ＿ＣＭＤＴ）５１内にＲＳＭコマンド（ＲＳＭ＿ＣＭＤ）５１４が並んで配置される。また、プログラムチェーン・コマンドテーブル（ＰＧＣ＿ＣＭＤＴ）５１内に配置されたＲＳＭコマンド（ＲＳＭ＿ＣＭＤ）５１４の数情報であるＲＳＭ＿ＣＭＤ＿Ｎｓは図３６に示すようにプログラムチェーン・コマンドテーブル情報（ＰＧＣ＿ＣＭＤＴＩ）５１０内に記録されている。
【００９６】
〔管理情報内容〕
ＲＳＭ許可フラグ（リジューム情報の更新許可フラグ）とは該当するＨＤＶＴＳ＿ＰＧＣの再生を開始した段階でレジューム情報の内容を更新するか（該当するＰＧＣの再生状況に合わせてレジューム情報を逐次更新して行くか）否かを示す。すなわち、上記のフラグが‘０ｂ’の場合はレジューム情報の更新を行い、‘１ｂ’の場合はレジューム情報の更新を行わず、その前に再生したＨＤＶＴＳ＿ＰＧＣ（この発明のビデオタイトルセット内の対応したプログラムチェーン）の再生中断した情報を保持しておく処理を行う。
【００９７】
ＲＳＭコマンド（ＲＳＭ＿ＣＭＤ）５１４内の具体的なデータ構造は図３６に示すように、１個のコマンド毎に“８バイト分”の領域を割り当てられており、この“８バイト分”の領域内にコマンド内容が記録される。
【００９８】
（Ｂ）表示用言語設定
〔ポイント１〕
（Ｂ１）に示した問題点を解決するため、コンテンツ内でメニュー記述言語コードが設定できる画面を提供できるようにする。具体的には情報記憶媒体の挿入直後に最初に表示可能なファーストプレイＰＧＣ（ＦＰ＿ＰＧＣ）でメニュー記述言語コードの設定を可能とする。ユーザの画面上の選択で上記メニュー記述言語コートが設定できるコンテンツに対応するため、ＦＰ＿ＰＧＣは１個のＶＯＢ（ビデオオブジェクト：Ｖｉｄｅｏ  Ｏｂｊｅｃｔ）を持てるようにし、このＶＯＢは言語選択メニューにのみ使用可能とする。コンテンツが１言語しかサポートしない場合や、現状のメニュー記述言語コードの値を自動的に継承するコンテンツの場合には、ＦＰ＿ＰＧＣはメニュー画面用のＶＯＢを持たないこともある。メニュー記述言語コードの値を自動的に継承するコンテンツの例としては、自動的に情報再生装置の持っているＳＰＲＭ（０）の値とＨＤのＤＶＤビデオコンテンツがサポートする言語とを自動的に比較し、一致したらメニュー記述言語コードをそれに合わせるなどの実施形態がある。この場合には、自動的に比較するコマンド処理シーケンスであるリジュームシーケンス情報の情報がＦＰ＿ＰＧＣに関する管理情報であるＦＰ＿ＰＧＣＩ（ファーストプレイプログラムチェーン情報：Ｆｉｒｓｔ  Ｐｌａｙ  Ｐｒｏｇｒａｍ  Ｃｈａｉｎ  Ｉｎｆｏｒｍａｔｉｏｎ：図４）内に記録されている。
【００９９】
更に、このＦＰ＿ＰＧＣに対する制限条件として１個以下のセルを持てる（ＶＯＢがある時には１個のセルを規定し、メニュー記述言語コード選択用画面を持たないコンテンツの場合にはＶＯＢを持たないので、対応してＦＰ＿ＰＧＣの中にセルを含まない）構造にする。また、このＦＰ＿ＰＧＣではプログラムのシーケンシャル再生のみを許し、パレンタルブロック構造やマルチシーン構造を禁止する。更に、このＦＰ＿ＰＧＣ内で使用可能なストリームとして１個のみ（１個または０個）のオーディオストリームの使用を許可すると共に、サブピクチャ（副映像）ストリームの使用を禁止し、その代わり後述するグラフィックユニットＧＵの使用を導入する。
【０１００】
このため、この発明の実施の形態では複数のメニュー記述言語コードに対応してそれぞれメニュー記述言語コードを選択する画面を作る必要が無くなり、コンテンツ作成時のオーサリング作業が簡素化される。その結果、オーサリング作業時間が短縮される分コンテンツの販売価格を低下できる。
【０１０１】
プログラムチェーン情報（ＰＧＣＩ）はＰＧＣの表示を制御するナビゲーションデータである。ＰＧＣは基本的にはＰＧＣＩとＥＶＯＢｓからなるが、ＥＶＯＢがなく、ＰＧＣＩのみからなるＰＧＣも存在する。ＰＧＣＩのみからなるＰＧＣは表示条件を決定し、表示を他のＰＧＣに転送するために使われる。ＰＧＣＩ番号はＶＭＧＭ＿ＬＵ、ＶＴＳＭ＿ＬＵ、ＶＴＳ＿ＰＧＣＩＴ内のＰＧＣＩサーチポインタに対して‘１’から順に割り振られている。ＰＧＣ番号はＰＧＣＩと同じである。ＰＧＣがブロック構造であったとしても、ブロック内のＰＧＣＮはＰＧＣＩサーチポインタ内の連続番号と一致する。
【０１０２】
ＰＧＣはドメインと目的とに応じて４つのタイプに分類される。ＰＧＣＩのみの構造、ＰＧＣＩとＥＶＯＢの構造は、ファーストプレイＰＧＣ（ＦＰ＿ＰＧＣ），ビデオマネージャメニューＰＧＣ（ＶＭＧＭ＿ＰＧＣ）、ビデオタイトルセットメニューＰＧＣ（ＶＴＳＭ＿ＰＧＣ）、タイトルＰＧＣ（ＴＴ＿ＰＧＣ）に適用可能である。ＶＭＧスペース内のＦＰ＿ＤＯＭドメインに記載されたＰＧＣはＦＰ＿ＰＧＣであり、１つのＰＧＣのみ存在する。ＦＰ＿ＰＧＣには次の制約がある。
【０１０３】
１）１つのＥＶＯＢ内にセルが存在しない場合と、複数のセルが存在する場合が許される。
【０１０４】
２）ＰＧ再生モードに関して、“プログラムのシーケンシャル再生”のみ許される。
【０１０５】
３）パレンタルブロックは許されていない。
【０１０６】
４）言語ブロックは許されていない。
【０１０７】
ＦＰ＿ＰＧＣＭ＿ＥＶＯＢはメニュー言語の選択のために使われるエンハンスドビデオオブジェクトＥＶＯＢである。ＶＭＧＭ＿ＥＶＯＢＳはボリュームアクセスをサポートするメニューに使われるエンハンスドビデオオブジェクトＥＶＯＢｓの集合である。ＥＡＯＢＳはバックグランド音楽等のために使われるエレメンタリーオーディオオブジェクトの集合である。
【０１０８】
ＰＧＣは記述場所と目的に応じて４つに分類される。ここで、ＶＭＧ内に記述されるファーストプレイＰＧＣ（ＦＰ＿ＰＧＣ）は、ディスクへの最初のアクセス時に初期条件のセットと、ＦＰ＿ＰＧＣメニュー（あれば）を再生するために自動的に実行される。
【０１０９】
システムメニューは記述されるドメインに応じて分類され、ＦＰ＿ＤＯＭ内に記述される言語メニューは言語ユニット内のメニュー上に再生されるメニューの言語を選択する。
【０１１０】
〔ポイント１−１〕
次に、メニュー関係の変形例を説明する。
【０１１１】
メニューとは選択項目（ボタン）を含む表示イメージである。システムメニューは特定のユーザ操作に対して予め決められたメニューである。コンテンツプロバイダにより自由に作られるメニューは各タイトル毎に記録される。メニューのためのボタンはグラフィック、ボタンパターン、あるいはグラフィックユニット内のハイライト情報により作られる。ユーザにより確定された時に実行されるコマンドはボタンの上に記載される。システムメニューは各種ドメイン内に存在する。ＦＰ＿ＤＯＭ内に存在するシステムメニューは言語メニューであり、言語ユニット内のメニューに表示されるメニュー言語を選択する。ユーザ操作によりＦＰ＿ＤＯＭ内の言語メニューを呼び出す機能は無い。しかし、このメニューはファーストプレイＰＧＣが再生される時、自動的に再生される。
【０１１２】
ＦＰ＿ＤＯＭ内の言語メニューは次の特徴を有する。
【０１１３】
１）ＦＰ＿ＰＧＣは言語セレクションのみに使われる言語メニューＦＰ＿ＰＧＣＭ＿ＥＶＯＢを持つ。
【０１１４】
２）この言語メニューにより言語が決定されると、ＶＭＧメニュー、各ＶＴＳメニュー内の言語ユニットを選択するために言語（コード）が使用される。
【０１１５】
言語選択用のメニューの一例を図７７に示す。〔ポイント２〕
（Ｂ１）に示した問題点を解決するため、後述するように新たにＳｅｔＭ＿ＬＣＤコマンドを定義する。このＳｅｔＭ＿ＬＣＤコマンドによりＳＰＲＭ（０）の値が変更可能となる。このＳｅｔＭ＿ＬＣＤコマンドは後述するようにＳｅｔＳｙｓｔｅｍのコマンド領域内に含まれ、ＦＰ＿ＰＧＣの中でしか使用できない。具体的なコマンド内容としてはゼネラルパラメータもしくはＳｅｔＭ＿ＬＣＤ内で指定できる特定な値により言語コードとしてＳＰＲＭ（０）の値を設定する。
【０１１６】
〔ポイント３〕
（Ｂ２）に示した問題点を解決するため、ユーザが設定したメニュー記述言語コードを保持できるように、ユーザのみが変更設定を可能としコマンドによる変更が不可能なメニュー記述言語コードを格納する場所としてＳＰＲＭ（２１）を新たに設定すると共に、従来から存在したＳＰＲＭ（０）の位置付けを若干変更する。すなわち、情報再生装置に設定されたパラメーターとして初期設定メニュー言語（Ｉｎｉｔｉａｌ  Ｍｅｎｕ  Ｌａｎｇｕａｇｅ）の格納場所としてＳＰＲＭ（２１）を新たに定義する。このＳＰＲＭ（２１）はユーザのみが変更設定可能なプレーヤ設定言語であり、コンテンツのプログラム内のコマンドでは変更不可能とする。
【０１１７】
そして、ＳＰＲＭ（０）の位置付けを“再生中のカレントメニュー言語”の格納場所に変更する。このＳＰＲＭ（０）はユーザによる変更設定と共にコンテンツ内のコマンドによる変更設定の両方に対応可能にする。その結果、（Ｂ２）の所で説明したコマンドによりＳＰＲＭ（０）が変更されても、ユーザが設定したメニュー記述言語コードが保持でき、ユーザへの不快感や余計な負担を掛けずに済む。
【０１１８】
〔具体的なＳＰＲＭ（０）とＳＰＲＭ（２１）の関係説明〕
ＳＰＲＭ（０）とＳＰＲＭ（２１）との関係を説明するため、情報再生装置（プレーヤ）内に情報記憶媒体を挿入した直後の動作の一例を示す。ファーストプレイＰＧＣ（ＦＰ＿ＰＧＣ）の処理を実行する前に、最初にユーザが情報再生装置に対して設定したメニュー記述言語コードである初期設定メニュー言語ＳＰＲＭ（２１）の値をＳＰＲＭ（０）にコピーする。
【０１１９】
ＦＰ＿ＰＧＣの中にＳｅｔＭ＿ＬＣＤのコマンドが存在していれば、そのコマンドに従ってＳＰＲＭ（０）の値を変更できるが、（Ｂ２）の問題点回避のためにＳＰＲＭ（０）の値はＳＰＲＭ（２１）からコピーされた値が保持されていることが望ましい。仮にこの情報記憶媒体に記録されたコンテンツ内のＳｅｔＭ＿ＬＣＤコマンドによりＳＰＲＭ（０）がＳＰＲＭ（２１）とは異なる値に書き換えられたとしても、ＳＰＲＭ（２１）の値が保持されているので、次に別の情報記憶媒体が装着されるとＳＰＲＭ（０）の値がＳＰＲＭ（２１）の値に自動的に書き換えられるので、次の情報記憶媒体装着後には（Ｂ２）の問題点が回避できる。例えば、ＦＰ＿ＰＧＣ内にメニュー用ＶＯＢが存在せず、言語選択用メニューが図６に示したＨＤビデオマネージャメニュー・言語ユニット（ＨＤＶＭＧＭ＿ＬＵ）３１２内に存在する場合には、上記ＳＰＲＭ（０）の値に対応したＨＤビデオマネージャメニュー・言語ユニット（ＨＤＶＭＧＭ＿ＬＵ）３１２が選択される。ＳＰＲＭ（２１）の値はあくまでも情報再生装置の動作が停止している段階でユーザによってのみ変更が可能であるが、ユーザによってＳＰＲＭ（２１）の値が書き換えられている時でもＳＰＲＭ（０）の値は同時には書き換えられず従来の値のまま保持される。
【０１２０】
〔情報再生装置内のパラメータ情報記録場所〕
図４８に示す情報再生装置内のシステムブロック図においてメモリ部１２２内に‘０’から‘２１’までのシステムパラメータＳＰＲＭを格納する領域が割り当てられている。このＳＰＲＭ（０）に再生中のカレントメニュー言語コード情報が、ＳＰＲＭ（２１）に初期設定メニュー言語コード情報が記録される。
【０１２１】
〔オブジェクト情報記録場所〕
図１の（ｅ）に示すようにメニュー記述言語コードが設定できる画面をファーストプレイＰＧＣ用言語選択メニューＶＯＢＳ（ＦＰ＿ＰＧＣＭ＿ＶＯＢＳ）３５の領域に記録する。また、このオブジェクト情報（ビデオデータ）は図２に示すようにＨＤ＿ＦＰＰＧＣ．ＨＤＶという名前の単独ファイルとして独立させる。
【０１２２】
〔管理情報記録場所〕
図４に示すようにＨＤビデオマネージャ情報・管理テーブル（ＨＤＶＭＧＩ＿ＭＡＴ）３１０内のファーストプレイＰＧＣＩ（ＦＰ＿ＰＧＣＩ）にメニュー記述言語コードが設定できる言語選択用メニューに対する管理情報が記録されている。
【０１２３】
〔２〕ユーザに対するコンテンツ表現力が不足している箇所
（Ｃ）静止画のシームレス再生
〔ポイント１〕
従来のＤＶＤコンテンツでも動画間のシームレス接続は保証されている。従って、上記（Ｃ１）と（Ｃ２）に示した問題点を解決するため、静止画が記録されたＶＯＢＳ（ビデオオブジェクトセット：Ｖｉｄｅｏ  Ｏｂｊｅｃｔ  Ｓｅｔ）に対してもＶＯＢの中身を動画が記録されたＶＯＢＳと同じイメージで定義することで、従来の動画間のシームレス接続と同様に静止画から動画へのシームレス接続（Ｃ１）と静止画のマルチアングル再生（Ｃ２）を保証できる所に特徴がある。
【０１２４】
〔ポイント２〕
〔ポイント１〕の考え方を実現する具体的な方法を以下に説明する。シームレス再生を保証するＥ−ＳＴＤ（Ｅｘｔｅｎｄｅｄ  Ｓｙｓｔｅｍ  Ｔａｒｇｅｔ  Ｄｅｃｏｄｅｒ）モデルを適用するため、静止画が記録されたＩピクチャの間の期間に“仮想アクセスユニット”を設定する所に特徴がある。アクセスユニットの設定方法として、この発明実施形態ではビデオフレームの期間またはビデオフレームの整数倍の期間を単位として静止画を開始するＩピクチャと次のＩピクチャとの間の間隔をアクセスユニットの期間毎に仮想的に細かく時間分割する。そして、情報再生装置は、仮想アクセスユニット毎に静止画が繰り返し再生表示されているものと仮想的に見なす。静止画のデコーダに入力されるタイミングを示すＤＴＳ（Ｄｅｃｏｄｉｎｇ  Ｔｉｍｅ  Ｓｔａｍｐ）と静止画が表示されるタイミングを示すＰＴＳ（Ｐｒｅｓｅｎｔａｔｉｏｎ  Ｔｉｍｅ  Ｓｔａｍｐ）は静止画１枚毎にあらかじめ設定されており、１ビデオフレーム期間はＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式とＰＡＬ（Ｐｈａｓｅ  Ａｌｔｅｒｎａｔｉｏｎ  ｂｙ  Ｌｉｎｅ）方式で決まっているので、“仮想アクセスユニット”の境界位置のタイミングを容易に算出できる。このように静止画像に対してもアクセスユニットを設定することで（Ｃ１）の問題点が解決される。すなわち、このアクセスユニットの境界位置で図４８に示す分離部１０３、ビデオデコーダ部１１１、副映像デコーダ部１１２、オーディオデコーダ部１１４に設定されるＳＴＣの値を切り替えて静止画から動画へのシームレス接続再生を可能にする。
【０１２５】
静止画から動画へのシームレスな再生接続が保証されれば、ユーザは快適にコンテンツの観賞が出来るばかりでなく、コンテンツプロバイダとしてもユーザへの表現力が向上する。また、従来のＤＶＤビデオのオブジェクト構造を実質的に変更すること無く、仮想的な定義の変更のみで静止画から動画へのシームレス接続表示が可能になるため、従来ＤＶＤビデオのオーサリングツールを大部分利用可能となりこの発明を製品化する際の媒体価格上昇を最大限に抑えられる。
【０１２６】
〔ポイント３〕
（Ｃ１）の問題点を解決するポイントの一つとして静止画を含むＶＯＢＵに対する規定（制約）を〔ポイント２〕の内容に合わせて下記のように修正する。すなわち、“仮想アクセスユニット”の整数個で１個のＶＯＢＵを構成するように仮想的に設定する。その結果、各静止画のＶＯＢＵの表示期間はビデオフレームの整数倍となる。前記のように規定（制約）することで静止画から動画への切り替えタイミングは必ずビデオフレームの境界タイミングと一致するので切り替わり時の画面の乱れが防止できるとともに（インターレースされたフィールド表示では無く、隙間が埋められたフレームで表示できるので）切り替え直前・直後の画面を鮮明に表示できる。
【０１２７】
ＶＡＵ（ビデオアクセスユニット：Ｖｉｄｅｏ  Ａｃｃｅｓｓ  Ｕｎｉｔ）内には静止画を示すＩピクチャが１個存在し、ＩＶＡＵ（仮想ＶＡＵ：Ｉｍａｇｉｎａｒｙ  Ｖｉｄｅｏ  Ａｃｃｅｓｓ  Ｕｎｉｔ）内ではＩピクチャを含まないので、ＩＶＡＵ内にはビデオデータが存在しないことになる。ＶＡＵ１からＩＶＡＵ１５までで構成されるＶＯＢＵとＶＡＵ１６からＩＶＡＵ３０までで構成されるＶＯＢＵには１個のみのＩピクチャが存在している。この発明実施形態では同一ＶＯＢＵ内に複数のＩピクチャを持つことを禁止し、必ず１個のＶＯＢＵ内には１個以下のＩピクチャを持つように規定（制約）している。また、ＭＰＥＧ２の規格に準拠してＩピクチャの後ろにシーケンスエンドコードを配置しているので、このようにＩピクチャを含むＶＯＢＵ内には必ず１個のシーケンスエンドコードを持つ（すなわちＩピクチャとシーケンスエンドコードを別のＶＯＢＵ内に分けること無く、両者を必ず同一のＶＯＢＵ内に含ませる）ように規定（制約）する。
【０１２８】
また、同一ＶＯＢＵ内ではＩＶＡＵに先行して必ず先にＶＡＵが（仮想的に）配置した構造を取る。このようにＶＯＢＵ内で先頭位置にＶＡＵが配置された（仮想的な）構造にすることにより動画から静止画への切り替えを行った場合に、高速でＶＡＵ内のＩピクチャのデコードが可能となり、動画から静止画へのシームレス再生が可能となる。
【０１２９】
ＩＶＡＵ３０からＩＶＡＵ４５により構成されるＶＯＢＵ内にはビデオデータ（Ｉピクチャ）を含まない。内部にビデオデータを持たないＶＯＢＵの定義も可能とする。
【０１３０】
〔ポイント４〕
（Ｃ２）の問題点を解決する手段として静止画オブジェクトに対してＩＶＡＵを仮想的に定義するとともに、下記に示す方法によりＩＬＶＵ（Ｉｎｔｅｒｌｅａｖｅｄ  Ｕｎｉｔ）内への静止画データ（静止画オブジェクト）の配置を可能にする。すなわち、（Ｃ２）で説明したように現行ＤＶＤビデオにおける『ＩＬＶＢ（Ｉｎｔｅｒｌｅａｖｅｄ  Ｂｌｏｃｋ）を構成するセル内のビデオデータへのシーケンスエンドコードの配置を禁止』と言う制約を緩める。そして、ＶＯＢがＩＬＶＵ内に使われる場合には、１個以上のシーケンスエンドコードを持つＶＯＢに対して１個のＶＯＢＵ内の再生期間をビデオフレームの整数倍とし、各ＶＯＢＵ内にはビデオデータとして唯一のＩピクチャを持つか又はビデオデータを持たない構造とするという制約を掛ける。更に、Ｉピクチャが含まれるＶＯＢＵ内には１個のシーケンスエンドコードを持たせると共に、ＩＬＶＵ内の最初のＶＯＢＵには必ずビデオデータ（静止画を記録したＩピクチャ）を持たせる。ユーザ指示などによりアングルを切り替えた直後には、必ず対応したアングルのＩＬＶＵの先頭位置へアクセスされるので、ＩＬＶＵの最初のＶＯＢＵに必ずビデオデータを持たせることでアングル切り替え時の静止画表示までの時間短縮が可能となる。
【０１３１】
〔オブジェクト情報記録場所〕
図１の（ｆ）のタイトル用ビデオオブジェクト領域（ＨＤＶＴＳＴＴ＿ＶＯＢＳ）４３の中に上記仮想アクセスユニットが定義される静止画データが記録される。また、この領域は図２のＶＴＳ００１０２．ＨＤＶファイルを構成する。
【０１３２】
〔管理情報記録場所〕
上記仮想アクセスユニットが定義される静止画データを管理する管理情報は図１の（ｆ）のＨＤビデオタイトルセット情報領域（ＨＤＶＴＳＩ）４１内に存在し、この領域は図２のＶＴＧＳ００１００．ＩＦＯファイル内にまとまっている。上述したようにビデオフレームの期間またはビデオフレームの整数倍の期間を単位として仮想的に細かく時間分割して仮想的にアクセスユニットの期間を設定するので、実際の仮想アクセスユニットの境界位置は計算上で算出することになる。
【０１３３】
（Ｄ）セルコマンドを含むセルのシームレス再生
〔ポイント１〕
従来のＳＤのＤＶＤビデオではセルコマンドを持つセル間のシームレス再生を保証しなかったのに対して『セルコマンドを実行するセルに対してもマルチアングルなどの分岐点を持たない場合にはセル間のシームレス再生を保証』する所に特徴がある。すなわち、ビデオ再生においてマルチアングル等の分岐点を持たない限りにおいて（セルコマンドを実行する場合においても）可能な限り次のセルのビデオ再生を連続して開始することとし、それを可能にするための手段として前のセルの再生が完了した後、０．５秒以内に次のセルの再生を開始できるようにコンテンツの物理的配置などを工夫している。
【０１３４】
〔ポイント２〕
また、セルコマンドを実行するセルに対してもセル間のシームレス再生が保証されている箇所に関してはオブジェクト（ビデオデータ）の管理情報の中に下記のように明記する。図３８に示したセル再生情報（Ｃ＿ＰＢＩ）５３０内のセルカテゴリ情報Ｃ＿ＣＡＴには図示してないがシームレス再生フラグ、インターリーブ配置フラグ、ＳＴＣ不連続フラグ、セル再生モード情報が存在する。
【０１３５】
セルコマンドを実行するセルに対してもセル間のシームレス再生が保証されている箇所に関してシームレス再生フラグに対して『セルはシームレスに再生すべき』と設定し、インターリーブ配置フラグに対しては『連続ブロック内に存在している』と設定し、ＳＴＣ不連続フラグに対しては『ＳＴＣのリセットは不要』と設定し、セル再生モードに対しては『連続再生』と設定する。
【０１３６】
〔ポイント３〕
従来のＳＤのＤＶＤビデオでは各セルの再生終了時にセルコマンドのセットの中から１コマンドを選択して実行することになっているが、前記制約を撤廃して、セルコマンドの実行は必ずしもセルの再生終了時の実行に限らないこととする。また、１個のセルに対するセルコマンドの実行は１コマンドのみに限らず、複数のコマンドを順次（シーケンシャルに）実行できるようにしている。すなわち、図３８に示すように、ＨＤのＤＶＤビデオでは１個のセルに対する管理情報のセル再生情報（Ｃ＿ＰＢＩ）内にセルコマンド開始番号情報（Ｃ＿ＣＭＤ＿ＳＮ）とセルコマンド連続数情報（Ｃ＿ＣＭＤ＿Ｃ＿Ｎｓ）を持たせている。
【０１３７】
図３５に示すようにプログラムチェーン・コマンドテーブル（ＰＧＣ＿ＣＭＤＴ）５１内にセルコマンド（Ｃ＿ＣＭＤ）５１３がシーケンシャルに配置されている。セルコマンド開始番号情報Ｃ＿ＣＭＤ＿ＳＮにより複数配置されているセルコマンド（Ｃ＿ＣＭＤ）５１３列の内、上から何番目のセルコマンドからコマンドを実行するかを示し、そこから順次（シーケンシャルに）何個のコマンドを連続して実行するかをセルコマンド連続数情報Ｃ＿ＣＭＤ＿Ｃ＿Ｎｓが示している。
【０１３８】
（Ｅ）ハイライト情報と副映像間のアンマッチ対策
〔ポイント１〕
（Ｅ１）の問題点を解決するため“グラフィックユニット”と言う独立したストリームを新たに定義し、そのグラフィックユニット内に同時にハイライト情報と（従来“副映像”が持っていた）グラフィックデータの両方を持たせ、副映像情報と分離することで、上記（Ｅ１）で説明したように、副映像情報の表示期間に左右されることなく、コンテンツ製作者は、イメージ通りのコンテンツが作成でき、自由度が向上し、結果ユーザへ多彩なコンテンツを提供することができる。
【０１３９】
また、グラフィックユニットとして１６：９のＨＤ画像、１６：９のＳＤ画像、４：３のＳＤ画像、レターボックスのＳＤ画像及びパンスキャンのＳＤ画像のそれぞれに対応した５種類が設定可能でそれぞれの種類に応じて５種類のサブストリームＩＤが設定可能となっている。
【０１４０】
従来のＳＤのＤＶＤビデオコンテンツではナビパック内のＰＣＩ記録領域内にハイライト情報を記録していたのに対し、この発明実施形態のＨＤのＤＶＤビデオコンテンツでは上記ハイライト情報の記録位置をグラフィックユニットＧＲＵ内に移し、１画面内に同時に２４個までのボタン設定を可能とする。また、各ボタンに対して２５６色まで指定でき、選択時のハイライトなどで色の変更が可能である。さらに、２５６階調までのグラデーションによるコントラストのミキシングも表現できる。
【０１４１】
図８４は再生制御情報ＰＣＩの内容を示す。ＰＣＩはＥＶＯＢユニットＥＶＯＢＵの再生を制御するためのナビゲーションデータであり、３つのデータ、ＰＣＩ＿ＧＩ：ＰＣＩジェネラル情報、ＮＳＭＬ＿ＡＧＬＩ：ノンシームレス用アングル情報、ＲＥＣＩ：レコーディング情報からなる。プレーヤはリザーブは見ない。ＰＣＩはナビゲーションパックＮＶ＿ＰＣＫ内のＰＣＩパケットＰＣＩ＿ＰＫＴ内に記述される。各ＥＶＯＢＵ毎に内容が更新される。従来はナビゲーションパック内にＨＬＩがあった。本実施形態では、ＨＬＩをグラフィックユニット内に移し、ナビゲーションパック内のこれをリザーブとし、ＨＬＩ情報の記録を禁止した（両方にＨＬＩがあると正常に作動しないので、ＰＣＩ内はＨＬＩ情報の記録を禁止した）。図８４は図３９（ｃ）に示すナビパックａ３に存在するＰＣＩのデータ構造を示す。従来のＤＶＤ−Ｖｉｄｅｏ規格では、図８４内のリザーブ領域内にＨＬＩが存在したが、図８４ではその領域をリザーブとして、ＨＬＩ情報の記録を禁止している。それにより、ＨＬＩ情報をグラフィックユニット内のみに記録可能として、管理・制御の容易性を確保している。〔ポイント２〕
（Ｅ２）に示した問題点を解決するため、従来の副映像ストリームに対する配色数を増やす代わりに上記の“グラフィックユニット”内のグラフィックデータに対する使用可能な配色数を２５６色（８ビットによる色表現）とする。その結果、鮮やかな色彩を持ったグラフィックユニット画像をユーザに表示可能となり、ユーザへの表示インパクトが向上すると共にユーザがメニュー選択し易くなる。
【０１４２】
〔ポイント３〕
（Ｅ３）に示した問題点を解決するため、上記の“グラフィックユニット”内にグラフィックデータとマスクデータを持たせ、両者共に表示パターンをビットマップ状に設定可能とすることで任意の形状を設定できるようにした。その結果、星形や楕円形のハイライト情報指定領域（任意のボタン形状）が作成可能となり、従来のＳＤのＤＶＤコンテンツよりも遙かに見栄えの良い画面が提供できる。
【０１４３】
〔ポイント４〕
（Ｅ４）に示した問題点を解決するため、上記の“グラフィックユニット”内にマスクデータを持たせ、このマスクデータとして画面内の互いに離れた複数領域（ホットスポット）を同時に設定可能とした。つまり、ハイライト情報の各ボタンに対してマスキングデータを重ねて設定できる構造にした。その結果、画面内の互いに離れた複数領域に対して同一のＵＲＬを設定できるＰＣ画面やインターネットのホームページ画面と比べて見劣りがせず、ユーザに取って使い易いメニュー画面を提供できる。
【０１４４】
〔ポイント５〕
グラフィックストリーム
エンハンスドビデオオブジェクト（ＥＶＯＢ）は再生データとナビゲーションデータの一部を含む。ＥＶＯＢ内に含まれるナビゲーションデータは再生制御情報ＰＣＩと、データ検索情報ＤＳＩである。再生データはビデオデータ、オーディオデータ、副映像データである。ＥＶＯＢＳはＥＶＯＢの集合である。ＥＶＯＢはＥＶＯＢＵｓからなるセルに分割される。ＥＶＯＢＵはナビゲーションパック、オーディオパック、ビデオパック、グラフィックパック、副映像パックを含む。
【０１４５】
グラフィクストリームはＥＶＯＢ内で完了している。最後のグラフィックユニット（ＧＲＵ）の最後のＰＴＭはＥＶＯＢ＿Ｖ＿Ｅ＿ＰＴＭで記述される時間以下である。グラフィック再生はＧＲＵが記録されているセル内のみで有効である。最初のＧＲＵのＰＴＭはＥＶＯＢ＿Ｖ＿Ｓ＿ＰＴＭで記述される時間以上である。グラフィックストリーム内部のどのＧＲＵのＰＴＭは先行するＧＲＵのＰＴＭより大きい。なお、「完了している」の定義は、１）各ストリームの開始は各アクセスユニットの最初のデータから始まる、２）各ストリームの終了は各アクセスユニットで揃っている、である。従って、各ストリームの最後のデータを含むパック長は２０４８バイト以下である場合、その長さは調整される。
【０１４６】
〔オブジェクト情報記録場所〕
下記の４箇所内にグラフィックユニットを記録できる。
【０１４７】
（１）図１の（ｅ）のファーストプレイＰＧＣ用言語選択メニューＶＯＢＳ（ＦＰ＿ＰＧＣＭ＿ＶＯＢＳ）３５の領域で図２のＨＤ＿ＦＰＰＧＣ．ＨＤＶファイル内にまとまっている。
【０１４８】
（２）図１の（ｅ）のメニュー用ビデオオブジェクト領域（ＨＤＶＭＧＭ＿ＶＯＢＳ）３２の領域で図２のＨＤ＿ＶＭＧ０１．ＨＤＶファイル内にまとまっている。
【０１４９】
（３）図１の（ｆ）のメニュー用ビデオオブジェクト領域（ＨＤＶＴＳＭ＿ＶＯＢＳ）４２の領域で図２のＶＴＳ００１００．ＨＤＶファイル内にまとまっている。
【０１５０】
（４）図１の（ｆ）のタイトル用ビデオオブジェクト領域（ＨＤＶＴＳＴＴ＿ＶＯＢＳ）４３の領域で図２のＶＴＳ００１０１．ＨＤＶやＶＴＳ００１０２．ＨＤＶファイル内にまとまっている。
【０１５１】
〔オブジェクト情報内のデータ構造〕
図３９の（ｄ）に示すように１６：９のＨＤ画像、１６：９のＳＤワイド画像、４：３のＳＤ画像、レターボックスのＳＤ画像、パンスキャンのＳＤ画像のそれぞれに対応した５種類のストリームに別々に記録される。
【０１５２】
また、図４１、図４２に示すようにグラフィックユニットＧＵ内部はハイライト情報（ＨＩＬ）ｂ２とマスクデータｂ３、グラフィックデータｂ４から構成される。
【０１５３】
〔管理情報記録場所〕
ＰＧＣ内に配置するグラフィックユニットのストリームに関する制御情報を図３３、図３４のＰＧＣ・グラフィックユニットストリーム・制御テーブルＰＧＣ＿ＧＵＳＴ＿ＣＴＬＴ内に持たせる。
【０１５４】
〔管理情報内容〕
ＨＤビデオマネージャのメニュー内に含まれるグラフィックユニットに関する管理情報として図４に示すようにＨＤビデオマネージャ情報・管理テーブル（ＨＤＶＭＧＩ＿ＭＡＴ）３１０内にＨＤＶＭＧＭのグラフィックユニットストリーム数情報ＨＤＶＭＧＭ＿ＧＵＳＴ＿ＮｓとＨＤＶＭＧＭのグラフィックユニットストリーム属性情報ＨＤＶＭＧＭ＿ＧＵＳＴ＿ＡＴＲを持つ。
【０１５５】
また、ＨＤＶＴＳ（ＨＤのビデオタイトルセット）内に含まれるグラフィックユニットに関する管理情報は図２１に示すように、グラフィックユニットストリーム数情報と属性情報がＨＤＶＴＳ内のメニュー画面とタイトル（表示映像）に分かれてそれぞれＨＤＶＴＳＭ＿ＧＵＳＴ＿Ｎｓ、ＨＤＶＴＳＭ＿ＧＵＳＴ＿ＡＴＲ、ＨＤＶＴＳ＿ＧＵＳＴ＿Ｎｓ、ＨＤＶＴＳ＿ＧＵＳＴ＿ＡＴＲＴの情報として記録されている。
【０１５６】
ＰＧＣ内に配置するグラフィックユニットのストリームに関する制御情報が記録されるＰＧＣ・グラフィックユニットストリーム・制御テーブルＰＧＣ＿ＧＵＳＴ＿ＣＴＬＴ内の情報は図３３、図３４に示すように４種類の各画像（１６：９のＨＤ画像、１６：９のＳＤ画像、４：３のＳＤ画像、レターボックスのＳＤ画像）に対応してそれぞれ別領域に記録する。
【０１５７】
（Ｆ）メニュー画面切り替え表示時のオーディオデータ再生
〔ポイント１〕
（Ｆ）に示した問題点を解決するため、メニューに対応した独自のオーディオデータ格納場所を設定する。メニューを表示するＰＧＣの再生開始時間に同時にこの独自のオーディオデータの再生表示を開始する。また、一連のメニュー表示が完了するなどオーディオデータの再生が不要となる（例えばＶＴＳの）ＰＧＣの再生が開始すると同時に、オーディオデータの再生表示を停止する。メニュー表示する前に事前にオーディオデータを図４８のメモリ部１２２内にコピーしておき、ユーザがメニューを遷移しながら表示している期間の間、メモリ部１２２にコピーしたオーディオデータを連続的に繰り返し再生し続ける。メモリ部１２２にコピー可能なオーディオデータの最大容量を８ＭＢと設定している。圧縮オーディオデータの転送レートが例えば３８４Ｋｂｐｓの場合には８ＭＢの最大容量が有れば２．５分に相当するオーディオデータの格納が可能となる。
【０１５８】
〔ポイント２〕
従来のＳＤ用ＤＶＤビデオで存在したビデオ用ＶＯＢＳ内に記録されているオーディオデータと上記に示した独自のオーディオデータ間の選択再生指示が可能なようにオーディオデータの選択指定情報をＰＧＣの管理情報であるＰＧＣＩ内に持たせた所にも特徴がある。その結果、コンテンツプロバイダはメニューを切り替えても連続再生されるオーディオデータと、各メニュー毎に最適に設定されたオーディオデータの選択が指定でき、コンテンツプロバイダのユーザへの表現力が向上する。
【０１５９】
〔ポイント３〕
図１９に示すように、メニュー用オーディオオブジェクト領域（ＨＤＭＥＮＵ＿ＡＯＢＳ）３３（図１（ｅ））内に複数のメニュー用ＡＯＢ＃１〜＃ｎを記録する代わりに、図５６に示すように唯一のメニュー用オーディオオブジェクト（唯一のオーディオオブジェクトファイルＨＤ＿ＭＥＮＵ０．ＨＤＡ）のみを記録する。また、このメニュー用オーディオオブジェクト（オーディオオブジェクトファイルＨＤ＿ＭＥＮＵ０．ＨＤＡ）内では（途中に挿入可能な“無音期間”も含めて）至る所で音声情報が連続しており、途中で音飛びが発生しないように記録されている。更に、このメニュー用オーディオオブジェクト（オーディオオブジェクトファイルＨＤ＿ＭＥＮＵ０．ＨＤＡ）内をｎ個のエントリ（エントリポイント）により細分割可能な構造になっている。それに対応して、メニュー用オーディオオブジェクト（オーディオオブジェクトファイルＨＤ＿ＭＥＮＵ０．ＨＤＡ）内に予め設定されたエントリの先頭（開始）番号（先頭（開始)エントリ番号）と終了番号（終了エントリ番号）の情報を各メニュー画面の管理情報が記録されているＰＧＣ＿ＣＡＴ情報（図５８〜図６０）内に持たせて、対応するメニュー画面を表示する時に同時に再生する背景音声（バックグランドミュージック）の再生範囲を指定可能にする。
【０１６０】
その結果、
（１）異なる複数のメニュー画面で一部の背景音声（バックグランドミュージック）を共用する場合（例えば図５６に示すようにＰＧＣ＃Ａの繰り返し再生範囲とＰＧＣ＃Ｂの繰り返し再生範囲では“第２エントリ”から“第３エントリ”の範囲までが共用されている）には、情報記憶媒体に記録されるメニュー用オーディオオブジェクトのデータ量が軽減されるので、情報記憶媒体に対して記録される情報の記録効率が向上する、
（２）ユーザ指定直後にメニュー画面と背景音声（バックグランドミュージック）を同時に表示するまでの表示開始時間を短くするには、メニュー用オーディオオブジェクト（オーディオオブジェクトファイルＨＤ＿ＭＥＮＵ０．ＨＤＡ）の情報を事前にメモリ部１２２（図４８）内に一時保存しておく必要がある。（１）に示すようにメニュー用オーディオオブジェクトのデータ量が軽減される事でメモリ部１２２に必要とされる容量が減り、情報再生装置の低価格化が図れる、
（３）例えば“トップメニュー画面”を表示している時には“曲の１番”だけが繰り返し再生されるのに対して、“特定メニュー画面Ａ”の表示中には“曲の１番から３番まで”を繰り返し再生し、“特定メニュー画面Ｂ”の表示中には“曲の１番の中の更にサビ部分”のみを繰り返し再生する等メニュー画面により背景音声（バックグランドミュージック）の繰り返し再生される範囲が変わような場合には（１）に示すようにメニュー用オーディオオブジェクトのデータ量が軽減されるだけで無く、各メニュー画面の管理情報の簡素化が図れるため情報再生装置の再生制御が簡単になる。予め設定されたエントリの先頭番号（先頭エントリ番号）と終了番号（終了エントリ番号）の情報を各メニュー画面の管理情報が記録されているＰＧＣ＿ＣＡＴ情報（図５８〜図６０）内に持たせるだけで繰り返し再生される範囲を容易に指定でき、コンテンツ製作者の意図を反映できる、
（４）メニュー用オーディオオブジェクト内では至る所連続しているので、例えば図５６のＰＧＣ＃Ｂの繰り返し再生範囲の終了位置とＰＧＣ＃Ｃの繰り返し再生範囲の開始位置間で音声の連続性が保証されている。従って、前述した〔ロ〕のようにユーザがＰＧＣ＃Ｂに対応したメニュー画面からＰＧＣ＃Ｃに対応したメニュー画面に切り替えた場合、切り替え前の画面（ＰＧＣ＃Ｂ）に対応した背景音声（バックグランドミュージック）が一通り終了した直後に“連続して”切り替わり後のメニュー画像（ＰＧＣ＃Ｃ）に対応した背景音声（バックグランドミュージック）を開始させる事が出来、ユーザに対し一層心地良いメニュー表示環境（バックグランドミュージックの連続性）を提供できる、
などの独自効果が生じる。
【０１６１】
〔ポイント４〕
メニュー用オーディオオブジェクト領域（ＨＤＭＥＮＵ＿ＡＯＢＳ）３３（図１（ｅ））内の唯一のメニュー用オーディオオブジェクト（唯一のオーディオオブジェクトファイルＨＤ＿ＭＥＮＵ０．ＨＤＡ）の先頭位置には、図５６に示すようにＨＤＭＥＮＵ＿ＡＯＢヘッダ情報（ＨＤＭＥＮＵ＿ＡＯＢ＿ＨＩ）が記録され、各エントリポイントの先頭アドレスなどメニュー用オーディオオブジェクトに関する管理情報が記録されている（図５７）。この様にメニュー用オーディオオブジェクトに関する管理情報がメニュー用オーディオオブジェクト領域（ＨＤＭＥＮＵ＿ＡＯＢＳ）３３（図１（ｅ））（唯一のオーディオオブジェクトファイルＨＤ＿ＭＥＮＵ０．ＨＤＡ）内に一緒に記録されているので、コンテンツ全体の内でメニュー用オーディオオブジェクト内容の変更や交換が容易になる等、コンテンツのオーサリング（コンテンツの作成と編集作業）の簡素化が図れ、結果的に情報記憶媒体の低価格化が実現できる。
【０１６２】
〔オブジェクト情報記録場所〕
図１の（ｅ）に示すようにＨＤビデオマネージャ記録領域３０内に新たにメニュー表示時に平行して出力する音声情報が記録されるメニュー用オーディオオブジェクト領域（ＨＤＭＥＮＵ＿ＡＯＢＳ）３３を設ける。このメニュー用オーディオオブジェクト領域３３のファイル構造内での記録場所として図２に示すようにＶＩＤＥＯ＿ＨＤの共通なディレクトリ（フォルダ）内にＨＤ＿ＭＥＮＵ０．ＨＤＡファイルとして独自のファイル内に記録する。この発明実施形態では情報記憶媒体内にメニュー用のオーディオオブジェクト（オーディオデータ）を複数種類記録が可能になっている。それぞれのメニュー用のオーディオオブジェクト（ＡＯＢ）は図１９に示すようにメニュー用オーディオオブジェクト領域（ＨＤＭＥＮＵ＿ＡＯＢＳ）３３内に順番に配置記録されている。また、図５６に示した実施例では、唯一のメニュー用のオーディオオブジェクト（オーディオデータ）から構成され、複数のエントリにより内部の細分割が可能な構造になっている。
【０１６３】
〔管理情報記録場所〕
このメニュー用オーディオオブジェクト領域（ＨＤＭＥＮＵ＿ＡＯＢＳ）３３のオブジェクトに対する管理データを図３に示すようにＨＤビデオマネージャ情報領域（ＨＤＶＭＧＩ）３１内のＨＤメニュー・オーディオオブジェクトセット情報テーブル（ＨＤＭＥＮＵ＿ＡＯＢＳＩＴ）３１８内に記録する。また、図５６に示した実施例では、唯一のメニュー用のオーディオオブジェクト（オーディオデータ）ＨＤＭＥＮＵ＿ＡＯＢの先頭位置にヘッダ情報記録領域ＨＤＭＥＮＵ＿ＡＯＢ＿ＨＩを持ち、その内部のデータ構造は図５７に示すように各エントリ（エントリポイント）の先頭アドレス情報ＡＯＢ＿ｎＴＨ＿ＥＰなどが記録されている。
【０１６４】
更にメニュー用ＡＯＢ（ＨＤＭＥＮＵ＿ＡＯＢ）を参照（指定）する情報の設定場所としてこの発明の実施の形態では全体のメニューに関しては図７に示すようにＨＤビデオマネージャメニュー・言語ユニット３１２ｃ内のＨＤＶＭＧＭ＿ＰＧＣＩサーチポインタ＃ｎ（ＨＤＶＭＧＭ＿ＰＧＣＩ＿ＳＲＰ  ＃ｎ）３１２ｃ２内のＨＤＶＭＧＭ＿ＰＧＣカテゴリ情報（ＨＤＶＭＧＭ＿ＰＧＣ＿ＣＡＴ）内に配置し、ＨＤＶＴＳ単位でのメニューに関しては図２６に示すようにＨＤＶＴＳ＿ＰＧＣＩサーチポインタ＃ｎ（ＨＤＶＴＳＭ＿ＰＧＣＩ＿ＳＲＰ  ＃ｎ）４１３ｃ２内のＨＤＶＴＳＭ＿ＰＧＣカテゴリ情報（ＨＤＶＴＳＭ＿ＰＧＣ＿ＣＡＴ）内に配置する。
【０１６５】
この発明の他の実施の形態では図３３、図３４に示すようにプログラムチェーン・一般情報（ＰＧＣ＿ＧＩ）５０内のＲＳＭ＆ＡＯＢカテゴリ（ＲＳＭ＆ＡＯＢ＿ＣＡＴ）内に配置する。
【０１６６】
〔管理情報内容〕
全体のメニューに関しては図７に示すようにＨＤビデオマネージャメニュー・言語ユニット３１２ｃ内のＨＤＶＭＧＭ＿ＰＧＣＩサーチポインタ＃ｎ（ＨＤＶＭＧＭ＿ＰＧＣＩ＿ＳＲＰ  ＃ｎ）３１２ｃ内のＨＤＶＭＧＭ＿ＰＧＣカテゴリ情報（ＨＤＶＭＧＭ＿ＰＧＣ＿ＣＡＴ）内に、ＨＤＶＴＳ単位でのメニューに関しては図２６、図２７に示すようにＨＤＶＴＳ＿ＰＧＣＩサーチポインタ＃ｎ（ＨＤＶＴＳＭ＿ＰＧＣＩ＿ＳＲＰ  ＃ｎ）４１３ｃ２内のＨＤＶＴＳＭ＿ＰＧＣカテゴリ情報（ＨＤＶＴＳＭ＿ＰＧＣ＿ＣＡＴ）内に
（１）ＨＤＭＥＭＵ＿ＡＯＢＳの中の再生するＡＯＢ番号＃ｎ（図１９で並んでいるメニュー用ＡＯＢ（ＨＤＭＥＮＵ＿ＡＯＢ）の内、何番目のＡＯＢが対応するか）を指定する音声情報番号と、
（２）この発明におけるＨＤコンテンツのメニューを画面表示した時に同時に再生する音声情報の選択情報と、音声情報再生の開始・継続・終了トリガー情報を示す音声情報選択フラグが記録される。
【０１６７】
図７と図２４または図３３、図３４ではメニュー画面表示時に同時に表示するメニュー用オーディオオブジェクトを指定する管理情報を示している。それに対応してメニュー用のオーディオオブジェクト自体に対する管理情報内容は図１７に示すようにＨＤメニュー・オーディオオブジェクトセット情報テーブル情報（ＨＤＭＥＮＵ＿ＡＯＢＳＩＴＩ）３１８ａと情報記憶媒体内に記録されているメニュー用ＡＯＢのそれぞれに対する個々の管理情報であるＨＤメニュー・オーディオオブジェクト情報（ＨＤＭＥＮＵ＿ＡＯＢＩ）３１８から構成される。
【０１６８】
このＨＤＭＥＮＵ＿ＡＯＢＩにはＨＤＭＥＮＵ＿ＡＯＢの再生情報（曲の再生時間）を表すＨＤＭＥＮＵ＿ＡＯＢ＿ＰＢＩ、オブジェクトの属性（ＬＰＣＭやＡＣ−３など）を表すＨＤＭＥＮＵ＿ＡＯＢ＿ＡＴＲ、ＨＤＭＥＮＵ＿ＡＯＢ＃ｎの先頭アドレス、終了アドレスを示すＨＤＭＥＮＵ＿ＡＯＢ＿ＳＡ、ＨＤＭＥＮＵ＿ＡＯＢ＿ＥＡが含まれる。また先頭、終了アドレスについてはＨＤＭＥＮＵ＿ＡＯＢ＃ｎの絶対もしくは相対のサイズが書かれる場合もある。
【０１６９】
また、上記（１）、（２）の情報は図３３においてＲＳＭ＆ＡＯＢ＿ＣＡＴで表現することもできる。〔アクセス情報〕
図４に示すように情報記憶媒体（光ディスクまたはＨＤのＤＶＤディスク）内でのメニュー表示時に同時に出力する音声情報が記録されるメニュー用オーディオオブジェクト領域（ＨＤＭＥＮＵ＿ＡＯＢＳ）３３が記録されている場所を示すＨＤＭＥＮＵ＿ＡＯＢＳの先頭アドレス情報（ＨＤＭＥＮＵ＿ＡＯＢＳ＿ＳＡ）とそのメニュー用オーディオオブジェクトに対する管理情報が記録されているＨＤメニュー・オーディオオブジェクトセット情報テーブル（ＨＤＭＥＮＵ＿ＡＯＢＳＩＴ）３１８が記録されている場所を示すＨＤＶＭＧＭ＿ＡＯＢＳ情報テーブルの先頭アドレス情報（ＨＤＭＥＮＵ＿ＡＯＢＳＩＴ＿ＳＡ）がＨＤビデオマネージャ情報・管理テーブル（ＨＤＶＭＧＩ＿ＭＡＴ）３１０内に記録される。
【０１７０】
また、図５６に示した実施例に対応して図５８〜図６０に示すように“先頭エントリ番号”と“終了エントリ番号”の組の情報で、対応したメニュー画面表示時におけるメニュー用オーディオオブジェクトＨＤＭＥＮＵ＿ＡＯＢ内の再生範囲を指定している。
【０１７１】
（Ｈ）上記の特徴を持ち、ユーザに対する表現力を一層向上させると共に、ユーザが使い易いコンテンツを図２に示すように従来のＤＶＤビデオコンテンツが記録されている場所とディレクトリ（フォルダ）を分けて管理している。すなわち、従来のＤＶＤビデオコンテンツは映像情報（ビデオデータ、副映像データ、音声データを総称したビデオオブジェクト）とその映像情報を管理する管理データをまとめてＶＩＤＥＯ＿ＴＳと言う名のディレクトリ（フォルダ）の下にまとめて配置して管理している。
【０１７２】
それに対して（Ａ）〜（Ｇ）の特徴を持つコンテンツを映像とその映像情報を管理する管理データを一緒に図２に示すようにＶＩＤＥＯ＿ＨＤと言う名の別ディレクトリ（フォルダ）内で管理し、情報再生装置の再生制御の利便性を向上させている。
【０１７３】
この発明に対応したＨＤコンテンツではメニュー表示時に同時に出力する音声情報が記録されているＨＤ＿ＭＥＮＵ０．ＨＤＡファイルが存在するが、そのファイルは従来のＤＶＤビデオコンテンツには存在しない。
【０１７４】
また、この発明に対応した情報再生装置では図４８に示すようにグラフィックデコーダ部１１３を持つが、従来のＤＶＤビデオコンテンツを再生する情報再生装置では持っていない。従って、従来のＤＶＤビデオコンテンツとこの発明のＨＤコンテンツを混在再生する場合に、情報再生装置側でコンテンツ毎に使用する回路と制御プログラムを切り替える必要がある。図２に示すように、コンテンツ毎にディレクトリ（フォルダ）を分けることで情報再生装置側でのコンテンツ識別が非常に容易となり、ファイルへのアクセス時に回路と制御プログラムを切り替える処理によりＨＤとＳＤコンテンツの混在再生時に高速でスムーズに切り替え処理が行える。
【０１７５】
《各特徴間の関係（効果説明）》
この発明では（Ａ）、（Ｂ）の特徴を組み合わせることで簡単なオーサリングによりユーザが使い易いコンテンツを提供し、（Ｃ）〜（Ｆ）の特徴を組み合わせてユーザに対するコンテンツ表現力を一層豊かにし、ユーザに対してＤＶＤビデオの魅力を更に高められる。
【０１７６】
具体的に（Ａ）〜（Ｆ）の特徴を組み合わせた効果について２例を上げて説明する。
【０１７７】
〔Ｉ〕ユーザがメニューから最適な言語を選択後、別メニューを使って見たい場所を探す場合の例
この発明の情報再生装置にＨＤのＤＶＤビデオディスク（情報記憶媒体）を装着後、最初に表示される画面（ＦＰ＿ＰＧＣ）でユーザの言語選択用画面が表示される（Ｂ）。この時にユーザが選択する言語を示すハイライト情報に対して従来の矩形とは異なる独自の形状を画面に表示する（Ｅ）ことでユーザが言語選択し易くすることが出来る。例えば、各国の言語を画面に表示する時にハイライト情報の表示範囲を対応する国の地図上の形を表示し、選択すべき言語を読まずにハイライト情報の表示範囲の形状を識別するだけでユーザが希望の言語を指定可能となる。また、地球儀や世界地図で日本が赤く塗りつぶされている場合が多い。従って、グラフィックユニットの表示色を２５６色持たせ（Ｅ）、（日本語を赤く表示するなど）言語毎に対応した色で表示し、ユーザが色を識別しただけで対応言語の識別を可能に出来る。
【０１７８】
また、ユーザが言語選択後にタイトルのサムネール（頭出し位置を指定する先頭画面を示した縮小画像）一覧表に移り、見たい映像場所を探す場合が多い。従来のＤＶＤビデオのメニューでもサムネールの下に頭出し位置を示すテキストが表示されている場合が多い。この時にグラフィックユニットを用いてユーザが見たい場所の検索をより一層容易にすること（Ｅ）も可能となる。すなわち、映像タイトル内で大きく場面が変わる等の大きな切れ目を表す場所にはハイライト情報の表示範囲を“星形”に表示すると共に、その中を赤などの目立つ色で表現し、それよりも下の階層に属し、スキップ先を示す程度の場所を“丸印”で表示すると共に、淡い黄色や薄い青で表現して大きな切れ目は無いようにグラフィカルに表示することが可能となる。
【０１７９】
更に（Ｆ）に掲げた特徴を活用すると、『ユーザが言語選択後にタイトルのサムネール一覧表に移り見たい映像場所を探す』と言う一連の操作の期間中に（言語選択用メニュー画面からタイトルサムネール一覧画面への切り替わり時でも）途切れること無く連続して音声情報を出力することが可能となり、ユーザが気持ちよくメニュー間の切り替えが行える。特に、メニュー用オーディオオブジェクトとして図５６に示したＨＤＭＥＮＵ＿ＡＯＢの構造を利用する事で、少量のオーディオオブジェクトを情報記憶媒体上に記録するだけで異なる複数のメニュー間でこれらを兼用して利用出来ると共に、異なるメニュー間で繰り返し再生するオーディオオブジェクト範囲を微妙に調整することができる。また、ユーザがＰＧＣ＃Ｂに対応したメニュー画面からＰＧＣ＃Ｃに対応したメニュー画面に切り替えた場合に、メニュー画面切り替え終了後しばらくは、（１）ＰＧＣ＃Ｂに対応したメニュー画面の背景音声（バックグランドミュージック）が再生され、（２）ＰＧＣ＃Ｂに対応したメニュー画面の背景音声（バックグランドミュージック）が最後まで終了した後に、（３）連続してＰＧＣ＃Ｃに対応したメニュー画面の背景音声（バックグランドミュージック）が最初から再生され、（４）その後はＰＧＣ＃Ｃに対応したメニュー画面の背景音声（バックグランドミュージック）が指定された範囲内で繰り返し再生される等の効果的な背景音声（バックグランドミュージック）の演出をユーザに提供できる。
【０１８０】
図４８に示す情報再生装置において上記を可能にする具体的な処理方法について説明する。情報再生装置にＨＤのＤＶＤビデオディスク（情報記憶媒体１）を装着すると、ディスクドライブ部１０１が管理情報である図１の（ｅ）に示すＨＤビデオマネージャ情報領域（ＨＤＶＭＧＩ）３１とＨＤビデオタイトルセット情報領域（ＨＤＶＴＳＩ）４１を読み込み、メモリ部１２２に読み込む。例えば、次にＭＰＵ部１２１がメモリ部１２２に一時記憶された内容を解析してプリロード再生対象のオーディオデータＡＯＢの有無を確認する。ＭＰＵ部１２１がプリロード再生対象のオーディオデータＡＯＢが存在すると判定すると、ディスクドライブ部１０１を制御して図１の（ｅ）に示すメニュー用オーディオオブジェクト情報（ＨＤＭＥＮＵ＿ＡＯＢＳ）３３を読み取り、メモリ部１２２に一時保存する。例えば、メニュー用オーディオデータＨＤＭＥＮＵ＿ＡＯＢが図５６の構造を取っていた場合には（オーディオデータＡＯＢの総データ量が比較的小さい場合が多いので）全てのメニュー用オーディオデータＨＤＭＥＮＵ＿ＡＯＢをメモリ部１２２に一時保存し、メニュー画面切り替え時に高速でのオーディオデータＡＯＢの切り替え再生が可能となる。次に、図４に示したファーストプレイＰＧＣＩ（ＦＰ＿ＰＧＣＩ）の情報に従ってユーザに対する言語選択用メニュー画面を表示すると同時に、メモリ部１２２に一時保存されたオーディオデータＡＯＢの再生を開始する。次に、タイトルのサムネール一覧を示す画面にユーザが切り替えた時点で図２７に示すＨＤＶＴＳＭ＿ＰＧＣ＿ＣＡＴ内の音声情報番号が言語選択用メニュー表示時に再生したＡＯＢ番号と一致し、音声情報選択フラグが‘１０ｂ’（ＨＤＭＥＮＵ＿ＡＯＢＳが続けて再生される）を設定された場合には、メニュー画面の切り替えに影響を受けずに引き続き連続してオーディオデータが出力される。
【０１８１】
〔ＩＩ〕映像タイトル再生途中でメニュー画面とボーナスコンテンツを表示した後映像タイトルに戻る場合の例
仮想ＶＡＵ（ＩＶＡＵ）を定義することで静止画像を連続的に再生する複数種類のスライドショーから構成されるマルチアングル、または静止画像のスライドショーと動画から構成されるマルチアングルの再生をシームレスに行える（Ｃ）。また、セルコマンドを実行するセル間の再生をシームレスに再生できる（Ｄ）。このシームレスな再生を管理する管理情報である例えば図２４に示すＨＤＶＴＳ＿ＰＧＣ＿ＣＡＴ内のＲＳＭ許可フラグの設定方法（“０ｂ：許可”の設定）により、上記に示したマルチアングルのシームレス再生途中、またはセルコマンドを実行するセル間でのシームレス再生途中でユーザがメニュー画面を呼び出した後に例えば映画の予告編を表示したり、撮影現場を写すなどのボーナスコンテンツを表示後（但しボーナスコンテンツに対応したＨＤＶＴＳ＿ＰＧＣ＿ＣＡＴ内のＲＳＭ許可フラグを“１ｂ：禁止”に設定した場合）に元に戻した時に、引き続きマルチアングルのシームレス再生またはセルコマンドを実行するセル間でのシームレス再生を継続させることが可能となる（Ａ）。特に、従来のＳＤのＤＶＤビデオ規格上では静止画像のスライドショーと動画から構成されるマルチアングルに対するシームレスな再生が保証されていないが、特徴（Ａ）と（Ｃ）の組み合わせあるいは（Ａ）と（Ｄ）の組み合わせにより、マルチアングル映像再生途中で“メニュー画面”→“ボーナスコンテンツ再生”と画面が飛んだ後に元の静止画像のスライドショーと動画から構成されるマルチアングル映像に戻り、引き続いてシームレス再生を継続させる等の多彩な表現形態が実現できる。
【０１８２】
更にこれらの特徴を組み合わせて多彩な表現形態が示せる例として、
（１）画家の名前が（副映像で）表示され、音声により解説付きで連続的に切り替わる絵画の表示途中で
（２）解説用の音声言語をメニュー画面で切り替え、更に
（３）副映像で同時に表示された画家の名前表示を消すようにメニュー画面で切り替え、
（４）特定の絵画について詳細に説明したボーナス映像を再生した後
（５）メニュー画面に移行する直前の絵画から再生を継続させる
などの処理を行った場合についてこれらの特徴の組み合わせ効果を説明する。従来のＳＤのＤＶＤビデオ規格では（５）の操作に戻った時には『メニュー画面に移行する直前の絵画から再生を継続させる』ことは容易で無く、（５）の操作に戻った時にユーザは最初から絵画をめくる必要があった。無理に直前の絵画からの再生継続を可能にプログラミングした場合には複雑なオーサリング処理が必要となる。また、（２）と（３）を行った時に音声データが途切れること無く連続に再生することは従来のＤＶＤビデオでは不可能であり、特徴（Ｆ）を達成して始めてそれが可能となる。特徴（Ａ）と（Ｃ）と（Ｄ）と（Ｆ）を同時に達成可能なデータ構造を規格上で規定することで、図４８に示す情報再生装置のメモリ部１２２のメモリ容量の設定とメモリ領域内の管理方法の設定を行い、特徴（Ａ）と（Ｃ）と（Ｄ）と（Ｆ）の同時達成を可能とする。すなわち、特徴の（Ａ）に対応してメニュー画面への切り替わり時に、システムパラメータＳＰＲＭの４（タイトル番号）から８（ハイライトボタン番号）の値の設定をすると共に、対応するセル番号情報と該当セルの最初に配置されたナビゲーションパックのアドレス情報、ＶＴＳの番号の情報を記録するメモリ部１２２内の領域を確保し、また図２４のＲＳＭ許可フラグ情報に基づき前記情報の管理を行う。また、（Ｃ）を並列実行するために仮想ビデオアクセスユニットＩＶＡＵに対応したインターリーブユニット（ＩＬＶＵ）分のデータが記録できる場所をメモリ部１２２内に確保する。また、（Ｆ）を達成可能なように事前に一時記憶する（プリロード）音声データの格納領域をメモリ部１２２内に割り当て、図８および図２７に示した音声情報選択フラグと音声情報番号に基づき前記割り当て領域内の管理を行う。特に、メニュー用オーディオオブジェクトＨＤＭＥＮＵ＿ＡＯＢとして図５６に示した構造を利用する事で、少量のオーディオオブジェクトを情報記憶媒体上に記録するだけで異なる複数のメニュー間で兼用して利用出来ると共に、異なるメニュー間で繰り返し再生するオーディオオブジェクト範囲を微妙に調整することができる。この発明実施形態における情報再生装置ではこのようにメモリ部１２２内の管理を行って特徴（Ａ）と（Ｃ）と（Ｄ）と（Ｆ）の同時達成を可能にしている。
【０１８３】
また、特徴（２）と（３）の操作の段階で特徴（Ｅ）を用いてユーザにとって選択メニューを見易く、かつ選択し易いように（従来のＤＶＤビデオ規格上では不可能だった）２５６色の色表現とハイライト情報の表示輪郭を（矩形以外の）独自形状にし、特徴（Ｆ）と組み合わせてユーザに一層の快適感を提供できる。
【０１８４】
また、この発明の実施の形態ではＦＰ＿ＰＧＣでは副映像ストリームを持つことを禁止し、その代わりグラフィックユニットを使用するように規定しているため、ユーザへの言語選択メニュー画面がグラフィックユニットで規定された２５６色表現とハイライト情報を示す画面領域の輪郭形状を（矩形に限らず）多彩に設定できるため、ユーザへの言語選択メニュ画面がより一層選択し易くなる。例えば
○日本語を選ぶ場所では“日本語”と記述されると共に画面領域を“日本地図の形状”にし、その中を地球儀や世界地図でよく使われる“赤”で塗りつぶし、
○英語（米語）を選ぶ場所では“Ｅｎｇｌｉｓｈ”と記述すると共に画面領域を星条旗を意識して“星形”に設定し、
○さらに星条旗の星が入っている部分の色を利用して星の中を“青”で塗りつぶすように表現すると、ユーザは文字を読むまでも無く形や色で言語コードを選択できる。
【０１８５】
上記グラフィックユニットを使用すると同時にＨＤに対応した副映像ストリーム（Ｇ）を併用して活用する事でユーザに対するコンテンツプロバイダーの表現範囲を一層広げる事が可能となる。
【０１８６】
特に、図４に示すように（Ｂ）の特徴を発揮するユーザに対する言語選択用メニューに対する管理情報が記録されているファーストプレイＰＧＣＩ（ＦＰ＿ＰＧＣＩ）の情報が、そして（Ｆ）の特徴を発揮するＨＤＭＥＮＵ＿ＡＯＢＳの先頭アドレス情報ＨＤＭＥＮＵ＿ＡＯＢＳ＿ＳＡとＨＤＶＭＧＭ＿ＡＯＢＳ情報テーブルの先頭アドレス情報ＨＤＭＥＮＵ＿ＡＯＢＳＩＴ＿ＳＡ、（Ｅ）の特徴を発揮するＨＤＶＭＧＭのグラフィックユニットストリーム数情報ＨＤＶＭＧＭ＿ＧＵＳＴ＿ＮｓとＨＤＶＭＧＭのグラフィックユニットストリーム属性情報ＨＤＶＭＧＭ＿ＧＵＳＴ＿ＡＴＲを共通のＨＤビデオマネージャ情報・管理テーブル（ＨＤＶＭＧＩ＿ＭＡＴ）３１０内に配置することで管理が容易となる。また、図５６の構造を採用した場合には、全てのメニュー用オーディオオブジェクトの管理情報がＨＤＭＥＮＵ＿ＡＯＢヘッダ情報記録領域ＡＯＢ＿ＨＩ内に一括管理されているのでより一層管理の簡素化が図れる。その結果、この発明実施形態の情報再生装置において（Ａ）〜（Ｇ）の特徴を同時にあるいは連続してユーザに表現する場合の処理プログラムの簡素化が図れ、情報再生装置の信頼性と安定性が向上させられるばかりで無く、プログラムの簡素化に起因した情報再生装置の低価格化を達成できる。
【０１８７】
同様に図３３、図３４に示すようにこの発明実施形態における（Ａ）の特徴を発揮するＲＳＭ許可フラグフラグ情報、（Ｅ）の特徴を発揮するＰＧＣ・グラフィックユニットストリーム・制御テーブル情報ＰＧＣ＿ＧＵＳＴ＿ＣＴＬＴと（Ｆ）の特徴を発揮する音声情報選択フラグと音声情報番号を共通のプログラムチェーン一般情報（ＰＧＣ＿ＧＩ）５０内に配置することで管理が容易となり、この発明実施形態の情報再生装置において（Ａ）〜（Ｇ）の特徴を同時に、あるいは連続してユーザに表現する場合の処理プログラムの簡素化が図れ、情報再生装置の信頼性と安定性が向上させられるばかりで無く、プログラムの簡素化に起因した情報再生装置の低価格化を達成できる。
【０１８８】
図１にこの発明の実施の形態におけるディスク形状の情報記憶媒体１（図１の（ａ））に記録される情報内容について説明する。図１の（ｂ）に示すように情報記憶媒体１は内周側からリードイン領域１０、データ領域１２，リードアウト領域１３から構成されている。
【０１８９】
情報記憶媒体１ではファイルシステムにＩＳＯ９６６０とＵＤＦのブリッジ構造を採用し、データ領域１２の一部にＩＳＯ９６６０とＵＤＦのボリューム／ファイル構造情報領域１１を持っている。データ領域１２内には図１の（ｃ）に示すようにビデオデータ記録領域２０と一般のコンピュータ情報記録領域２２の混在配置が許されている。ビデオデータ記録領域２０内は図１の（ｄ）に示すようにビデオデータ記録領域２０内に記録されたＨＤのＤＶＤビデオコンテンツ全体に関する管理情報が記録されたＨＤビデオマネージャ記録領域（ＨＤＶＭＧ：ＨＤ対応のビデオマネージャ）３０と、各タイトル毎にまとめられ、各タイトル毎の管理情報と映像情報（ビデオオブジェクト）がまとめて記録されたＨＤビデオタイトルセット記録領域（ＨＤＶＴＳ：ＨＤ対応のビデオタイトルセット）４０から構成されている。
【０１９０】
ＨＤビデオマネージャ記録領域（ＨＤＶＭＧ：ＨＤ対応のビデオマネージャ）３０の中は図１の（ｅ）に示すようにビデオデータ記録領域２０全体に関わる管理情報を示すＨＤビデオマネージャ情報領域（ＨＤＶＭＧＩ：ＨＤ対応のビデオマネージャ情報）３１と、そのバックアップ用としてＨＤビデオマネージャ情報領域（ＨＤＶＭＧＩ：ＨＤ対応のビデオマネージャ情報）３１と全く同じ情報が記録されたＨＤビデオマネージャ情報バックアップ領域（ＨＤＶＭＧＩ＿ＢＵＰ）３４、ビデオデータ記録領域２０全体を示すトップメニュー画面が記録されたメニュー用ビデオオブジェクト領域（ＨＤＶＭＧＭ＿ＶＯＢＳ）３２から構成されている。更に、この発明実施形態ではＨＤビデオマネージャ記録領域３０内に新たにメニュー表示時に平行して出力する音声情報が記録されるメニュー用オーディオオブジェクト領域（ＨＤＭＥＮＵ＿ＡＯＢＳ）３３を新たに設けている。この発明実施形態ではメニュー記述言語コードが設定できる画面をファーストプレイＰＧＣ用言語選択メニューＶＯＢＳ（ＦＰ＿ＰＧＣＭ＿ＶＯＢＳ）３５の領域に記録する。
【０１９１】
各タイトル毎の管理情報と映像情報（ビデオオブジェクト）がまとめて記録された１個のＨＤビデオタイトルセット記録領域（ＨＤＶＴＳ：ＨＤ対応のビデオタイトルセット）４０の内部はＨＤビデオタイトルセット記録領域（ＨＤＶＴＳ：ＨＤ対応のビデオタイトルセット）４０内の全コンテンツに対する管理情報が記録されているＨＤビデオタイトルセット情報領域（ＨＤＶＴＳＩ）４１と、そのバックアップデータでＨＤビデオタイトルセット情報領域（ＨＤＶＴＳＩ）４１と全く同じ情報が記録されたＨＤビデオタイトルセット情報バックアップ領域（ＨＤＶＴＳＩ＿ＢＵＰ）４４、ビデオタイトルセット単位でのメニュー画面の情報が記録されたメニュー用ビデオオブジェクト領域（ＨＤＶＴＳＭ＿ＶＯＢＳ）４２と、このビデオタイトルセット内でのビデオオブジェクト（タイトルの映像情報）データが記録されているタイトル用ビデオオブジェクト領域（ＨＤＶＴＳＴＴ＿ＶＯＢＳ）４３から構成される。
【０１９２】
各領域はＩＳＯ９６６０とＵＤＦのブリッジ構造を持ったファイルシステムではそれぞれ別々のファイルを構成することになる。従来のＳＤのＤＶＤビデオコンテンツは図２に示すように“ＶＩＤＥＯ＿ＴＳ”と言う名のディレクトリ下にまとめて配置されているのに対して、この発明実施形態で示すＨＤのＤＶＤビデオコンテンツはそれとディレクトリを分け、“ＶＩＤＥＯ＿ＨＤ”と言うディレクトリの下にまとめて配置することになる。
【０１９３】
すなわち、このメニュー用オーディオオブジェクト領域３３のファイル構造内での記録場所として、図２に示すようにＶＩＤＥＯ＿ＨＤの共通なディレクトリ（フォルダ）内にＨＤ＿ＭＥＮＵ０．ＨＤＡファイルとして独自のファイル内に記録する。また、ファーストプレイＰＧＣ用言語選択メニューＶＯＢＳ（ＦＰ＿ＰＧＣＭ＿ＶＯＢＳ）３５の領域内の最初にメニュー記述言語コードを設定する画面データ（ビデオデータ）を単独ファイルとして独立させ、ファイル名をＨＤ＿ＦＰＰＧＣ．ＨＤＶとする。また、ＨＤビデオマネージャ情報領域（ＨＤＶＭＧＩ：ＨＤ対応のビデオマネージャ情報）３１はＨＤ＿ＶＭＧ００．ＨＤＩファイル内、ＨＤビデオマネージャ情報バックアップ領域（ＨＤＶＭＧＩ＿ＢＵＰ）３４はＨＤ＿ＶＭＧ００．ＢＵＰファイル内、メニュー用ビデオオブジェクト領域（ＨＤＶＭＧＭ＿ＶＯＢＳ）３２はＨＤ＿ＶＭＧ０１．ＨＤＶファイル内、ＨＤビデオタイトルセット情報領域（ＨＤＶＴＳＩ）４１はＶＴＳ００１００．ＩＦＯファイル内、ＨＤビデオタイトルセット情報バックアップ領域（ＨＤＶＴＳＩ＿ＢＵＰ）４４はＶＴＳ００１００．ＢＵＰファイル内、メニュー用ビデオオブジェクト領域（ＨＤＶＴＳＭ＿ＶＯＢＳ）４２はＶＴＳ００１００．ＨＤＶファイル内、タイトル用ビデオオブジェクト領域（ＨＤＶＴＳＴＴ＿ＶＯＢＳ）４３はＶＴＳ００１０１．ＨＤＶファイルやＶＴＳ００１０２．ＨＤＶファイル内とそれぞれ個別のファイル内に格納される。
【０１９４】
図１の（ｅ）に示すＨＤビデオマネージャ情報領域（ＨＤＶＭＧＩ）３１内の詳細なデータ構造を図３に示す。
【０１９５】
メニュー用オーディオオブジェクト領域（ＨＤＭＥＮＵ＿ＡＯＢＳ）３３のオブジェクトに対する管理データを図３に示すようにＨＤビデオマネージャ情報領域（ＨＤＶＭＧＩ）３１内のＨＤメニュー・オーディオオブジェクトセット情報テーブル（ＨＤＭＥＮＵ＿ＡＯＢＳＩＴ）３１８内に記録する。ＨＤビデオマネージャ情報・管理テーブル（ＨＤＶＭＧＩ＿ＭＡＴ）３１０からＨＤビデオマネージャメニュービデオオブジェクトユニットアドレスマップ（ＨＤＶＭＧＭ＿ＶＯＢＵ＿ＡＤＭＡ）３１７までのデータ構造は従来のＳＤのＤＶＤビデオの管理情報と一致している。この発明実施形態では新規に追加するＨＤメニュー・オーディオオブジェクトセット情報テーブル（ＨＤＭＥＮＵ＿ＡＯＢＳＩＴ）３１８を従来のＤＶＤビデオの管理情報と一致している部分と分けてその後ろに配置することで、従来のＳＤのＤＶＤビデオの管理情報を使った従来の制御プログラムの兼用使用を可能としてこの発明の実施の形態に対応した情報再生装置の制御プログラムの簡素化を図ることができる。
【０１９６】
また、ＨＤビデオマネージャ情報領域（ＨＤＶＭＧＩ）３１内には他にビデオデータ記録領域２０内に記録されたＨＤのＤＶＤビデオコンテンツ全体に共通する管理情報を纏めて記録したＨＤビデオマネージャ情報・管理テーブル（ＨＤＶＭＧＩ＿ＭＡＴ）情報３１０、ＨＤのＤＶＤビデオコンテンツ内に存在する各タイトルの検索（頭出し位置検出）に役立つ情報が記録されたタイトルサーチポインタテーブル（ＴＴ＿ＳＲＰＴ）情報３１１、メニューを表示するメニュー記述言語コード毎に分けられて配置されたメニュー画面の管理情報が記録されているＨＤビデオマネージャメニュー・ＰＧＣＩ・ユニットテーブル（ＨＤＶＭＧＭ＿ＰＧＣＩ＿ＵＴ）情報３１２、子供に見せられる映像と見せられない映像をパレンタル情報として管理する情報が記録されたパレンタル管理情報テーブル（ＰＴＬ＿ＭＡＩＴ）情報３１３、タイトルセットの属性に関してまとめて記録されているＨＤビデオタイトルセット属性情報テーブル（ＨＤＶＴＳ＿ＡＴＲＴ）情報３１４、ユーザに表示するテキスト情報がまとまって記録されたテキストデータマネージャ（ＴＸＴＤＴ＿ＭＧ）情報３１５、メニュー画面を構成するセルの先頭アドレスの検索に役立つ情報が記録されたＨＤビデオマネージャメニューセルアドレステーブル（ＨＤＶＭＧＭ＿Ｃ＿ＡＤＴ）情報３１６、メニュー画面を構成するビデオオブジェクトの最小単位を示すＶＯＢＵのアドレス情報が記録されたＨＤビデオマネージャメニュービデオオブジェクトユニットアドレスマップ（ＨＤＶＭＧＭ＿ＶＯＢＵ＿ＡＤＭＡＰ）情報３１７が存在する。
【０１９７】
図３のＨＤビデオマネージャ情報・管理テーブル（ＨＤＶＭＧＩ＿ＭＡＴ）３１０内の詳細なデータ構造を図４に示す。
【０１９８】
図４に示すように（Ｂ）の特徴を発揮するユーザに対する言語選択用メニューに対する管理情報が記録されているファーストプレイＰＧＣＩ（ＦＰ＿ＰＧＣＩ）の情報が、そして（Ｆ）の特徴を発揮するＨＤＭＥＮＵ＿ＡＯＢＳの先頭アドレス情報（ＨＤＭＥＮＵ＿ＡＯＢＳ＿ＳＡ）とＨＤＶＭＧＭ＿ＡＯＢＳ情報テーブルの先頭アドレス情報（ＨＤＭＥＮＵ＿ＡＯＢＳＩＴ＿ＳＡ）、（Ｅ）の特徴を発揮するＨＤＶＭＧＭのグラフィックユニットストリーム数情報（ＨＤＶＭＧＭ＿ＧＵＳＴ＿Ｎｓ）とＨＤＶＭＧＭのグラフィックユニットストリーム属性情報（ＨＤＶＭＧＭ＿ＧＵＳＴ＿ＡＴＲ）を共通のＨＤビデオマネージャ情報・管理テーブル（ＨＤＶＭＧＩ＿ＭＡＴ）３１０内に配置する。
【０１９９】
また、ＨＤビデオマネージャ情報・管理テーブル（ＨＤＶＭＧＩ＿ＭＡＴ）３１０内にはその他にＨＤビデオマネージャ識別子（ＨＤＶＭＧ＿ＩＤ）、ＨＤビデオマネージャの終了アドレス（ＨＤＶＭＧ＿ＥＡ）、ＨＤビデオマネージャ情報の終了アドレス（ＨＤＶＭＧＩ＿ＥＡ）、ＨＤ−ＤＶＤビデオ規格のバージョン番号（ＶＥＲＮ）、ＨＤビデオマネージャカテゴリ（ＨＤＶＭＧ＿ＣＡＴ）、ボリュームセット識別子（ＶＬＭＳ＿ＩＤ）、アダプテーション識別子（ＡＤＰ＿ＩＤ）、ＨＤビデオタイトルセットの数（ＨＤＶＴＳ＿Ｎｓ）、プロバイダ独自の識別子（ＰＶＲ＿ＩＤ）、ＰＯＳコード（ＰＯＳ＿ＣＤ）、ＨＤビデオマネージャ情報・管理テーブルの終了アドレス（ＨＤＶＭＧＩ＿ＭＡＴ＿ＥＡ）、ファーストプレイプログラムチェーン情報の先頭アドレス（ＦＰ＿ＰＧＣＩ＿ＳＡ）、ＨＤＶＭＧＭ＿ＶＯＢＳの先頭アドレス（ＨＤＶＭＧＭ＿ＶＯＢＳ＿ＳＡ）、ＴＴ＿ＳＲＰＴの先頭アドレス（ＴＴ＿ＳＲＰＴ＿ＳＡ）、ＨＤＶＭＧＭ＿ＰＧＣＩ＿ＵＴの先頭アドレス（ＨＤＶＭＧＭ＿ＰＧＣＩ＿ＵＴ＿ＳＡ）、ＰＴＬ＿ＭＡＩＴの先頭アドレス（ＰＴＬ＿ＭＡＩＴ＿ＳＡ）、ＨＤＶＴＳ＿ＡＴＲＴの先頭アドレス（ＨＤＶＴＳ＿ＡＴＲＴ＿ＳＡ）、ＴＸＴＤＴ＿ＭＧの先頭アドレス（ＴＸＴＤＴ＿ＭＧ＿ＳＡ）、ＨＤＶＭＧＭ＿Ｃ＿ＡＤＴの先頭アドレス（ＨＤＶＭＧＭ＿Ｃ＿ＡＤＴ＿ＳＡ）、ＨＤＶＭＧＭ＿ＶＯＢＵ＿ＡＤＭＡＰの先頭アドレス（ＨＤＶＭＧＭ＿ＶＯＢＵ＿ＡＤＭＡＰ＿ＳＡ）、ＨＤＶＭＧＭのビデオ属性（ＨＤＶＭＧＭ＿Ｖ＿ＡＴＲ）、ＨＤＶＭＧＭのオーディオストリーム数（ＨＤＶＭＧＭ＿ＡＳＴ＿Ｎｓ）、ＨＤＶＭＧＭのオーディオストリーム属性（ＨＤＶＭＧＭ＿ＡＳＴ＿ＡＴＲ）、ＨＤＶＭＧＭのサブピクチャストリーム数（ＨＤＶＭＧＭ＿ＳＰＳＴ＿Ｎｓ）、ＨＤＶＭＧＭのサブピクチャストリーム属性（ＨＤＶＭＧＭ＿ＳＰＳＴ＿ＡＴＲ）の各種情報が記録されている。
【０２００】
図４に示した（ＶＭＧＭ＿ＥＶＯＢＳ用）グラフィックストリーム属性（ＨＤＶＭＧＭ＿ＧＵＳＴ＿ＡＴＲＴ）は１６ビットの情報であり、ｂ１５−ｂ１４はグラフィック圧縮モード、ｂ１３はＧＲ＿ＥＸＳＴフラグ、他はリザーブである。グラフィック圧縮モードは非圧縮の場合、‘００ｂ’がセットされ、他はリザーブとされる。ＧＲ＿ＥＸＳＴフラグはグラフィックストリームが存在するか否かを記述し、グラフィックストリームが存在しない場合、‘０ｂ’がセットされ、グラフィックストリームが存在する場合、‘１ｂ’がセットされ、他はリザーブである。
【０２０１】
ＨＤビデオマネージャ情報管理テーブル（ＨＤＶＭＧＩ＿ＭＡＴ）３１０内の詳細なデータ構造（図４）の変形例を図７９に示す。
【０２０２】
図７９はＨＤビデオマネージャ情報管理テーブルＨＤＶＭＧＩ＿ＭＡＴの内容を示す。
【０２０３】
このテーブルはビデオマネージャＶＭＧと、ビデオマネージャ情報ＶＭＧＩのサイズ、ビデオマネージャＶＭＧ内の各情報の先頭アドレス、ビデオマネージャメニュ−のためのエンハンスドビデオオブジェクトセットＶＭＧＭ＿ＥＶＯＢＳの属性情報等を記述する。
【０２０４】
ＶＭＧ＿ＩＤ：ＶＭＧ識別子
ＶＭＧ＿ＥＡ：ＶＭＧの終了アドレス
ＶＭＧＩ＿ＥＡ：ＶＭＧＩの終了アドレス
ＶＥＲＮ：ＤＶＤ：ビデオ規格のバージョン番号
ＶＭＧ＿ＣＡＴ：ビデオマネージャカテゴリ
ＶＬＭＳ＿ＩＤ：ボリュームセット識別子
ＡＤＰ＿ＩＤ：アダプテーション識別子
ＶＴＳ＿Ｎｓ：ビデオタイトルセット数
ＰＶＲ＿ＩＤ：プロバイダ独自の識別子
ＰＯＳ＿ＣＤ：ＰＯＳコード
ＶＭＧＩ＿ＭＡＴ＿ＥＡ：ＶＭＧＩ＿ＭＡＴの終了アドレス
ＦＰ＿ＰＧＣＩ＿ＳＡ：ＦＰ＿ＰＧＣＩの先頭アドレス
ＥＡＯＢＳ＿ＳＡ：ＥＡＯＢＳの先頭アドレス
ＦＰ＿ＰＧＣＭ＿ＥＶＯＢ＿ＳＡ：ＦＰ＿ＰＧＣＭ＿ＥＶＯＢの先頭アドレス
ＶＭＧＭ＿ＥＶＯＢＳ＿ＳＡ：ＶＭＧＭ＿ＥＶＯＢＳの先頭アドレス
ＴＴ＿ＳＲＰＴ＿ＳＡ：ＴＴ＿ＳＲＰＴの先頭アドレス
ＶＭＧＭ＿ＰＧＣＩ＿ＵＴ＿ＳＡ：ＶＭＧＭ＿ＰＧＣＩ＿ＵＴの先頭アドレス
ＰＴＬ＿ＭＡＩＴ＿ＳＡ：ＰＴＬ＿ＭＡＩＴの先頭アドレス
ＶＴＳ＿ＡＴＲＴ＿ＳＡ：ＶＴＳ＿ＡＴＲＴの先頭アドレス
ＴＸＴＤＴ＿ＭＧ＿ＳＡ：ＴＸＴＤＴ＿ＭＧの先頭アドレス
ＦＰ＿ＰＧＣＭ＿Ｃ＿ＡＤＴ＿ＳＡ：ＦＰ＿ＰＧＣＭ＿Ｃ＿ＡＤＴの先頭アドレス
ＦＰ＿ＰＧＣＭ＿ＥＶＯＢＵ＿ＡＤＭＡＰ＿ＳＡ：ＦＰ＿ＰＧＣＭ＿ＥＶＯＢＵ＿ＡＤＭＡＰの先頭アドレス
ＶＭＧＭ＿Ｃ＿ＡＤＴ＿ＳＡ：ＶＭＧＭ＿Ｃ＿ＡＤＴの先頭アドレス
ＶＭＧＭ＿ＥＶＯＢＵ＿ＡＤＭＡＰ＿ＳＡ：ＶＭＧＭ＿ＥＶＯＢＵ＿ＡＤＭＡＰの先頭アドレス
ＶＭＧＭ＿ＡＧＬ＿Ｎｓ：ＶＭＧＭのアングル数
ＶＭＧＭ＿Ｖ＿ＡＴＲ：ＶＭＧＭのビデオ属性
ＶＭＧＭ＿ＡＳＴ＿Ｎｓ：ＶＭＧＭのオーディオストリーム数
ＶＭＧＭ＿ＡＳＴ＿ＡＴＲＴ：ＶＭＧＭのオーディオストリーム属性テーブル
ＶＭＧＭ＿ＳＰＳＴ＿Ｎｓ：ＶＭＧＭのサブピクチャストリーム数
ＶＭＧＭ＿ＳＰＳＴ＿ＡＴＲＴ：ＶＭＧＭのサブピクチャストリーム属性テーブル
ＶＭＧＭ＿ＧＲＳＴ＿ＡＴＲ：ＶＭＧＭのグラフィックストリーム属性
ＦＰ＿ＰＧＣＭ＿Ｖ＿ＡＴＲ：ＦＰ＿ＰＧＣＭのビデオ属性
ＦＰ＿ＰＧＣＭ＿ＡＳＴ＿Ｎｓ：ＦＰ＿ＰＧＣＭのオーディオストリーム数
ＦＰ＿ＰＧＣＭ＿ＡＳＴ＿ＡＴＲＴ：ＦＰ＿ＰＧＣＭのオーディオストリーム属性テーブル
ＦＰ＿ＰＧＣＭ＿ＳＰＳＴ＿Ｎｓ：ＦＰ＿ＰＧＣＭのサブピクチャストリーム数
ＦＰ＿ＰＧＣＭ＿ＳＰＳＴ＿ＡＴＲＴ：ＦＰ＿ＰＧＣＭのサブピクチャストリーム属性テーブル
ＦＰ＿ＰＧＣＭ＿ＧＲＳＴ＿ＡＴＲ：ＦＰ＿ＰＧＣＭのグラフィックストリーム属性
ＥＡＯＢ＿Ｎｓ：ＥＡＯＢｓ数
ＥＡＯＢＳ＿ＡＴＲ：ＥＡＯＢＳのオーディオデータ属性
ＦＰ＿ＰＧＣ＿ＣＡＴ：ＦＰ＿ＰＧＣカテゴリ
ＦＰ＿ＰＧＣＩ：ファーストプレイ  ＰＧＣＩ
ここで、ＶＭＧＭのサブピクチャストリーム数ＶＭＧＭ＿ＳＰＳＴ＿Ｎｓは図４のＨＤＶＭＧＭ＿ＳＰＳＴ＿Ｎｓと同じである。ＶＭＧＭのサブピクチャストリーム属性テーブルＶＭＧＭ＿ＳＰＳＴ＿ＡＴＲＴは図４のＨＤＶＭＧＭ＿ＳＰＳＴ＿ＡＴＲに対応する。ＶＭＧＭのグラフィックストリーム属性ＶＭＧＭ＿ＧＲＳＴ＿ＡＴＲは図４のＨＤＶＭＧＭ＿ＧＵＳＴ＿ＡＴＲと同じである。
【０２０５】
図３に示したタイトルサーチポインタテーブル（ＴＴ＿ＳＲＰＴ）３１１内のデータ構造を図５に示す。タイトルサーチポインタテーブル（ＴＴ＿ＳＲＰＴ）３１１はタイトルサーチポインタテーブル情報（ＴＴ＿ＳＲＰＴＩ）３１１ａとタイトルサーチポインタ（ＴＴ＿ＳＲＰ）情報３１１ｂから構成されている。タイトルサーチポインタテーブル（ＴＴ＿ＳＲＰＴ）３１１内のタイトルサーチポインタ（ＴＴ＿ＳＲＰ）情報３１１ｂはＨＤのＤＶＤビデオコンテンツ内に含まれるタイトル数に応じて複数個を任意数だけ設定できる。タイトルサーチポインタテーブル情報（ＴＴ＿ＳＲＰＴＩ）３１１ａはタイトルサーチポインタテーブル（ＴＴ＿ＳＲＰＴ）３１１の共通管理情報が記録され、このタイトルサーチポインタテーブル（ＴＴ＿ＳＲＰＴ）３１１内に含まれるタイトルサーチポインタの数（ＴＴ＿ＳＲＰ＿Ｎｓ）情報と、ＨＤビデオマネージャ情報領域（ＨＤＶＭＧＩ）のファイル（図２のＨＤ＿ＶＭＧ００．ＨＤＩ）内でのこのタイトルサーチポインタテーブル（ＴＴ＿ＳＲＰＴ）３１１の終了アドレス（ＴＴ＿ＳＲＰＴ＿ＥＡ）情報が記録される。
【０２０６】
また、１個のタイトルサーチポインタ（ＴＴ＿ＳＲＰ）情報３１１ｂ内にはこのサーチポインタが示すタイトルに関するタイトルプレイバックタイプ（ＴＴ＿ＰＢ＿ＴＹ）、アングル数（ＡＧＬ＿Ｎｓ）、Ｐａｒｔ＿ｏｆ＿Ｔｉｔｌｅ（ＰＴＴ）の数（ＰＴＴ＿Ｎｓ）、タイトル用Ｐａｒｅｎｔａｌ＿ＩＤ＿Ｆｉｅｌｄ（ＴＴ＿ＰＴＬ＿ＩＤ＿ＦＬＤ）情報、ＨＤＶＴＳ番号（ＨＤＶＴＳＮ）、ＨＤＶＴＳタイトル番号（ＨＤＶＴＳ＿ＴＴＮ）、本ＨＤＶＴＳの先頭アドレス（ＨＤＶＴＳ＿ＳＡ）の各種情報が記録される。
【０２０７】
次に、図３に示したＨＤビデオマネージャメニュー・ＰＧＣＩ・ユニットテーブル（ＨＤＶＭＧＭ＿ＰＧＣＩ＿ＵＴ）３１２内のデータ構造を図６に示す。ＨＤビデオマネージャメニュー・ＰＧＣＩ・ユニットテーブル（ＨＤＶＭＧＭ＿ＰＧＣＩ＿ＵＴ）３１２内はＨＤビデオマネージャメニュー・ＰＧＣＩ・ユニットテーブル（ＨＤＶＭＧＭ＿ＰＧＣＩ＿ＵＴ）３１２内の共通管理情報が記録されているＨＤビデオマネージャメニュー・プログラムチェーン情報ユニットテーブル情報（ＨＤＶＭＧＭ＿ＰＧＣＩ＿ＵＴＩ）３１２ａとメニューを表示するメニュー記述言語コード毎にまとめられ、メニュー情報に関する管理情報が記録されたＨＤビデオマネージャメニュー・言語ユニット（ＨＤＶＭＧＭ＿ＬＵ）３１２ｃが記録されている。ＨＤのＤＶＤビデオコンテンツでサポートするメニュー記述言語コードの数だけＨＤビデオマネージャメニュー・言語ユニット（ＨＤＶＭＧＭ＿ＬＵ）３１２ｃの情報を持つ。また、ＨＤビデオマネージャメニュー・ＰＧＣＩ・ユニットテーブル（ＨＤＶＭＧＭ＿ＰＧＣＩ＿ＵＴ）３１２内では各メニュー記述言語コード毎のＨＤビデオマネージャメニュー・言語ユニット（ＨＤＶＭＧＭ＿ＬＵ）３１２ｃへのアクセスを容易にするため、各ＨＤビデオマネージャメニュー・言語ユニット（ＨＤＶＭＧＭ＿ＬＵ）３１２ｃの先頭アドレス情報を持つＨＤビデオマネージャメニュー・言語ユニットサーチポインタ（ＨＤＶＭＧＭ＿ＬＵ＿ＳＲＰ）の情報３１２ｂを各ＨＤビデオマネージャ言語ユニット（ＨＤＶＭＧＭ＿ＬＵ）３１２ｃの数だけ持っている。
【０２０８】
ＨＤビデオマネージャメニュー・ＰＧＣＩ・ユニットテーブル（ＨＤＶＭＧＭ＿ＰＧＣＩ＿ＵＴ）３１２内にはＨＤビデオマネージャメニュー・言語ユニットの数（ＨＤＶＭＧＭ＿ＬＵ＿Ｎｓ）情報とＨＤビデオマネージャ情報領域（ＨＤＶＭＧＩ）のファイル（図２のＨＤ＿ＶＭＧ００．ＨＤＩ）内でのこのＨＤビデオマネージャメニュー・ＰＧＣＩ・ユニットテーブル（ＨＤＶＭＧＭ＿ＰＧＣＩ＿ＵＴ）３１２の終了アドレス（ＨＤＶＭＧＭ＿ＰＧＣＩ＿ＵＴ＿ＥＡ）情報を持つ。
【０２０９】
また、ＨＤビデオマネージャメニュー・言語ユニットサーチポインタ（ＨＤＶＭＧＭ＿ＬＵ＿ＳＲＰ）の情報３１２ｂ内には、上述したようにＨＤビデオマネージャ情報領域（ＨＤＶＭＧＩ）のファイル（図２のＨＤ＿ＶＭＧ００．ＨＤＩ）内でのＨＤビデオマネージャメニュー・ＰＧＣＩ・ユニットテーブル（ＨＤＶＭＧＭ＿ＰＧＣＩ＿ＵＴ）３１２の先頭位置から対応するＨＤビデオマネージャメニュー・言語ユニット（ＨＤＶＭＧＭ＿ＬＵ）３１２ｃの先頭位置までの差分アドレス情報（ＨＤＶＭＧＭ＿ＵＴ＿ＳＡ）を持つだけでなく、対応するＨＤビデオマネージャメニュー・言語ユニット（ＨＤＶＭＧＭ＿ＬＵ）３１２ｃのメニュー記述言語コードを示すＨＤビデオマネージャメニュー言語コード（ＨＤＶＭＧＭ＿ＬＣＤ）の情報と、対応するＨＤビデオマネージャメニュー・言語ユニット（ＨＤＶＭＧＭ＿ＬＵ）３１２ｃがユーザに表示するメニュー画面をＶＯＢとして持つか否かを示すＨＤビデオマネージャメニューの有無（ＨＤＶＭＧＭ＿ＥＸＳＴ）情報も有している。
【０２１０】
図３に示したＨＤビデオマネージャメニューＰＧＣＩ（ＨＤＶＭＧＭ＿ＰＧＣＩ＿ＵＴ）３１２内に記録されるＨＤビデオマネージャメニュー・言語ユニット＃ｎ（ＨＤＶＭＧＭ＿ＬＵ  ＃ｎ）３１２ｃ（図６）内の詳細なデータ構造を図７に示す。
【０２１１】
ＨＤビデオマネージャメニュー・言語ユニット（ＨＤＶＭＧＭ＿ＬＵ）３１２ｃ内は、ＨＤビデオマネージャメニュー・言語ユニット（ＨＤＶＭＧＭ＿ＬＵ）３１２ｃ内のメニューに関する共通の管理情報が記録されたＨＤビデオマネージャメー言語ユニット情報（ＨＤＶＭＧＭ＿ＬＵＩ）３１２ｃ１と、図７に示した構造を有するＨＤビデオマネージャメニュー・プログラムチェーン情報（ＨＤＶＭＧＭ＿ＰＧＣＩ）３１２ｃ３と、ＨＤビデオマネージャ情報領域（ＨＤＶＭＧＩ）のファイル（図２のＨＤ＿ＶＭＧ００．ＨＤＩ）内でのＨＤビデオマネージャメニュー・言語ユニット（ＨＤＶＭＧＭ＿ＬＵ）３１２ｃ先頭位置から各ＨＤビデオマネージャメニュー・プログラムチェーン情報（ＨＤＶＭＧＭ＿ＰＧＣＩ）３１２ｃ３の先頭位置までの差分アドレスを示すＨＤＶＭＧＭ＿ＰＧＣＩサーチポインタ（ＨＤＶＭＧＭ＿ＰＧＣＩ＿ＳＲＰ  ＃１）の情報３１２ｃ２の各情報を持つ。
【０２１２】
ＨＤビデオマネージャメニュー・言語ユニット＃ｎ（ＨＤＶＭＧＭ＿ＬＵ  ＃ｎ）３１２ｃ内の最初の領域（グループ）に配置されるＨＤビデオマネージャメニュー言語ユニット情報（ＨＤＶＭＧＭ＿ＬＵＩ）３１２ｃ１内はＨＤＶＭＧＭ＿ＰＧＣＩ＿ＳＲＰの数（ＨＤＶＭＧＭ＿ＰＧＣＩ＿ＳＲＰ＿Ｎｓ）に関する情報とＨＤＶＭＧＭ＿ＬＵの終了アドレス（ＨＤＶＭＧＭ＿ＬＵ＿ＥＡ）情報を有し、ＨＤＶＭＧＭ＿ＰＧＣＩサーチポインタ（ＨＤＶＭＧＭ＿ＰＧＣＩ＿ＳＲＰ  ＃１）の情報３１２ｃ２はＨＤＶＭＧＭ＿ＰＧＣＩの先頭アドレス（ＨＤＶＭＧＭ＿ＰＧＣＩ＿ＳＡ）情報とＨＤＶＭＧＭ＿ＰＧＣカテゴリ（ＨＤＶＭＧＭ＿ＰＧＣ＿ＣＡＴ）情報を持つ。
【０２１３】
ＨＤＶＭＧＭ＿ＰＧＣＩサーチポインタ＃ｎ（ＨＤＶＭＧＭ＿ＰＧＣＩ＿ＳＲＰ  ＃ｎ）３１２ｃ２内のＨＤＶＭＧＭ＿ＰＧＣカテゴリ情報（ＨＤＶＭＧＭ＿ＰＧＣ＿ＣＡＴ）内にこの発明におけるＨＤコンテンツのメニューを画面表示した時に同時に再生する音声情報の選択情報と、音声情報再生の開始・終了トリガー情報を示す音声情報選択フラグ（音声情報選択）が記録される。この発明におけるＨＤコンテンツのメニューを画面表示した時に同時に再生する音声データとして、
（１）図１の（ｅ）に示したメニュー用ビデオオブジェクト領域（ＨＤＶＭＧＭ＿ＶＯＢＳ）３２内に記録されたオーディオデータ（図示してないがオーディオパック内に分散記録されている）、
（２）図１の（ｅ）に示したメニュー用オーディオオブジェクト領域（ＨＤＭＥＭＵ＿ＡＯＢＳ）３３内に存在し、図１９に示すように１個以上のメニュー用ＡＯＢ（ＨＤＭＥＮＵ＿ＡＯＢ）が順番に並んで配置されたオーディオデータ、
のいずれかを選択できる。
【０２１４】
ここで音声情報選択フラグ（音声情報選択）の‘００ｂ’を選択した時には、（１）のオーディオデータが再生され、メニューの切り替わり時に音声再生が途切れる。また、音声情報選択フラグ（音声情報選択）の‘１０ｂ’または‘１１ｂ’を選択した時には、（２）に示したメニュー用オーディオオブジェクト領域（ＨＤＭＥＭＵ＿ＡＯＢＳ）３３内に存在するメニュー用ＡＯＢ（ＨＤＭＥＮＵ＿ＡＯＢ）のオーディオデータが再生される。（２）に示したオーディオデータを再生する場合には‘１１ｂ’を指定した場合にはメニュー画面の変更毎にオーディオデータが最初から再生を開始し、‘１０ｂ’を指定した場合にはメニュー画面の切り替えに関わらず連続してオーディオデータの再生が続けられる。この発明実施形態では図１９に示すようにメニュー用オーディオオブジェクト領域（ＨＤＭＥＮＵ＿ＡＯＢＳ）３３内に複数種類のメニュー用ＡＯＢ（ＨＤＭＥＮＵ＿ＡＯＢ）を格納しておくことができる。図８に示した音声情報番号は該当するメニュー表示用ＰＧＣを表示する時に同時に再生するメニュー用ＡＯＢ（ＨＤＭＥＮＵ＿ＡＯＢ）の選択情報を示している。メニュー用ＡＯＢの選択情報として図１９に配置されているメニュー用ＡＯＢの中で“上から何番目のＡＯＢを選択するか”の番号情報で選択する。
【０２１５】
図８に示すように、ＨＤＶＭＧＭ＿ＰＧＣカテゴリ（ＨＤＶＭＧＭ＿ＰＧＣ＿ＣＡＴ）情報内には、エントリＰＧＣか否かを判別するエントリタイプ情報、メニューの識別を表す（例えばタイトルのメニューか等）メニューＩＤ情報、ブロックモード情報、ブロックタイプ情報、ＰＴＬ＿ＩＤ＿ＦＬＤ情報が記録されている。
【０２１６】
図３に示したパレンタルマネジメント（管理）情報テーブル（ＰＴＬ＿ＭＡＩＴ）３１３内のデータ構造を図９に示す。パレンタル管理情報テーブル情報（ＰＴＬ＿ＭＡＩＴＩ）３１３ａ内には国の数（ＣＴＹ＿Ｎｓ）、ＨＤＶＴＳの数（ＨＤＶＴＳ＿Ｎｓ）、ＰＴＬ＿ＭＡＩＴの終了アドレス（ＰＴＬ＿ＭＡＩＴ＿ＥＡ）のそれぞれの情報が記録され、パレンタル管理情報サーチポインタ（ＰＴＬ＿ＭＡＩ＿ＳＲＰ）３１３ｂは国コード（ＣＴＹ＿ＣＤ）とＰＴＬ＿ＭＡＩの先頭アドレス（ＰＴＬ＿ＭＡＩ＿ＳＡ）の情報を持つ。
【０２１７】
また、図９に示したパレンタル管理情報（ＰＴＬ＿ＭＡＩ）３１３ｃ内のデータ構造は図１０に示すようにパレンタルレベル情報（ＰＴＬ＿ＬＶＬＩ）３１３ｃ１を有し、パレンタルレベル情報（ＰＴＬ＿ＬＶＬＩ）３１３ｃ１内にはＨＤＶＭＧ用Ｐａｒｅｎｔａｌ＿ＩＤ＿Ｆｉｅｌｄ（ＰＴＬ＿ＩＤ＿ＦＬＤ＿ＨＤＶＭＧ）３１３ｃ１１とＨＤＶＴＳ用Ｐａｒｅｎｔａｌ＿ＩＤ＿Ｆｉｅｌｄ（ＰＴＬ＿ＩＤ＿ＦＬＤ＿ＨＤＶＴＳ）３１３ｃ１２の情報を有し、更にＨＤＶＴＳ用Ｐａｒｅｎｔａｌ＿ＩＤ＿Ｆｉｅｌｄ（ＰＴＬ＿ＩＤ＿ＦＬＤ＿ＨＤＶＴＳ）３１３ｃ１２の情報内にはＰＧＣ選択用Ｐａｒｅｎｔａｌ＿ＩＤ＿Ｆｉｅｌｄ（ＰＴＬ＿ＩＤ＿ＦＬＤ）が存在する。
【０２１８】
図３に示したＨＤビデオタイトルセット属性情報テーブル（ＨＤＶＴＳ＿ＡＴＲＴ）３１４の中は図１１に示すように、
・ＨＤＶＴＳの数（ＨＤＶＴＳ＿Ｎｓ）とＨＤＶＴＳ＿ＡＴＲＴの終了アドレス（ＨＤＶＴＳ＿ＡＴＲＴ＿ＥＡ）の情報を持つＨＤビデオタイトルセット属性テーブル情報（ＨＤＶＴＳ＿ＡＴＲＴＩ）３１４ａ、
・ＨＤＶＴＳ＿ＡＴＲの先頭アドレス（ＨＤＶＴＳ＿ＡＴＲ＿ＳＡ）の情報が記録されたＨＤＶＴＳ用ビデオタイトルセット属性サーチポインタ（ＨＤＶＴＳ＿ＡＴＲ＿ＳＲＰ）３１４ｂ、
・ＨＤＶＴＳ＿ＡＴＲの終了アドレス（ＨＤＶＴＳ＿ＡＴＲＴ＿ＥＡ）とＨＤビデオタイトルセットのカテゴリ（ＨＤＶＴＳ＿ＣＡＴ）とＨＤビデオタイトルセットの属性情報（ＨＤＶＴＳ＿ＡＴＲＩ）の各情報を有するＨＤＶＴＳ用ビデオタイトルセット属性（ＨＤＶＴＳ＿ＡＴＲ）３１４ｃと、
から構成される。
【０２１９】
図３に示したテキストデータマネージャ（ＴＸＴＤＴ＿ＭＧ）３１５の中は図１２に示すように、
・テキストデータ識別子（ＴＸＴＤＴ＿ＩＤ）とＴＸＴＤＴ＿ＬＵの数（ＴＸＴＤＴ＿ＬＵ＿Ｎｓ）とテキストデータマネージャの終了アドレス（ＴＸＴＤＴ＿ＭＧ＿ＥＡ）の各情報を有するテキストデータマネージャ情報（ＴＸＴＤＴ＿ＭＧＩ）３１５ａ、
・テキストデータ言語コード（ＴＸＴＤＴ＿ＬＣＤ）とキャラクタセット（ＣＨＲＳ）とＴＸＴＤＴ＿ＬＵの先頭アドレス（ＴＸＴＤＴ＿ＬＵ＿ＳＡ）の各種情報が記録されたテキストデータ言語ユニットサーチポインタ（ＴＸＴＤＴ＿ＬＵ＿ＳＲＰ）３１５ｂ、
・テキストデータ言語ユニット（ＴＸＴＤＴ＿ＬＵ）３１５ｃと、
から構成される。
【０２２０】
更に、テキストデータ言語ユニット（ＴＸＴＤＴ＿ＬＵ）３１５ｃの内部は図１３に示すように、
・ＴＸＴＤＴ＿ＬＵの終了アドレス（ＴＸＴＤＴ＿ＬＵ＿ＥＡ）情報が記録されたテキストデータ言語ユニット情報（ＴＸＴＤＴ＿ＬＵＩ）３１５ｃ１、
・ボリューム用ＩＴ＿ＴＸＴ＿ＳＲＰの先頭アドレス（ＩＴ＿ＴＸＴ＿ＳＲＰ＿ＳＡ＿ＶＬＭ）情報が記録されたボリューム用アイテムテキストサーチポインタサーチポインタ（ＩＴ＿ＴＸＴ＿ＳＲＰ＿ＳＲＰ＿ＶＬＭ）３１５ｃ２、
・タイトル用ＩＴ＿ＴＸＴ＿ＳＲＰの先頭アドレス（ＩＴ＿ＴＸＴ＿ＳＲＰ＿ＳＡ＿ＴＴ）の情報を保有したタイトル用アイテムテキストサーチポインタサーチポインタ（ＩＴ＿ＴＸＴ＿ＳＲＰ＿ＳＲＰ＿ＴＴ）３１５ｃ３、
・テキストデータ（ＴＸＴＤＴ）３１５ｃ４、
の各種情報を持つ。また、テキストデータ（ＴＸＴＤＴ）３１５ｃ４の内部は図１４に示すように、
・ＩＴ＿ＴＸＴ＿ＳＲＰの数（ＩＴ＿ＴＸＴ＿ＳＲＰ＿Ｎｓ）の情報を有するテキストデータ情報（ＴＸＴＤＴＩ）３１５ｃ４１、
・アイテムテキスト識別子コード（ＩＴ＿ＴＸＴ＿ＩＤＣＤ）とＩＴ＿ＴＸＴの先頭アドレス（ＩＴ＿ＴＸＴ＿ＳＡ）の情報が記録されたアイテムテキストサーチポインタ（ＩＴ＿ＴＸＴ＿ＳＲＰ）３１５ｃ４２、
・アイテムテキスト（ＩＴ＿ＴＸＴ）３１５ｃ４３
の各種情報が記録されている。
【０２２１】
図３に示したＨＤビデオマネージャメニューセルアドレステーブル（ＨＤＶＭＧＭ＿Ｃ＿ＡＤＴ）３１６の中は図１５に示すように、
・ＨＤＶＭＧＭ＿ＶＯＢＳ内のＶＯＢの数（ＨＤＶＭＧＭ＿ＶＯＢ＿Ｎｓ）とＨＤＶＭＧＭ＿Ｃ＿ＡＤＴの終了アドレス（ＨＤＶＭＧＭ＿Ｃ＿ＡＤＴ＿ＥＡ）の各情報を持つＨＤビデオマネージャメニューセルアドレステーブル情報（ＨＤＶＭＧＭ＿Ｃ＿ＡＤＴＩ）３１６ａ、
・ＨＤＶＭＧＭ＿ＣＰのＶＯＢ＿ＩＤ番号（ＨＤＶＭＧＭ＿ＶＯＢ＿ＩＤＮ）、ＨＤＶＭＧＭ＿ＣＰのＣｅｌｌ＿ＩＤ番号（ＨＤＶＭＧＭ＿Ｃ＿ＩＤＮ）、ＨＤＶＭＧＭ＿ＣＰの先頭アドレス（ＨＤＶＭＧＭ＿ＣＰ＿ＳＡ）、ＨＤＶＭＧＭ＿ＣＰの終了アドレス（ＨＤＶＭＧＭ＿ＣＰ＿ＥＡ）の各情報が記録されたＨＤビデオマネージャメニューセルピース情報（ＨＤＶＭＧＭ＿ＣＰＩ）３１６ｂ、
の各種情報が記録されている。
【０２２２】
図３に示したＨＤビデオマネージャメニュービデオオブジェクトユニットアドレスマップ（ＨＤＶＭＧＭ＿ＶＯＢＵ＿ＡＤＭＡＰ）３１７の中は図１６に示すように、
・ＨＤＶＭＧＭ＿ＶＯＢＵ＿ＡＤＭＡＰの終了アドレス（ＨＤＶＭＧＭ＿ＶＯＢＵ＿ＡＤＭＡＰ＿ＥＡ）の情報を有するＨＤビデオマネージャメニュービデオオブジェクトユニットアドレスマップ情報（ＨＤＶＭＧＭ＿ＶＯＢＵ＿ＡＤＭＡＰＩ）３１７ａ、
・ＨＤＶＭＧＭ＿ＶＯＢＵの先頭アドレス（ＨＤＶＭＧＭ＿ＶＯＢＵ＿ＳＡ）
の各種情報が記録されている。
【０２２３】
図１７はメニュー用ＡＯＢ（ＨＤＭＥＮＵ＿ＡＯＢ）自体に対する管理情報内容を示し、図１の（ｅ）に示したＨＤビデオマネージャ情報領域（ＨＤＶＭＧＩ）３１内に存在する図３に示したＨＤメニュー・オーディオオブジェクトセット情報テーブル（ＨＤＭＥＮＵ＿ＡＯＢＳＩＴ）３１８の内部データ構造を示している。ＨＤメニュー・オーディオオブジェクトセット情報テーブル（ＨＤＭＥＮＵ＿ＡＯＢＳＩＴ）３１８の最初に配置されているＨＤメニュー・オーディオオブジェクトセット情報テーブル情報（ＨＤＭＥＮＵ＿ＡＯＢＳＩＴＩ）３１８ａ内にはＨＤＭＥＮＵ＿ＡＯＢＳ内のＡＯＢ数情報であるＨＤＭＥＮＵ＿ＡＯＢ＿Ｎｓと、ＨＤＭＥＮＵ＿ＡＯＢＳＩＴの終了アドレス情報（ＨＤＭＥＮＵ＿ＡＯＢＳＩＴ＿ＥＡ）が存在する。この発明実施形態では情報記憶媒体内にメニュー用のオーディオオブジェクト（オーディオデータ）を複数種類記録が可能になっている。
【０２２４】
図１７のＨＤメニュー・オーディオオブジェクト情報（ＨＤＭＥＮＵ＿ＡＯＢＩ）３１８ｂは上記個々のメニュー用のオーディオオブジェクト（オーディオデータ）に対する管理情報を示し、それぞれＨＤＭＥＮＵ＿ＡＯＢの再生情報（ＨＤＭＥＮＵ＿ＡＯＢ＿ＰＢＩ）、ＨＤＭＥＮＵ＿ＡＯＢの属性情報（ＨＤＭＥＮＵ＿ＡＯＢ＿ＡＴＲ）、ＨＤＭＥＮＵ＿ＡＯＢ  ＃ｎ（該当するＨＤＭＥＮＵ＿ＡＯＢ）の先頭アドレス情報（ＨＤＭＥＮＵ＿ＡＯＢ＿ＳＡ）、ＨＤＭＥＮＵ＿ＡＯＢ  ＃ｎ（該当するＨＤＭＥＮＵ＿ＡＯＢ）の終了アドレス情報（ＨＤＭＥＮＵ＿ＡＯＢ＿ＥＡ）から構成される。
【０２２５】
図２のＨＤ＿ＶＭＧ０１．ＨＤＶファイル内にまとめて格納された図１の（ｅ）に示すメニュー用ビデオオブジェクト領域（ＨＤＶＭＧＭ＿ＶＯＢＳ）３２内のデータ構造は図１８に示すように同一のメニュー画面がそれぞれ異なるメニュー記述言語コードで記録されたメニュー画面（ビデオオブジェクト）が並んで配置されている。
【０２２６】
この発明実施形態では情報記憶媒体内にメニュー用のオーディオオブジェクト（オーディオデータ）を複数種類記録が可能になっている。メニュー用のオーディオオブジェクト（ＡＯＢ）の記録場所は上述したように図１に示すようにＨＤビデオマネージャ記録領域（ＨＤＶＭＧＩ）３０内のメニュー用オーディオオブジェクト領域（ＨＤＭＥＮＵ＿ＡＯＢＳ）３３内であり、このメニュー用オーディオオブジェクト領域（ＨＤＭＥＮＵ＿ＡＯＢＳ）３３は図２に示すようにＨＤ＿ＭＥＮＵ０．ＨＤＡと言うファイル名の１ファイルを構成している。それぞれのメニュー用のオーディオオブジェクト（ＡＯＢ）はＨＤ＿ＭＥＮＵ０．ＨＤＡと言うファイル名の１ファイルを構成しているメニュー用オーディオオブジェクト領域（ＨＤＭＥＮＵ＿ＡＯＢＳ）３３内に図１９に示すように順番に配置記録されている。
【０２２７】
図２に示したＶＴＳ００１００．ＩＦＯファイル内にまとめて記録され、図１の（ｆ）に示したＨＤビデオタイトルセット情報領域（ＨＤＶＴＳＩ）４１の内部は図２０に示すようにＨＤビデオタイトルセット情報管理テーブル（ＨＤＶＴＳＩ＿ＭＡＴ）４１０、ＨＤビデオタイトルセットＰＴＴサーチポインタテーブル（ＨＤＶＴＳ＿ＰＴＴ＿ＳＲＰＴ）４１１、ＨＤビデオタイトルセット・プログラムチェーン情報テーブル（ＨＤＶＴＳ＿ＰＧＣＩＴ）４１２、ＨＤビデオタイトルセットメニュー・ＰＧＣＩ・ユニットテーブル（ＨＤＶＴＳＭ＿ＰＧＣＩ＿ＵＴ）４１３、ＨＤビデオタイトルセット・タイムマップテーブル（ＨＤＶＴＳ＿ＴＭＡＰＴ）４１４、ＨＤビデオタイトルセットメニュー・セル・アドレステーブル（ＨＤＶＴＳＭ＿Ｃ＿ＡＤＴ）４１５、ＨＤビデオタイトルセットメニュー・ビデオオブジェクトユニット・アドレスマップ（ＨＤＶＴＳＭ＿ＶＯＢＵ＿ＡＤＭＡＰ）４１６、ＨＤビデオタイトルセット・セル・アドレステーブル（ＨＤＶＴＳ＿Ｃ＿ＡＤＴ）４１７、ＨＤビデオタイトルセット・ビデオオブジェクトユニット・アドレスマップ（ＨＤＶＴＳ＿ＶＯＢＵ＿ＡＤＭＡＰ）４１８の各領域（管理情報グループ）に分かれている。
【０２２８】
ＨＤビデオタイトルセット情報管理テーブル（ＨＤＶＴＳＩ＿ＭＡＴ）４１０には該当するビデオタイトルセットに共通する管理情報が記録されている。この共通する管理情報をＨＤビデオタイトルセット情報領域（ＨＤＶＴＳＩ）４１の中で最初の領域（管理情報グループ）に配置することで即座にビデオタイトルセット内の共通管理情報を読み込めるので、情報再生装置の再生制御処理の簡素化と制御処理時間の短縮化が図れる。
【０２２９】
ＨＤＶＴＳ（この発明のＨＤビデオタイトルセット）内に含まれるグラフィックユニットに関する管理情報は図１の（ｆ）に示したＨＤビデオタイトルセット情報領域（ＨＤＶＴＳＩ）４１内の最初の領域（グループ）内に配置されたＨＤビデオタイトルセット情報管理テーブル（ＨＤＶＴＳＩ＿ＭＡＴ）４１０（図２０参照）内に記録されている。ＨＤビデオタイトルセット情報管理テーブル（ＨＤＶＴＳＩ＿ＭＡＴ）４１０の具体的な管理情報内容は図２１に示すようにグラフィックユニットストリーム数情報と属性情報がＨＤＶＴＳ内のメニュー画面とタイトル（表示映像）に分かれてそれぞれＨＤＶＴＳＭのグラフィックユニットストリーム数情報（ＨＤＶＴＳＭ＿ＧＵＳＴ＿Ｎｓ）、ＨＤＶＴＳＭのグラフィックユニットストリーム属性情報（ＨＤＶＴＳＭ＿ＧＵＳＴ＿ＡＴＲ）、ＨＤＶＴＳのグラフィックユニットストリーム数情報（ＨＤＶＴＳ＿ＧＵＳＴ＿Ｎｓ）、ＨＤＶＴＳのグラフィックユニットストリーム属性テーブル情報（ＨＤＶＴＳ＿ＧＵＳＴ＿ＡＴＲＴ）として記録されている。
【０２３０】
また、ＨＤビデオタイトルセット情報管理テーブル（ＨＤＶＴＳＩ＿ＭＡＴ）４１０内には図２１に示すようにビデオタイトルセット内の共通管理情報の他にＨＤビデオタイトルセット識別子（ＨＤＶＴＳ＿ＩＤ）、ＨＤＶＴＳの終了アドレス（ＨＤＶＴＳ＿ＥＡ）、ＨＤＶＴＳＩの終了アドレス（ＨＤＶＴＳＩ＿ＥＡ）、ＨＤ−ＤＶＤビデオ規格のバージョン番号（ＶＥＲＮ）、ＨＤＶＴＳカテゴリ（ＨＤＶＴＳ＿ＣＡＴ）、ＨＤＶＴＳＩ＿ＭＡＴの終了アドレス（ＨＤＶＴＳＩ＿ＭＡＴ＿ＥＡ）、ＨＤＶＴＳＭ＿ＶＯＢＳの先頭アドレス（ＨＤＶＴＳＭ＿ＶＯＢＳ＿ＳＡ）、ＨＤＶＴＳＴＴ＿ＶＯＢＳの先頭アドレス（ＨＤＶＴＳＴＴ＿ＶＯＢＳ＿ＳＡ）、ＨＤＶＴＳ＿ＰＴＴ＿ＳＲＰＴの先頭アドレス（ＨＤＶＴＳ＿ＰＴＴ＿ＳＲＰＴ＿ＳＡ）、ＨＤＶＴＳ＿ＰＧＣＩＴの先頭アドレス（ＨＤＶＴＳ＿ＰＧＣＩＴ＿ＳＡ）、ＨＤＶＴＳＭ＿ＰＧＣＩ＿ＵＴの先頭アドレス（ＨＤＶＴＳＭ＿ＰＧＣＩ＿ＵＴ＿ＳＡ）、ＨＤＶＴＳ＿ＴＭＡＰの先頭アドレス（ＨＤＶＴＳ＿ＴＭＡＰ＿ＳＡ）、ＨＤＶＴＳＭ＿Ｃ＿ＡＤＴの先頭アドレス（ＨＤＶＴＳＭ＿Ｃ＿ＡＤＴ＿ＳＡ）、ＨＤＶＴＳＭ＿ＶＯＢＵ＿ＡＤＭＡＰの先頭アドレス（ＨＤＶＴＳＭ＿ＶＯＢＵ＿ＡＤＭＡＰ＿ＳＡ）、ＨＤＶＴＳ＿Ｃ＿ＡＤＴの先頭アドレス（ＨＤＶＴＳ＿Ｃ＿ＡＤＴ＿ＳＡ）、ＨＤＶＴＳ＿ＶＯＢＵ＿ＡＤＭＡＰの先頭アドレス（ＨＤＶＴＳ＿ＶＯＢＵ＿ＡＤＭＡＰ＿ＳＡ）、ＨＤＶＴＳＭのビデオ属性（ＨＤＶＴＳＭ＿Ｖ＿ＡＴＲ）、ＨＤＶＴＳＭのオーディオストリーム数（ＨＤＶＴＳＭ＿ＡＳＴ＿Ｎｓ）、ＨＤＶＴＳＭのオーディオストリーム属性（ＨＤＶＴＳＭ＿ＡＳＴ＿ＡＴＲ）、ＨＤＶＴＳＭのサブピクチャストリーム数の先頭アドレス（ＨＤＶＴＳＭ＿ＳＰＳＴ＿Ｎｓ）、ＨＤＶＴＳＭのサブピクチャストリーム属性（ＨＤＶＴＳＭ＿ＳＰＳＴ＿ＡＴＲ）、ＨＤＶＴＳのビデオ属性（ＨＤＶＴＳ＿Ｖ＿ＡＴＲ）、ＨＤＶＴＳのオーディオストリーム数（ＨＤＶＴＳ＿ＡＳＴ＿Ｎｓ）、ＨＤＶＴＳのオーディオストリーム属性テーブル（ＨＤＶＴＳ＿ＡＳＴ＿ＡＴＲＴ）、ＨＤＶＴＳのサブピクチャストリーム数（ＨＤＶＴＳ＿ＳＰＳＴ＿Ｎｓ）、ＨＤＶＴＳのサブピクチャストリーム属性テーブル（ＨＤＶＴＳ＿ＳＰＳＴ＿ＡＴＲＴ）、ＨＤＶＴＳのマルチチャネルオーディオストリーム属性テーブル（ＨＤＶＴＳ＿ＭＵ＿ＡＳＴ＿ＡＴＲＴ）の各種情報が記録されている。
【０２３１】
図２１に示した（ＶＴＳＭ＿ＥＶＯＢＳ用）グラフィックストリーム属性（ＨＤＶＴＳＭ＿ＧＵＳＴ＿ＡＴＲＴ）は複数のＨＤＶＴＳＭ＿ＧＵＳＴ＿ＡＴＲからなり、グラフィックストリーム属性（ＨＤＶＴＳＭ＿ＧＵＳＴ＿ＡＴＲ）は１６ビットの情報であり、ｂ１５−ｂ１４はグラフィック圧縮モード、ｂ１３はＧＲ＿ＥＸＳＴフラグ、他はリザーブである。グラフィック圧縮モードは非圧縮の場合、‘００ｂ’がセットされ、他はリザーブとされる。ＧＲ＿ＥＸＳＴフラグはグラフィックストリームが存在するか否かを記述し、ＶＴＳＭ＿ＥＶＯＢＳ内にグラフィックストリームが存在しない場合、‘０ｂ’がセットされ、ＶＴＳＭ＿ＥＶＯＢＳ内にグラフィックストリームが存在する場合、‘１ｂ’がセットされ、他はリザーブである。
【０２３２】
図２１に示した（ＶＴＳＴＴ＿ＥＶＯＢＳ用）グラフィックストリーム属性（ＨＤＶＴＳ＿ＧＵＳＴ＿ＡＴＲＴ）は複数のＨＤＶＴＳ＿ＧＵＳＴ＿ＡＴＲからなり、各（ＶＴＳＴＴ＿ＥＶＯＢＳ用）グラフィックストリーム属性（ＨＤＶＴＳ＿ＧＵＳＴ＿ＡＴＲ）は１６ビットの情報であり、ｂ１５−ｂ１４はグラフィック圧縮モード、ｂ１３はＧＲ＿ＥＸＳＴフラグ、他はリザーブである。グラフィック圧縮モードは非圧縮の場合、‘００ｂ’がセットされ、他はリザーブとされる。ＧＲ＿ＥＸＳＴフラグはグラフィックストリームが存在するか否かを記述し、ＶＴＳＴＴ＿ＥＶＯＢＳ内にグラフィックストリームが存在しない場合、‘０ｂ’がセットされ、ＶＴＳＴＴ＿ＥＶＯＢＳ内にグラフィックストリームが存在する場合、‘１ｂ’がセットされ、他はリザーブである。
【０２３３】
図２０に示したＨＤビデオタイトルセットＰＴＴサーチポインタテーブル（ＨＤＶＴＳ＿ＰＰＴ＿ＳＲＰＴ）４１１の中のデータ構造を図２２に示す。ＨＤビデオタイトルセットＰＴＴサーチポインタテーブル（ＨＤＶＴＳ＿ＰＰＴ＿ＳＲＰＴ）４１１は
・ＨＤＶＴＳのＴＴＵの数（ＨＤＶＴＳ＿ＴＴＵ＿Ｎｓ）とＨＤＶＴＳ＿ＰＴＴ＿ＳＲＰＴの終了アドレス（ＨＤＶＴＳ＿ＰＴＴ＿ＳＲＰＴ＿ＥＡ）の情報を有するＰＴＴサーチポインタテーブル情報（ＰＴＴ＿ＳＲＰＴＩ）４１１ａ、
・ＴＴＵの先頭アドレス（ＴＴＵ＿ＳＡ）の情報が記録されたタイトルユニット・サーチポインタ（ＴＴＵ＿ＳＲＰ）４１１ｂ、
・プログラムチェーン番号（ＰＧＣＮ）とプログラム番号（ＰＧＮ）の情報を持ったＰＴＴサーチポインタ（ＰＴＴ＿ＳＲＰ）４１１ｃ、
の各種情報から構成されている。
【０２３４】
リジューム情報を管理する情報の配置場所についてこの発明の第１の実施形態では図２３、図２４に示すようにＨＤＶＴＳ＿ＰＧＣＩサーチポインタ４１２内のＨＤＶＴＳ＿ＰＧＣカテゴリ内にＲＳＭ許可フラグ（リジューム情報の更新許可フラグ）を持たせている。ＨＤＶＴＳ＿ＰＧＣＩサーチポインタ４１２の情報は図１の（ｆ）に示したＨＤビデオタイトルセット情報領域（ＨＤＶＴＳＩ）４１の中に存在する図２０に示したＨＤビデオタイトルセット・プログラムチェーン情報テーブル（ＨＤＶＴＳ＿ＰＧＣＩＴ）４１２の中に配置されている。ＨＤビデオタイトルセット・プログラムチェーン情報テーブル（ＨＤＶＴＳ＿ＰＧＣＩＴ）４１２の中は図２３に示すように他にＨＤＶＴＳ＿ＰＧＣＩ＿ＳＲＰの数（ＨＤＶＴＳ＿ＰＧＣＩ＿ＳＲＰ＿Ｎｓ）とＨＤＶＴＳ＿ＰＧＣＩＴの終了アドレス（ＨＤＶＴＳ＿ＰＧＣＩＴ＿ＥＡ）の情報が含まれるＨＤビデオタイトルセットＰＧＣＩ情報テーブル（ＨＤＶＴＳ＿ＰＧＣＩＴＩ）４１２ａの情報が記録されている。また、上述したＨＤＶＴＳ＿ＰＧＣカテゴリ（ＨＤＶＴＳ＿ＰＧＣ＿ＣＡＴ）と共にＨＤＶＴＳ＿ＰＧＣＩサーチポインタ（ＨＤＶＴＳ＿ＰＧＣＩ＿ＳＲＰ）４１２ｂ内にはＨＤＶＴＳ＿ＰＧＣＩの先頭アドレス（ＨＤＶＴＳ＿ＰＧＣＩ＿ＳＡ）の情報も記録されている。
【０２３５】
図２４に示すＲＳＭ許可フラグ（リジューム情報の更新許可フラグ）とは該当するＨＤＶＴＳ＿ＰＧＣの再生を開始した段階でレジューム情報の内容を更新するか（該当するＰＧＣの再生状況に合わせてレジューム情報を逐次更新して行くか）否かの指定をする。すなわちフラグが
‘０ｂ’の場合はレジューム情報の更新を行い、
‘１ｂ’の場合はレジューム情報の更新を行わず、その前に再生したＨＤＶＴＳ＿ＰＧＣ（この発明のＨＤビデオタイトルセット内の対応したプログラムチェーン）の再生中断した情報を保持しておく
と言う処理を行う。また、ＨＤＶＴＳ＿ＰＧＣカテゴリ（ＨＤＶＴＳ＿ＰＧＣ＿ＣＡＴ）の中には他にもエントリＰＧＣか否かを判別するエントリタイプ情報、対応するＰＧＣが示すＶＴＳ（ビデオタイトルセット）内のタイトル番号情報、ブロックモード情報、ブロックタイプ情報、ＰＴＬ＿ＩＤ＿ＦＬＤ情報が記録されている。
【０２３６】
図２０に示したＨＤビデオタイトルセットメニュー・ＰＧＣＩ・ユニットテーブル（ＨＤＶＴＳＭ＿ＰＧＣＩ＿ＵＴ）４１３の中のデータ構造を図２５に示す。ＨＤビデオタイトルセットメニュー・ＰＧＣＩ・ユニットテーブル（ＨＤＶＴＳＭ＿ＰＧＣＩ＿ＵＴ）４１３の内部は
・ＨＤビデオタイトルセットメニュー・言語ユニットの数（ＨＤＶＴＳＭ＿ＬＵ＿Ｎｓ）とＨＤＶＴＳＭ＿ＰＧＣＩ＿ＵＴの終了アドレス（ＨＤＶＴＳＭ＿ＰＧＣＩ＿ＵＴ＿ＥＡ）の各情報を有したＨＤビデオタイトルセットメニュー・プログラムチェーン情報ユニットテーブル情報（ＨＤＶＴＳＭ＿ＰＧＣＩ＿ＵＴＩ）４１３ａ、
・ＨＤビデオタイトルセットメニュー言語コード（ＨＤＶＴＳＭ＿ＬＣＤ）とＨＤビデオタイトルセットメニューの有無（ＨＤＶＴＳＭ＿ＥＸＳＴ）とＨＤＶＴＳＭ＿ＬＵの先頭アドレス（ＨＤＶＴＳＭ＿ＵＴ＿ＳＡ）の各情報が記録されたＨＤビデオタイトルセットメニュー・言語ユニットサーチポインタ（ＨＤＶＴＳＭ＿ＬＵ＿ＳＲＰ）４１３ｂ、
・ＨＤビデオタイトルセットメニュー・言語ユニット（ＨＤＶＴＳＭ＿ＬＵ）４１３ｃの各種情報から構成されている。
【０２３７】
また、ＨＤビデオタイトルセットメニュー・言語ユニット（ＨＤＶＴＳＭ＿ＬＵ）４１３ｃ内のデータ構造は図２６に示すように、
・ＨＤＶＴＳＭ＿ＰＧＣＩ＿ＳＲＰの数（ＨＤＶＴＳＭ＿ＰＧＣＩ＿ＳＲＰ＿Ｎｓ）とＨＤＶＴＳＭ＿ＬＵの終了アドレス（ＨＤＶＴＳＭ＿ＬＵ＿ＥＡ）の情報を有するＨＤビデオタイトルセットメニュー・言語ユニット情報（ＨＤＶＴＳＭ＿ＬＵＩ）４１３ｃ１、
・図３３、図３４と全く同じデータ構造を持ったＨＤビデオタイトルセットメニュー・プログラムチェーン情報（ＨＤＶＴＳＭ＿ＰＧＣＩ）４１３ｃ３、
・ＨＤＶＴＳＭ＿ＰＧＣカテゴリ（ＨＤＶＴＳＭ＿ＰＧＣ＿ＣＡＴ）とＨＤＶＴＳＭ＿ＰＧＣＩの先頭アドレス（ＨＤＶＴＳＭ＿ＰＧＣＩ＿ＳＡ）の情報が記録されたＨＤＶＴＳＭ＿ＰＧＣＩサーチポインタ（ＨＤＶＴＳＭ＿ＰＧＣＩ＿ＳＲＰ）４１３ｃ２、から構成される。
【０２３８】
メニュー用ＡＯＢ（ＨＤＭＥＮＵ＿ＡＯＢ）を参照（指定）する情報の設定場所としてこの発明の第１の実施形態ではＨＤＶＴＳ単位でのメニューに関しては、図２６に示すようにＨＤＶＴＳ＿ＰＧＣＩサーチポインタ＃ｎ（ＨＤＶＴＳＭ＿ＰＧＣＩ＿ＳＲＰ  ＃ｎ）４１３ｃ２内のＨＤＶＴＳＭ＿ＰＧＣカテゴリ情報（ＨＤＶＴＳＭ＿ＰＧＣ＿ＣＡＴ）内に配置する。図２７に示すＨＤＶＴＳＭ＿ＰＧＣカテゴリ情報（ＨＤＶＴＳＭ＿ＰＧＣ＿ＣＡＴ）内の音声情報番号はＨＤＭＥＭＵ＿ＡＯＢＳの中の再生するＡＯＢ番号＃ｎ（図１９に示すように並んでいるメニュー用ＡＯＢ（ＨＤＭＥＮＵ＿ＡＯＢ）の内、何番目のＡＯＢが対応するか）を指定する音声情報番号（ＡＯＢ番号）を意味し、音声情報選択フラグはこの発明におけるＨＤコンテンツのメニューを画面表示した時に同時に再生する音声情報の選択情報と、音声情報再生の開始・終了トリガー情報を示す音声情報選択フラグ（音声情報選択）を意味している。
【０２３９】
ここで、音声情報選択フラグ（音声情報選択）の‘００ｂ’を選択した時には、各メニュー用ビデオオブジェクト内に記録されているオーディオデータが再生され、メニューの切り替わり時に音声再生が途切れる。また、音声情報選択フラグ（音声情報選択）の‘１０ｂ’または‘１１ｂ’を選択した時には、メニュー用オーディオオブジェクト領域（ＨＤＭＥＭＵ＿ＡＯＢＳ）３３内に存在するメニュー用ＡＯＢ（ＨＤＭＥＮＵ＿ＡＯＢ）のオーディオデータが再生される。メニュー用オーディオデータ（ＡＯＢ）を再生する場合、‘１１ｂ’を指定した時にはメニュー画面の変更毎にオーディオデータが最初から再生を開始し、‘１０ｂ’を指定した時にはメニュー画面の切り替えに関わらず連続してオーディオデータの再生が続けられる。この発明実施形態では、図１９に示すように、メニュー用オーディオオブジェクト領域（ＨＤＭＥＮＵ＿ＡＯＢＳ）３３内に複数種類のメニュー用ＡＯＢ（ＨＤＭＥＮＵ＿ＡＯＢ）を格納しておくことができる。図２７に示した音声情報番号は該当するメニュー表示用ＰＧＣを表示する時に同時に再生するメニュー用ＡＯＢ（ＨＤＭＥＮＵ＿ＡＯＢ）の選択情報を示している。メニュー用ＡＯＢの選択情報として図１９に配置されているメニュー用ＡＯＢの中で”上から何番目のＡＯＢを選択するか”の番号情報で選択する。また、ＨＤＶＴＳＭ＿ＰＧＣカテゴリ（ＨＤＶＴＳＭ＿ＰＧＣ＿ＣＡＴ）内には他にもエントリＰＧＣか否かを判別するエントリタイプ情報、メニューの識別を表す（例えばタイトルのメニューか等）メニューＩＤ情報、ブロックモード情報、ブロックタイプ情報、ＰＴＬ＿ＩＤ＿ＦＬＤ情報が記録されている。
【０２４０】
図２０に示したＨＤビデオタイトルセット・タイムマップテーブル（ＨＤＶＴＳ＿ＴＭＡＰＴ）４１４中のデータ構造を図２８に示す。ＨＤビデオタイトルセット・タイムマップテーブル（ＨＤＶＴＳ＿ＴＭＡＰＴ）４１４の内部は
・ＨＤＶＴＳ＿ＴＭＡＰの数（ＨＤＶＴＳ＿ＴＭＡＰ＿Ｎｓ）とＨＤＶＴＳ＿ＴＭＡＰＴの終了アドレス（ＨＤＶＴＳ＿ＴＭＡＰＴ＿ＥＡ）の各種の情報が記載されたＨＤビデオタイトルセット・タイムマップテーブル情報（ＨＤＶＴＳ＿ＴＭＡＰＴＩ）４１４ａ、
・ＨＤＶＴＳ＿ＴＭＡＰの先頭アドレス（ＨＤＶＴＳ＿ＴＭＡＰ＿ＳＡ）の情報を有するＨＤビデオタイトルセット・タイムマップ・サーチポインタ（ＨＤＶＴＳ＿ＴＭＡＰ＿ＳＲＰ）４１４ｂ、
・マップエントリで基準とするタイムユニット（秒）の長さ（ＴＭＵ）とマップエントリ数（ＭＡＰ＿ＥＮ＿Ｎｓ）とマップエントリ（ＭＡＰ＿ＥＮ）の各種情報が記録されたＨＤビデオタイトルセット・タイムマップ（ＨＤＶＴＳ＿ＴＭＡＰ）４１４ｃ、
の各種情報から構成されている。
【０２４１】
上記ＨＤマップエントリ（ＨＤＭＡＰ＿ＥＮ）内は該当するＨＤＭＡＰ＿ＥＮＡと次のＨＤＭＡＰ＿ＥＮＡが同一セル内に存在するか否かの判定フラグを示す“不連続フラグ”と、該当するＨＤマップエントリ（ＨＤＭＡＰ＿ＥＮ）に対応する再生時間が含まれるＶＯＢＵの先頭アドレス情報（ＨＤＭＡＰ＿ＥＮＡ）から構成されている。
【０２４２】
また、図２０に示したＨＤビデオタイトルセットメニュー・セル・アドレステーブル（ＨＤＶＴＳＭ＿Ｃ＿ＡＤＴ）４１５の中のデータ構造は図２９に示すように、
・ＨＤＶＴＳＭ＿ＶＯＢＳ内のＶＯＢの数（ＨＤＶＴＳＭ＿ＶＯＢ＿Ｎｓ）とＨＤＶＴＳＭ＿Ｃ＿ＡＤＴの終了アドレス（ＨＤＶＴＳＭ＿Ｃ＿ＡＤＴ＿ＥＡ）の情報を有するＨＤビデオタイトルセットメニュー・セル・アドレステーブル情報（ＨＤＶＴＳＭ＿Ｃ＿ＡＤＴＩ）４１５ａ、
・ＨＤＶＴＳＭ＿ＣＰのＶＯＢ＿ＩＤ番号（ＨＤＶＴＳＭ＿ＶＯＢ＿ＩＤＮ）とＨＤＶＴＳＭ＿ＣＰのＣｅｌｌ＿ＩＤ番号（ＨＤＶＴＳＭ＿Ｃ＿ＩＤＮ）とＨＤＶＴＳＭ＿ＣＰの先頭アドレス（ＨＤＶＴＳＭ＿ＣＰ＿ＳＡ）とＨＤＶＴＳＭ＿ＣＰの終了アドレス（ＨＤＶＴＳＭ＿ＣＰ＿ＥＡ）の各種情報が記録されたＨＤビデオタイトルセットメニュー・セルピース情報（ＨＤＶＴＳＭ＿ＣＰＩ）４１５ｂ、
の各種情報から構成されている。
【０２４３】
図２０に示したＨＤビデオタイトルセットメニュー・ビデオオブジェクトユニット・アドレスマップ（ＨＤＶＴＳＭ＿ＶＯＢＵ＿ＡＤＭＡＰ）４１６は図３０のように
・ＨＤＶＴＳＭ＿ＶＯＢＵ＿ＡＤＭＡＰの終了アドレス（ＨＤＶＴＳＭ＿ＶＯＢＵ＿ＡＤＭＡＰ＿ＥＡ）の情報が記載されたＨＤビデオタイトルセットメニュー・ビデオオブジェクトユニット・アドレスマップ情報（ＨＤＶＴＳＭ＿ＶＯＢＵ＿ＡＤＭＡＰＩ）４１６ａ、
・ＨＤＶＴＳＭ＿ＶＯＢＵの先頭アドレス（ＨＤＶＴＳＭ＿ＶＯＢＵ＿ＳＡ）の情報を有するＨＤビデオタイトルセットメニュー・ビデオオブジェクトユニット・アドレス（ＨＤＶＴＳＭ＿ＶＯＢＵ＿ＡＤ）４１６ｂ、
の情報から構成されている。
【０２４４】
また、図２０に示したＨＤビデオタイトルセット・セル・アドレステーブル（ＨＤＶＴＳ＿Ｃ＿ＡＤＴ）４１７の中のデータ構造を図３１に示す。ＨＤビデオタイトルセット・セル・アドレステーブル（ＨＤＶＴＳ＿Ｃ＿ＡＤＴ）４１７内は、
・ＨＤＶＴＳ＿ＶＯＢＳ内のＶＯＢの数（ＨＤＶＴＳ＿ＶＯＢ＿Ｎｓ）とＨＤＶＴＳ＿Ｃ＿ＡＤＴの終了アドレス（ＨＤＶＴＳ＿Ｃ＿ＡＤＴ＿ＥＡ）の情報を有したＨＤビデオタイトルセット・セル・アドレステーブル情報（ＨＤＶＴＳ＿Ｃ＿ＡＤＴＩ）４１７ａ、
・ＨＤＶＴＳ＿ＣＰのＶＯＢ＿ＩＤ番号（ＨＤＶＴＳ＿ＶＯＢ＿ＩＤＮ）とＨＤＶＴＳ＿ＣＰのＣｅｌｌ＿ＩＤ番号（ＨＤＶＴＳ＿Ｃ＿ＩＤＮ）とＨＤＶＴＳ＿ＣＰの先頭アドレス（ＨＤＶＴＳ＿ＣＰ＿ＳＡ）とＨＤＶＴＳ＿ＣＰの終了アドレス（ＨＤＶＴＳ＿ＣＰ＿ＥＡ）の各種情報から成るＨＤビデオタイトルセット・セルピース情報（ＨＤＶＴＳ＿ＣＰＩ）４１７ｂ、
の各種情報から構成されている。
【０２４５】
更に、図２０に示したＨＤビデオタイトルセット・ビデオオブジェクトユニット・アドレスマップ（ＨＤＶＴＳ＿ＶＯＢＵ＿ＡＤＭＡＰ）４１８の中のデータ構造を図３２に示す。ＨＤビデオタイトルセット・ビデオオブジェクトユニット・アドレスマップ（ＨＤＶＴＳ＿ＶＯＢＵ＿ＡＤＭＡＰ）４１８は、
・ＨＤＶＴＳ＿ＶＯＢＵ＿ＡＤＭＡＰの終了アドレス（ＨＤＶＴＳ＿ＶＯＢＵ＿ＡＤＭＡＰ＿ＥＡ）の情報を有するＨＤビデオタイトルセット・ビデオオブジェクトユニット・アドレスマップ情報（ＨＤＶＴＳ＿ＶＯＢＵ＿ＡＤＭＡＰＩ）４１８ａ、
・ＨＤＶＴＳ＿ＶＯＢＵ単位の先頭アドレス（ＨＤＶＴＳ＿ＶＯＢＵ＿ＳＡ）の情報が記録されているＨＤビデオタイトルセット・ビデオオブジェクトユニット・アドレス（ＨＤＶＴＳ＿ＶＯＢＵ＿ＡＤ）４１８ｂ、
の各種情報から構成されている。
【０２４６】
特徴（Ａ）を実現するＲＳＭ許可フラグフラグ情報と特徴（Ｆ）を実現する音声情報選択フラグ／音声情報番号はこの発明の第１の実施形態として図２２と図７、図２４に示すようにプログラムチェーン情報ＰＧＣＩのサーチポインタ情報内に持たせている。この発明はこの実施形態に限らずＰＧＣＩ自体の中に持たせることも可能である。この発明の他の実施形態（第２の実施形態）を図３３、図３４に示す。図３３、図３４に示したＰＧＣＩ情報とは
〔イ〕図１の（ｅ）のＨＤビデオマネージャ情報領域（ＨＤＶＭＧＩ）３１内のＨＤビデオマネージャメニュー・ＰＧＣＩ・ユニットテーブル（ＨＤＶＭＧＭ＿ＰＧＣＩ＿ＵＴ）３１２（図３）に存在する図６のＨＤビデオマネージャメニュー・言語ユニット（ＨＤＶＭＧＭ＿ＬＵ）３１２に関し、図７に示されたＨＤビデオマネージャメニュー・プログラムチェーン情報（ＨＤＶＭＧＭ＿ＰＧＣＩ）３１２ｃ３、
〔ロ〕図１の（ｆ）のＨＤビデオタイトルセット情報領域（ＨＤＶＴＳＩ）４１内のデータ構造を示した図２０におけるＨＤビデオタイトルセットメニュー・ＰＧＣＩ・ユニットテーブル（ＨＤＶＴＳＭ＿ＰＧＣＩ＿ＵＴ）４１３内の図２５におけるＨＤビデオタイトルセットメニュー・言語ユニット（ＨＤＶＴＳＭ＿ＬＵ）４１３ｃの中に配置されている図２６に示したＨＤビデオタイトルセットメニュー・プログラムチェーン情報（ＨＤＶＴＳＭ＿ＰＧＣＩ）４１３ｃ３、
〔ハ〕図１の（ｆ）のＨＤビデオタイトルセット情報領域（ＨＤＶＴＳＩ）４１内のデータ構造を示した図２０におけるＨＤビデオタイトルセット・プログラムチェーン情報テーブル（ＨＤＶＴＳ＿ＰＧＣＩＴ）４１２内のＨＤＶＴＳ＿ＰＧＣＩ４１２ｃ（図２３）
がそれぞれ対応する（図３３、図３４に示したＰＧＣＩ情報は〔イ〕〜〔ハ〕の３箇所に配置され得る）。
【０２４７】
図３３、図３４に示すようにプログラムチェーン情報（ＰＧＣＩ）はプログラムチェーン・一般情報（ＰＧＣ＿ＧＩ）５０、プログラムチェーン・コマンドテーブル（ＰＧＣ＿ＣＭＤＴ）５１、プログラムチェーン・プログラムマップ（ＰＧＣ＿ＰＧＭＡＰ）５２、セル・再生情報テーブル（Ｃ＿ＰＢＩＴ）５３、セル・位置情報テーブル（Ｃ＿ＰＯＳＩＴ）５４と言う５領域（５個の管理情報グループ）から構成されている。
【０２４８】
図３３、図３４に示すようにＰＧＣＩ内の最初の領域（管理情報グループ）に配置されたプログラムチェーン・一般情報（ＰＧＣ＿ＧＩ）５０内の最後にＲＳＭ＆ＡＯＢ・カテゴリ情報（ＲＳＭ＆ＡＯＢ＿ＣＡＴ）が記録されている。ＲＳＭ＆ＡＯＢ・カテゴリ情報（ＲＳＭ＆ＡＯＢ＿ＣＡＴ）内にＲＳＭ許可フラグ情報、音声情報選択フラグ、音声情報番号が存在する。このＲＳＭ許可フラグ情報は図２４で説明した内容とまったく同じ内容を意味している。また、音声情報選択フラグと音声情報番号の内容は図８または図２７で説明した内容と一致している。更にＲＳＭ＆ＡＯＢ・カテゴリ情報（ＲＳＭ＆ＡＯＢ＿ＣＡＴ）内にはエントリＰＧＣか否かを判別するエントリタイプ情報、ブロックモード情報、ブロックタイプ情報、ＰＴＬ＿ＩＤ＿ＦＬＤ情報が記録されている。
【０２４９】
ＰＧＣ内に配置するグラフィックユニットのストリームに関する制御情報が記録されるＰＧＣ・グラフィックユニットストリーム・制御テーブル（ＰＧＣ＿ＧＵＳＴ＿ＣＴＬＴ）内の情報は図３３、図３４に示すように４種類の各画像（１６：９のＨＤ画像、１６：９のＳＤ画像、４：３のＳＤ画像、レターボックスのＳＤ画像）に対応してそれぞれ別領域であるＨＤ用グラフィックユニットストリーム＃０のＰＧＣ＿ＧＵＳＴ＿ＣＴＬ（ＰＧＣ＿ＧＵＳＴ  ＃０）領域、ＳＤワイド用グラフィックユニットストリーム＃１のＰＧＣ＿ＧＵＳＴ＿ＣＴＬ（ＰＧＣ＿ＧＵＳＴ  ＃１）領域、４：３（ＳＤ）用グラフィックユニットストリーム＃２の  ＰＧＣ＿ＧＵＳＴ＿ＣＴＬ（ＰＧＣ＿ＧＵＳＴ  ＃２）領域、レターボックス（ＳＤ）用グラフィックユニットストリーム＃３の  ＰＧＣ＿ＧＵＳＴ＿ＣＴＬ（ＰＧＣ＿ＧＵＳＴ  ＃３）領域に別々に記録する。
【０２５０】
上記の情報以外にもプログラムチェーン・一般情報（ＰＧＣ＿ＧＩ）５０内にはＰＧＣ内容（ＰＧＣ＿ＣＮＴ）、ＰＧＣ再生時間（ＰＧＣ＿ＰＢ＿ＴＭ）、ＰＧＣユーザ操作制御（ＰＧＣ＿ＵＯＰ＿ＣＴＬ）、ＰＧＣオーディオストリーム制御テーブル（ＰＧＣ＿ＡＳＴ＿ＣＴＬＴ）、ＰＧＣサブピクチャストリーム制御テーブル（ＰＧＣ＿ＳＰＳＴ＿ＣＴＬＴ）、ＰＧＣナビゲーションコントロール（ＰＧＣ＿ＮＶ＿ＣＴＬ）、ＰＧＣサブピクチャパレット（ＰＧＣ＿ＳＰ＿ＰＬＴ）、ＰＧＣ＿ＣＭＤＴの先頭アドレス（ＰＧＣ＿ＣＭＤＴ＿ＳＡ）、ＰＧＣ＿ＰＧＭＡＰの先頭アドレス（ＰＧＣ＿ＰＧＭＡＰ＿ＳＡ）、Ｃ＿ＰＢＩＴの先頭アドレス（Ｃ＿ＰＢＩＴ＿ＳＡ）、Ｃ＿ＰＯＳＩＴの先頭アドレス（Ｃ＿ＰＯＳＩＴ＿ＳＡ）の各種情報が記録されている。
【０２５１】
各ＰＧＣに適応されるコマンド情報は図３５に示すようにプログラムチェーン・コマンドテーブル（ＰＧＣ＿ＣＭＤＴ）５１にまとめて配置される。ＰＧＣＩ情報が配置される場所は図３３、図３４の説明場所で記載したように〔イ〕〜〔ハ〕の３箇所に配置され得る。特徴（Ａ）の中で説明した〔ポイント４〕に示したリジュームシーケンス情報は図３５に示すようにプログラムチェーン・コマンドテーブル（ＰＧＣ＿ＣＭＤＴ）５１内に記録される。この発明実施形態におけるリジュームシーケンス情報（図３５内で明記したリジューム（ＲＳＭ）コマンドシーケンス）の情報内容は、この領域内に配置されたＲＳＭコマンド（ＲＳＭ＿ＣＭＤ）５１４が順次並んで配置された形で記述される。図３５における一個の欄の中に記載される１個のＲＳＭコマンド（ＲＳＭ＿ＣＭＤ）５１４はこの発明におけるＨＤのＤＶＤビデオコンテンツ内で指定できる１個のコマンドを意味し、リジューム（ＲＳＭ）コマンドシーケンス領域内で配置されたＲＳＭコマンド（ＲＳＭ＿ＣＭＤ）５１４が上から順に連続して（シーケンシャルに）実行される。
【０２５２】
この発明の実施の形態においては、図３５に記載されたセルコマンド（Ｃ＿ＣＭＤ）５１３の配列もシーケンシャルなコマンド系列を意味している。すなわち、図３５に示したセルコマンド（Ｃ＿ＣＭＤ）５１３の配列順に従って上から順次コマンド処理を実行することを意味している。図３６で説明するようにセルコマンド＃１（Ｃ＿ＣＭＤ  ＃１）５１３からセルコマンド＃ｋ（Ｃ＿ＣＭＤ  ＃ｋ）５１３まで指定された一連のセルコマンド処理手順の中で各セル毎にセルコマンド処理手順の一部（各セル毎にセルコマンドのシーケンシャル処理を開始する最初のセルコマンド番号とセルコマンドのシーケンシャル処理の実行範囲）を指定できる構造になっている。
【０２５３】
ＲＳＭコマンド（ＲＳＭ＿ＣＭＤ）５１４は（例えばメニュー画面から）該当するＰＧＣへ戻り、以前に再生中断した“ＰＧＣ内の途中から再生する直前”に実行されるコマンド手順の一部を示すのに対して、プリコマンド（ＰＲＥ＿ＣＭＤ）５１１は該当する“ＰＧＣを最初から再生する直前”に実行されるコマンドを意味する。また、該当するＰＧＣの再生後に実行するコマンドがポストコマンド（ＰＯＳＴ＿ＣＭＤ）５１２である。図３５において１個のプログラムチェーン・コマンドテーブル（ＰＧＣ＿ＣＭＤＴ）５１内に配置できるプリコマンド（ＰＲＥ＿ＣＭＤ）５１１の数とポストコマンド（ＰＯＳＴ＿ＣＭＤ）５１２の数、セルコマンド（Ｃ＿ＣＭＤ）５１３の数、ＲＳＭコマンド（ＲＳＭ＿ＣＭＤ）５１４の数はそれぞれ自由に設定できる（記載するどれかのコマンド数が‘０’であっても良い）。ただし、この発明実施形態では１個のプログラムチェーン・コマンドテーブル（ＰＧＣ＿ＣＭＤＴ）５１内に配置できるプリコマンド（ＰＲＥ＿ＣＭＤ）５１１の数とポストコマンド（ＰＯＳＴ＿ＣＭＤ）５１２の数、セルコマンド（Ｃ＿ＣＭＤ）５１３の数、ＲＳＭコマンド（ＲＳＭ＿ＣＭＤ）５１４の数をそれぞれ足した総合計値の上限は１０２３個と規定されている。従って、例えばプリコマンド（ＰＲＥ＿ＣＭＤ）５１１の数とポストコマンド（ＰＯＳＴ＿ＣＭＤ）５１２の数、ＲＳＭコマンド（ＲＳＭ＿ＣＭＤ）５１４の数が全て０個の場合にはセルコマンド（Ｃ＿ＣＭＤ）５１３の数を最大１０２３個まで設定することが可能である。
【０２５４】
１個のプログラムチェーン・コマンドテーブル（ＰＧＣ＿ＣＭＤＴ）５１内に配置できるプリコマンド（ＰＲＥ＿ＣＭＤ）５１１の数情報であるＰＲＥ＿ＣＭＤ＿Ｎｓとポストコマンド（ＰＯＳＴ＿ＣＭＤ）５１２の数情報であるＰＯＳＴ＿ＣＭＤ＿Ｎｓとセルコマンド（Ｃ＿ＣＭＤ）５１３の数情報のＣ＿ＣＭＤ＿Ｎｓ、ＲＳＭコマンド（ＲＳＭ＿ＣＭＤ）５１４の数情報のＲＳＭ＿ＣＭＤ＿Ｎｓは図３６に示すようにプログラムチェーン・コマンドテーブル情報（ＰＧＣ＿ＣＭＤＴＩ）５１０内に記録されている。
【０２５５】
プログラムチェーン・コマンドテーブル（ＰＧＣ＿ＣＭＤＴ）５１内に記録されているＲＳＭコマンド（ＲＳＭ＿ＣＭＤ）５１４内の具体的なデータ構造について以下に説明する。ここでは、ＲＳＭコマンド（ＲＳＭ＿ＣＭＤ）５１４内の具体的なデータ構造について説明するが、プリコマンド（ＰＲＥ＿ＣＭＤ）５１１、ポストコマンド（ＰＯＳＴ＿ＣＭＤ）５１２、セルコマンド（Ｃ＿ＣＭＤ）５１３内のデータ構造もＲＳＭコマンド（ＲＳＭ＿ＣＭＤ）５１４内の具体的なデータ構造と全く同じになっている。ＲＳＭコマンド（ＲＳＭ＿ＣＭＤ）５１４内の具体的なデータ構造は図３６に示すように１個のコマンド毎に８バイト分の領域を割り当てているだけになっている。この８バイト分の領域内にコマンド内容が記録される。このコマンドはいずれも８バイト中最上位から３ビットまでが“コマンドＩＤ−１”のデータが入る。それ以降のビットのデータ内容は“コマンドタイプ”の値により異なるが、“比較用Ｉ−フラグ”や“Ｃｏｍｐａｒｅ  Ｆｉｅｌｄ”などの情報はコマンドタイプによらず共通に持っている。
【０２５６】
プログラムチェーン情報（ＰＧＣＩ：Ｐｒｏｇｒａｍ  Ｃｈａｉｎ  Ｉｎｆｏｒｍａｔｉｏｎ）内に配置されたプログラムチェーン・プログラムマップ（ＰＧＣ＿ＰＧＭＡＰ）５２とセル・位置情報テーブル（Ｃ＿ＰＯＳＩＴ）５４内の詳細構造を図３７に示す。
【０２５７】
プログラムチェーン・プログラムマップ（ＰＧＣ＿ＰＧＭＡＰ）５２内は各エントリに対応したセルの番号を示すエントリセル番号（ＥＮ＿ＣＮ）が記録されたプログラム用エントリセル番号５２０情報がエントリ数だけ配置されている。またセル・位置情報テーブル（Ｃ＿ＰＯＳＩＴ）５４はセルのＶＯＢ  ＩＤ番号（Ｃ＿ＶＯＢ＿ＩＤＮ）とセルのセルＩＤ番号（Ｃ＿ＩＤＮ）の情報が組になって構成されたセル位置情報（Ｃ＿ＰＯＳＩ）５４０が順に配置された構造をしている。
【０２５８】
図３５の説明の所でセルコマンド＃１（Ｃ＿ＣＭＤ  ＃１）５１３からセルコマンド＃ｋ（Ｃ＿ＣＭＤ  ＃ｋ）５１３まで指定された一連のセルコマンド処理手順の中で各セル毎にセルコマンド処理手順の一部（各セル毎にセルコマンドのシーケンシャル処理を開始する最初のセルコマンド番号とセルコマンドのシーケンシャル処理の実行範囲）を指定できる構造になっていると説明した。この各セル毎に設定できるセルコマンドのシーケンシャル処理の実行範囲情報を図３８に示す。ＰＧＣＩ情報が配置される場所は図３３、図３４の説明場所で記載したように〔イ〕〜〔ハ〕の３箇所に配置され得る。ＰＧＣを構成する個々のセルに関する管理情報が該当するＰＧＣの管理情報であるＰＧＣＩ内のセル・再生情報テーブル（Ｃ＿ＰＢＩＴ）５３内に図３８に示すようにセル再生情報（Ｃ＿ＰＢＩ）５３０に記録される。
【０２５９】
図３５に示されたセルコマンド＃１（Ｃ＿ＣＭＤ  ＃１）５１３からセルコマンド＃ｋ（Ｃ＿ＣＭＤ  ＃ｋ）５１３まで指定された一連のセルコマンド処理手順の中で各セル毎に特定されるセルコマンドのシーケンシャル処理を開始する最初のセルコマンド番号に関する情報が、図３８に示すようにセル再生情報（Ｃ＿ＰＢＩ）５３０内のセルコマンド先頭番号情報（Ｃ＿ＣＭＤ＿ＳＮ）内に記録される。また、同時に、セルコマンド先頭番号情報（Ｃ＿ＣＭＤ＿ＳＮ）で指定されたセルコマンド（Ｃ＿ＣＭＤ）５１３を含めて連続にコマンド処理を実行するコマンド数を表すセルコマンド連続数情報（Ｃ＿ＣＭＤ＿Ｃ＿Ｎｓ）がセル再生情報（Ｃ＿ＰＢＩ）５３０内に記録されており、両方の情報から該当するセルが実行するセルコマンドのシーケンシャル処理の実行範囲が特定される。この発明実施形態において該当するセルの再生が終了した後で図３８のセルコマンド先頭番号情報（Ｃ＿ＣＭＤ＿ＳＮ）とセルコマンド連続数情報（Ｃ＿ＣＭＤ＿Ｃ＿Ｎｓ）で指定された範囲の一連のコマンド手順（コマンドシーケンス）が実行される。
【０２６０】
また、セル再生情報（Ｃ＿ＰＢＩ）５３０内には該当するセルがマルチアングルに対応したインターリーブドブロックを構成しているかそれとも一般的な連続ブロックの一部か、あるいはマルチアングルに対応したインターリーブドブロックの一部を構成していた場合にそのインターリーブドブロックの先頭セルあるいは最終セルに該当するかを示すセルカテゴリ（Ｃ＿ＣＡＴ）、該当するセル全体を再生する時に必要な再生時間を表すセル再生時間（Ｃ＿ＰＢＴＭ）、セルの先頭ＶＯＢＵの先頭アドレス位置情報（Ｃ＿ＦＶＯＢＵ＿ＳＡ）、セルの先頭ＩＬＶＵの終了アドレス位置情報（Ｃ＿ＦＩＬＶＵ＿ＥＡ）、セルの最終ＶＯＢＵの先頭アドレス位置情報（Ｃ＿ＬＶＯＢＵ＿ＳＡ）、セルの最終ＶＯＢＵの終了アドレス位置情報（Ｃ＿ＬＶＯＢＵ＿ＥＡ）などの情報が記録されている。
【０２６１】
図３９はこの発明のグラフィックユニットＧＵがＭＰＥＧプログラムストリームとして格納される構造を示したものである。図３９の（ａ）に示す様に、ビデオオブジェクト（ＶＯＢ）ａ１は、図３９の（ｂ）に示す様に、複数のビデオオブジェクトユニット（ＶＯＢＵ）ａ２から構成され、１つのＶＯＢＵは、図３９の（ｃ）に示す様に、ナビパックａ３、ビデオパックａ４、グラフィックユニット（ＧＵ）パックａ５、オーディオパックａ６及び副映像（ＳＰ）パックａ７等の複数の異なるデータパックを有するＭＰＥＧプログラムストリームから構成される。また、図３９の（ｄ）に示す様に、ＧＵパックａ５は、５つの表示タイプ（ＨＤ、ＳＤワイド、４：３、レターボックス、パンスキャン）の違いにより、各々、ＨＤ用グラフィックユニットストリーム＃１（ａ５１）、ＳＤワイド用グラフィックユニットストリーム＃２（ａ５２）、４：３用グラフィックユニットストリーム＃３（ａ５３）、レターボックス用グラフィックユニットストリーム＃４（ａ５４）及びパンスキャン用グラフィックユニットストリーム＃５（ａ５５）のストリームとして格納される。これらのストリームは、主映像の表示タイプや出力先のディスプレイ装置に対する表示コンバートに対応して、適切な選択切替が行われ、ユーザが直接ストリームを切替えることはしない。
【０２６２】
次に、グラフィックパックＧＲ＿ＰＣＫを説明する。グラフィックパックＧＲ＿ＰＣＫはパックヘッダと、グラフィックパケットＧＲ＿ＰＫＴからなる。グラフィックデータはグラフィックユニットＧＲＵ内の論理ブロックＬＢの境界に整列される。ＧＲ＿ＰＣＫはＧＲＵの最終パケットの場合のみパディングパケット、あるいはスタッフィングバイトを含んでもよい。ＧＲ＿ＰＫＴはパケットヘッダ、グラフィックストリーム番号、グラフィクデータからなる。
【０２６３】
図４０は、グラフィックユニットＧＵの各ストリームに割当てられるサブストリームＩＤ及びグラフィックストリーム番号を示したものである。各ストリームは、プライベートストリーム１（１０１１  １１０１ｂ）のストリームＩＤを有し、グラフィックユニットストリームであることの判別のために、（０１０１  ０ｘｘｘｂ）のサブストリームＩＤを有し、さらに、その表示タイプの判別用に、ＨＤ用（０１０１  ０００１ｂ）、ＳＤワイド用（０１０１  ００１０ｂ）、４：３用（０１０１  ００１１ｂ）、レターボックス用（０１０１  ０１００ｂ）及びパンスキャン用（０１０１  ０１０１ｂ）が定義される。
【０２６４】
図４１は、マスクデータを有するグラフィックユニットＧＵのデータ構造の一例を示す。同図に示す様に、複数のＧＵパックａ５のペイロードデータを繋ぎ合せ、１つのグラフィックユニットＧＵが構成される。図４１では、パックヘッダ、パディングパケット等の付加データは記述していない。グラフィックユニットＧＵは、大まかに、ヘッダ情報ｂ１、ハイライト情報（ＨＬＩ）ｂ２、後述する１つ以上のボタン情報ｂ２３に対応する１つ以上のマスクデータｂ３、グラフィックデータｂ４から構成される。ここでは、ハイライト情報（ＨＬＩ）ｂ２の詳細内容を記述する（残りは、後述）。ハイライト情報ｂ２は、一般情報ｂ２１、カラーパレット情報ｂ２２及び１つ以上のボタン情報ｂ２３から構成される。カラーパレット情報ｂ２２は、メニュー上のボタン色を与えるもので、ハイライトされないボタン色に指定される通常用カラーパレットｂ２２１、ユーザの矢印キー等の入力選択により、ハイライト選択されているボタン色に指定される選択用カラーパレットｂ２２２、さらにユーザがハイライト選択されたボタンを決定することで、選択色から確定色に指定される確定用カラーパレットｂ２２３を有する。また、ボタン情報ｂ２３は、ボタン形状を模るマスクデータの先頭アドレスｂ２３１、マスクデータのサイズｂ２３２、ユーザ入力により、前後左右の隣接ボタンへのボタンを移動する情報として、隣接ボタン位置情報ｂ２３３及びボタンが確定された時に実行されるボタンコマンドｂ２３４を有する。このボタンコマンドには、１つ以上のコマンドを連続配置したコマンドシーケンスを構成でき、この発明では、最大８つまでのコマンドを配置できる構成としている。ボタンが確定された時に、１〜８までのコマンドを連続実行することで、設定、分岐などの複合的な処理が一度に実行可能となる。
【０２６５】
図４２は、図４１のマスクデータを有するグラフィックユニットのデータ構造の他の一例を示す。図４２に示す様に、ハイライト情報ｂ２が図４１と異なり、一般情報ｂ２１、カラーパレット情報ｂ２２、後述する１つ以上のボタン情報に対応するマスクデータサーチ情報ｂ２４及び１つ以上のボタン情報ｂ２３から構成される。カラーパレット情報ｂ２２は、メニュー上のボタン色を与えるもので、ハイライトされないボタン色に指定される通常用カラーパレットｂ２２１、ユーザの矢印キー等の入力選択により、ハイライト選択されているボタン色に指定される選択用カラーパレットｂ２２２、さらにユーザがハイライト選択されたボタンを決定することで、選択色から確定色に指定される確定用カラーパレットｂ２２３を有する。また、マスクデータサーチ情報ｂ２４には、マスクデータの先頭アドレスｂ２４１及びマスクデータのサイズｂ２４２を有する。さらに、ボタン情報ｂ２３は、ユーザ入力により、前後左右の隣接ボタンへのボタンを移動する情報として、隣接ボタン位置情報ｂ２３３及びボタンが確定された時に実行されるボタンコマンドｂ２３４を有する。このボタンコマンドには、１つ以上のコマンドを連続配置したコマンドシーケンスを構成でき、この発明では、最大８つまでのコマンドを配置できる構成としている。ボタンが確定された時に、１〜８までのコマンドを連続実行することで、設定、分岐などの複合的な処理が一度に実行可能となる。
【０２６６】
図４３は、ヘッダ情報ｂ１及び一般情報ｂ２１の内容を示す。ヘッダ情報ｂ１には、グラフィックユニット全体の大きさを示すグラフィックユニットサイズ（ＧＵ＿ＳＺ）、グラフィックユニットに格納されるグラフィックデータ、マスクパターンの解像度（１９２０×１０８０、１４４０×１０８０、１２８０×７２０）、アスペクト比（１６：９、４：３）、表示タイプ（ＨＤ、ＳＤワイド、４：３、パンスキャン、レターボックス）などのグラフィックユニットの属性情報（ＧＵ＿ＡＴＲＩ）、ハイライト情報（ＨＬＩ）の先頭アドレス（ＨＬＩ＿ＳＡ）及びグラフィックデータの先頭アドレス（ＧＤ＿ＳＡ）を有する。
【０２６７】
また、一般情報ｂ２１には、グラフィックユニット（ＧＵ）パックａ５のヘッダに含まれるＰＴＳ（Ｐｒｅｓｅｎｔａｔｉｏｎ  Ｔｉｍｅ  Ｓｔａｍｐ）と同じ値を有するグラフィックユニットの再生開始時間（ＧＵ＿ＰＢ＿Ｓ＿ＰＴＭ）及びその再生終了時間であるグラフィックユニットの再生終了時間（ＧＵ＿ＰＢ＿Ｅ＿ＰＴＭ）を有し、このＰＴＳ情報又はグラフィックユニットの再生開始時間（ＧＵ＿ＰＢ＿Ｓ＿ＰＴＭ）と、上記グラフィックユニットの再生終了時間（ＧＵ＿ＰＢ＿Ｅ＿ＰＴＭ）情報を用いてグラフィックユニットの表示時間と（コマンドの）実行が可能な有効時間（両者の開始／終了時間は完全に一致している）を設定する。また開始／終了時間情報はＰＴＳ／ＰＴＭを使っているので、非常に精度高い時間範囲の設定が可能である。また、メニューが複数画面に跨る場合に、そのメニュー画面におけるボタンの開始番号を与えるボタンオフセット番号（ＢＴＮ＿ＯＦＮ）、メニュー画面内のボタン数（ＢＴＮ＿Ｎｓ）、数字入力により選択可能なボタン数を示す数字選択ボタンの数（ＮＳＬ＿ＢＴＮ＿Ｎｓ）、メニュー画面を表示した場合に、意図的に任意のボタン番号を選択状態にするための、強制選択ボタンの番号（ＦＯＳＬ＿ＢＴＮＮ）及びユーザが選択可能な時間帯を過ぎた場合に、強制的に決定されるボタン番号を示す強制決定ボタンの番号（ＦＯＡＣ＿ＢＴＮＮ）を有する。
【０２６８】
次にグラフィックユニットの変形例を説明する。
【０２６９】
図８５に示したグラフィックユニットヘッダＧＲＵＨの変形例はグラフィックユニットＧＲＵの各データのアドレス情報を含む。グラフィックユニットヘッダＧＲＵＨは以下の内容を含む。
【０２７０】
ＧＲＵ＿ＴＹ：グラフィックユニットタイプ
ＧＲＵ＿ＳＺ：グラフィックユニットサイズ
ＨＬＩ＿ＳＡ：ハイライト情報の先頭アドレス
ＢＴＮＰＤＴ＿ＳＡ：ボタンパターンデータテーブルの先頭アドレス
ＧＲＤ＿ＳＡ：グラフィックデータの先頭アドレス
グラフィックユニットタイプＧＲＵ＿ＴＹはＧＲＵ＿ＳＳと表示解像度を含み、ＧＲＵ＿ＳＳは次のように記述される。
【０２７１】
００ｂ：グラフィックデータが存在する
０１ｂ，１０ｂ：リザーブ
１１ｂ：グラフィックデータが存在せず、以前のグラフィックデータが使用される
注：ＨＬＩとＢＴＮＰＤＴは以前のＧＲＵから変化してもよい。
【０２７２】
グラフィックデータの表示解像度はビデオ解像度と同じである。
【０２７３】
グラフィックユニットサイズＧＲＵ＿ＳＺはＧＲＵのサイズをバイト数で記述する。
【０２７４】
ハイライト情報の先頭アドレスＨＬＩ＿ＳＡはＨＬＩの先頭アドレスをＧＲＵの１バイト目からの相対バイト番号で記述する。
【０２７５】
ボタンパターンデータテーブルの先頭アドレスＢＴＮＰＤＴ＿ＳＡはＢＴＮＰＤＴの先頭アドレスをＧＲＵの１バイト目からの相対バイト番号で記述する。
【０２７６】
グラフィックデータの先頭アドレスＧＲＤ＿ＳＡはＧＲＤの先頭アドレスをＧＲＵの１バイト目からの相対バイト番号で記述する。
【０２７７】
図８６はハイライトジェネラル情報ＨＬ＿ＧＩの内容を示す。ＨＬ＿ＧＬはＨＬＩ  の情報である。
【０２７８】
ＧＲＵ＿ＰＢ＿Ｓ＿ＦＲＭ：ＧＲＵ再生の開始ビデオフレーム
ＧＲＵ＿ＰＢ＿Ｅ＿ＦＲＭ：ＧＲＵ再生の終了ビデオフレーム
ＢＴＮ＿ＳＬ＿Ｅ＿ＦＲＭ：ボタンセレクトの終了ビデオフレーム
ＢＴＮ＿ＯＦＮ：ボタンオフセット番号
ＢＴＮ＿Ｎｓ：ボタン数
ＮＳＬ＿ＢＴＮ＿Ｎｓ：数値選択ボタン数
ＦＯＳＬ＿ＢＴＮＮ：強制選択ボタン番号
ＦＯＡＣ＿ＢＴＮＮ：強制確定ボタン番号
ＧＲＵ再生の開始ビデオフレームＧＲＵ＿ＰＢ＿Ｓ＿ＦＲＭはこのＨＬＩが有効になった時、ＧＲ＿ＰＫＴ内に記述されたＰＴＳと同じＰＴＳを持つビデオフレームからの相対ビデオフレーム番号でグラフィックユニットの再生開始ビデオフレームを記述する。
【０２７９】
ＧＲＵ再生の終了ビデオフレームＧＲＵ＿ＰＢ＿Ｅ＿ＦＲＭはこのＨＬＩが有効になった時、ＧＲ＿ＰＫＴ内に記述されたＰＴＳと同じＰＴＳを持つビデオフレームからの相対ビデオフレーム番号でグラフィックユニットの再生終了ビデオフレームを記述する。
【０２８０】
終了ビデオフレームは次のＧＲＵを含むグラフィックパック内に記述されたＰＴＳと同じＰＴＳを持つ先頭ビデオフレーム以下である。
ボタンセレクトの終了ビデオフレームＢＴＮ＿ＳＬ＿Ｅ＿ＦＲＭは、ＧＲ＿ＰＫＴ内に記述されたＰＴＳと同じＰＴＳを持つビデオフレームからの相対ビデオフレーム番号でボタンセレクション有効期間の終了ビデオフレームを記述する。
【０２８１】
ボタンセレクション終了ビデオフレームはこのグラフィックユニットの再生終了ビデオフレーム以下である。
ボタンオフセット番号ＢＴＮ＿ＯＦＮはユーザボタン番号Ｕ＿ＢＴＮＮのためのボタンオフセット番号を記述する。
【０２８２】
ボタン数ＢＴＮ＿Ｎｓは有効なボタン数を記述する。
数値選択ボタン数ＮＳＬ＿ＢＴＮ＿ＮｓはＵ＿ＢＴＮＮにより選択可能なボタンの数を記述する。
【０２８３】
強制選択ボタン番号ＦＯＳＬ＿ＢＴＮＮはＧＲＵ＿ＰＢ＿Ｓ＿ＦＲＭのビデオフレームで強制的に選択されるボタン番号を記述する。
強制確定ボタン番号ＦＯＡＣ＿ＢＴＮＮはＧＲＵ＿ＰＢ＿Ｅ＿ＦＲＭのビデオフレームで強制的に確定されるボタン番号を記述する。
強制的に確定されるボタン番号が無い時、ボタン番号０が記述される。
【０２８４】
選択されたボタン番号が強制的に確定される時、ボタン番号６３が記述される。
【０２８５】
図４４は、グラフィックユニットに格納されるデータイメージを示している。右上には、マスクデータｂ３に格納されるイメージを示し、マスクデータは、１ビット／画素で構成されたマスク（ボタン）パターンである。各マスクデータは、メニュー画面上でのボタンに対応する。右下には、グラフィックデータに格納されるデータを示し、グラフィックデータは、８ビット／画素で構成された２５６色グラフィックパターンである。
【０２８６】
図４５は、マスクパターンを含むビデオ合成の一例を示す。図４５において、ビデオ合成出力（Ｄ）は、主映像（Ａ）、グラフィックパターン（Ｂ）およびマスクパターン（Ｃ）の３つのプレーンから構成され、それぞれ、主映像（Ａ）＋グラフィックパターン（Ｂ）＋マスクパターン（Ｃ）のデータを重ね合わせることでビデオ合成が為される。マスクプレーンでは、（１）〜（３）のボタンから選択されたボタンを重ね合わせる。図４５において、ビデオ合成出力（Ｄ）は、（１）のマスク（ボタン）パターンが選択された状態を示している。また、グラフィックパターン（Ｂ）とマスク（ボタン）パターン（Ｃ）のデータは、グラフィックユニットＧＵに格納される。
【０２８７】
図４６は、カラーパレット情報ｂ２２に格納されるカラー・コントラスト情報テーブルの一例を示す。左端は通常用カラーパレットｂ２２１、中央は選択用カラーパレットｂ２２２、右端は確定用カラーパレットｂ２２３の例を示し、‘００ｈ’〜‘ＦＦｈ’までの２５６のカラー・コントラストテーブルで構成され、Ｒ（Ｒｅｄ）、Ｇ（Ｇｒｅｅｎ）、Ｂ（Ｂｌｕｅ）各８ビットのカラーデータおよびコントラストデータ８ビットの計４バイトで表現される。図４６の例では、グラフィックデータの楕円形ボタン部分が‘８０ｈ’、星型ボタン部分が‘Ｃ７ｈ’及び背景部分が‘ＦＦｈ’であり、‘８０ｈ’のボタン画素部分は、通常用カラーパレットｂ２２１では、赤色（Ｒ：‘ＦＦｈ’、Ｇ：‘００ｈ’、Ｂ：‘００ｈ’）、半透明（‘８０ｈ’）、選択用カラーパレットｂ２２２では、青色（Ｒ：‘００ｈ’、Ｇ：‘００ｈ’、Ｂ：‘ＦＦｈ’）、半透明（‘８０ｈ’）、確定用カラーパレットｂ２２３では、緑色（Ｒ：‘００ｈ’、Ｇ：‘ＦＦｈ’、Ｂ：‘００ｈ’）、半透明（‘８０ｈ’）が割当てられ、それぞれ‘ＦＦｈ’の背景画素部分は、白色（Ｒ：‘ＦＦｈ’、Ｇ：‘ＦＦｈ’、Ｂ：‘ＦＦｈ’）、透明（‘ＦＦｈ’）で構成される。
【０２８８】
図４６では、マスクパターンが重ね合わされた「ボタン部分」に当たる箇所が、選択用カラーパレットによって、赤色から青色に変化し、さらにユーザのボタン決定動作により、青色から緑色に変化する例を示したものである。これにより、メニュー画面上で、ユーザの選択動作によるボタンハイライトが実行され、ユーザに選択しているボタンを把握させ、ユーザの決定動作によるボタンハイライトが実行され、ユーザに確定したボタンを把握させることができる。
【０２８９】
図４７は、グラフィックユニットＧＵに格納される１ビット／画素のマスクデータｂ３のビット定義を示す。ビットの値が‘１ｂ’の時は、グラフィックパターンで指定された選択（色、コントラスト）または、確定（色、コントラスト）を表示する。ビット値が‘０ｂ’の時は、背景（主映像プレーンまたはグラフィックプレーンの通常（色、コントラスト）を表示）を透過する。
【０２９０】
図４８は、ディスク形状の情報記憶媒体１から、そこに格納されている情報を読み出して再生する情報再生装置（プレーヤ）を示している。すなわち、情報記憶媒体１はディスクドライブ部１０１に装着されている。ディスクドライブ部１０１は、装着された情報記憶媒体１を回転駆動し、光ピックアップ（図示せず）を用いて情報記憶媒体１に格納されている情報を読み取るものである。
【０２９１】
ディスクドライブ部１０１で読み取られた情報は、データプロセッサ部１０２に供給され、エラー訂正処理が施された後、データプロセッサ部１０２内のトラックバッファ（図示せず）に格納される。そして、このトラックバッファに格納された情報のうち、上記ＨＤビデオマネージャ情報領域３１、ＨＤビデオタイトルセット情報領域４１の管理情報は、メモリ部１２２に記録され、再生制御やデータ管理等に利用される。上記トラックバッファに格納された情報のうち、上記ビデオ・オブジェクト領域３２、４２、４３の情報は、分離部１０３に転送され、ビデオパックａ４、グラフィックユニットパックａ５、オーディオパックａ６及び副映像パックａ７毎に分離される。ビデオパックａ４の情報はビデオデコーダ部１１１、副映像パックａ７の情報は副映像デコーダ部１１２に、グラフィックユニットパックａ５の情報はグラフィックデコーダ部１１３に、オーディオパックａ６の情報はオーディオデコーダ部１１４にそれぞれ供給され、デコード処理が行なわれる。
【０２９２】
ビデオデコーダ部１１１でデコード処理された主映像情報と、副映像デコーダ部１１２でデコード処理された副映像情報と、グラフィックデコーダ部１１３でデコード処理されたグラフィック情報とは、ビデオプロセッサ部１０４に供給されて重畳処理が施された後、Ｄ／Ａ（デジタル／アナログ）変換部１３２でアナログ化され、映像信号として図示しない映像表示装置（例えばＣＲＴ：Ｃａｔｈｏｄｅ  Ｒａｙ  Ｔｕｂｅ等）に出力される。オーディオデコーダ部１１４でデコード処理された音声情報は、Ｄ／Ａ変換部１３３でアナログ化され、音声信号として図示しない音声再生装置（例えばスピーカ等）に出力される。
【０２９３】
上記のような情報記憶媒体１に対する一連の再生動作は、ＭＰＵ（Ｍｉｃｒｏ  Ｐｒｏｃｅｓｓｉｎｇ  Ｕｎｉｔ）部１２１によって統括的に制御されている。ＭＰＵ部１２１は、キー入力部１３１からの操作情報を受け、ＲＯＭ（Ｒｅａｄ  Ｏｎｌｙ  Ｍｅｍｏｒｙ）部１２３に格納されたプログラムに基づいて、各部を制御している。
【０２９４】
図４９、図５０、図５１は、図４８の分離部１０３以降のビデオ系デコーダブロックのモデル例Ａ、Ｂ及びＣを説明する図である。ビデオデコーダ部１１１は、ビデオ入力バッファ、ビデオデコーダ及びビデオデコーダバッファから構成され、ビデオデコーダでデコードされたビデオデータは、後段のビデオプロセッサ部１０４へ送られる。副映像デコーダ部１１２は、副映像ユニット入力バッファ、副映像デコーダ及び副映像デコーダバッファから構成され、副映像デコーダでデコードされた副映像データは、後段のビデオプロセッサ部１０４へ送られる。グラフィックデコーダ部１１３は、分離部１０３で分離されたグラフィックユニットパックａ５をバッファリングし、少なくとも１つのグラフィックユニットを格納可能なグラフィックユニット入力バッファ１１３ａ、入力バッファ１１３ａに格納されたグラフィックユニットのハイライト情報ｂ２及びマスクデータｂ３をデコードするハイライトデコーダ１１３ｂ及びそのハイライトバッファ１１３ｃ、入力バッファ１１３ａに格納されたグラフィックユニットのグラフィックデータｂ４をデコードするグラフィックデコーダ１１３ｅ及びそのグラフィックバッファ１１３ｆから構成され、さらにハイライトデコーダ１１３ｂでデコードされたボタンパターンは、後段のミキサー１１３ｄにより、グラフィックデコーダ１１３ｅでデコードされたグラフィックデータと混合され、パレット選択１１３ｇ、ハイライト処理１１３ｈが施された後、ビデオプロセッサ部１０４へ送られる。
【０２９５】
図４９はグラフィックデコーダを有するデコーダモデルＡの例を示す。デコーダモデルＡでは、上記で説明した各デコーダでデコードされたデータは、ビデオプロセッサ部１０４において、ミキサー１０４ａにより、ビデオデータ、副映像データ及びグラフィックデータが混合、重畳される。さらに、接続される表示装置が、スタンダードテレビ（ＳＤＴＶ）の時は、ダウンコンバータ１０４ｂによりダウンコンバート処理が施され、ビデオ出力される。
【０２９６】
図５０はグラフィックデコーダを有するデコーダモデルＢの例を示す。デコーダモデルＢでは、上記で説明した各デコーダでデコードされたデータは、ビデオプロセッサ部１０４において、先ず、第１のミキサー１０４ａにより、ビデオデータとグラフィックデータが混合、重畳される。その後、接続される表示装置が、スタンダードテレビ（ＳＤＴＶ）の時は、ダウンコンバータ１０４ｂによりダウンコンバート処理が施され、さらに接続される表示装置のアスペクト比が４：３の場合には、レターボックス（ＬＢ）／パンスキャン（ＰＳ）変換部１０４ｃにより、レターボックス又はパンスキャン変換処理が施され、その後、第２のミキサー１０４ｄで、表示タイプ（ＨＤ、ＳＤワイド、４：３、パンスキャン、レターボックス）に対応する副映像データと混合、重畳され、ビデオ出力される。
【０２９７】
図５１はグラフィックデコーダを有するデコーダモデルＣの例を示す。デコーダモデルＣでは、上記で説明した各デコーダでデコードされたデータは、ビデオプロセッサ部１０４において、先ず、接続される表示装置が、スタンダードテレビ（ＳＤＴＶ）の時は、ダウンコンバータ１０４ｂによりダウンコンバート処理が施され、さらに接続される表示装置のアスペクト比が４：３の場合には、レターボックス／パンスキャン変換部１０４ｃにより、レターボックス又はパンスキャン変換処理が施され、その後、後段のミキサー１０４ａで、表示タイプ（ＨＤ、ＳＤワイド、４：３、パンスキャン、レターボックス）に対応する副映像データ及びグラフィックデータが混合、重畳され、ビデオ出力される。
【０２９８】
図５２は図４１及び図４２で示したグラフィックユニットＧＵのデータ構造において、ボタン位置情報を有する別の一例を示す。図５２に示す様に、複数のＧＵパックａ５のペイロードデータを繋ぎ合せ、１つのグラフィックユニットＧＵが構成される。図では、パックヘッダ、パディングパケット等の付加データは記述していない。グラフィックユニットＧＵは、大まかに、ヘッダ情報ｂ１、ハイライト情報（ＨＬＩ）ｂ２及びグラフィックデータｂ４から構成され、マスクデータｂ３は持たない。ここでは、ハイライト情報（ＨＬＩ）ｂ２の詳細内容を記述する（ヘッダ情報ｂ１、一般情報ｂ２１は、図４１、図４２に同じ）。
【０２９９】
ハイライト情報ｂ２は、一般情報ｂ２１、カラーパレット情報ｂ２２及び１つ以上のボタン情報ｂ２３から構成される。カラーパレット情報ｂ２２は、メニュー上のボタン色を与えるもので、ハイライトされないボタン色に指定される複数の通常用カラーパレットｅ２２１、ユーザの矢印キー等の入力選択により、ハイライト選択されているボタン色に指定される複数の選択用カラーパレットｅ２２２、さらにユーザがハイライト選択されたボタンを決定することで、選択色から確定色に指定される複数の確定用カラーパレットｅ２２３を有する。
【０３００】
ボタン情報ｅ２３は、上記複数の通常用、選択用及び確定用のカラーパレットの番号を夫々指定する使用カラーパレット情報ｅ２３１、メニュー画面上に、１つのボタン情報で複数の選択可能な位置（ホットスポット）を与えるボタンのホットスポット情報の数ｅ２３２、その数に対応したボタンの各ホットスポット情報ｅ２３３、ユーザ入力により、前後左右の隣接ボタンへのボタンを移動する情報として、隣接ボタン位置情報ｅ２３４及びボタンが確定された時に実行されるボタンコマンドｅ２３５を有する。このボタンコマンドには、１つ以上のコマンドを連続配置したコマンドシーケンスを構成でき、この発明では、最大８つまでのコマンドを配置できる構成としている。ボタンが確定された時に、１〜８までのコマンドを連続実行することで、設定、分岐などの複合的な処理が一度に実行可能となる。
【０３０１】
図５３は、図５２で示したボタン位置情報を有するグラフィックユニットを含むビデオ合成の一例を示す。図５３において、ビデオ合成出力（Ｃ）は、主映像（Ａ）、グラフィックパターン（Ｂ）の２つのプレーン及び各ボタンのボタン位置情報ｅ２３３（メニュー画面上で、１つのボタン情報に対して、ユーザがポイント可能な複数のホットスポットを指定可能、実行されるボタンコマンド同じ）から構成され、それぞれ、主映像（Ａ）＋グラフィックパターン（Ｂ）＋（１）〜（３）のボタン位置情報を重ね合わせることでビデオ合成が為される。図５３において、ビデオ合成出力（Ｃ）は、（１）のボタン位置情報が選択された状態を示している。また、グラフィックパターン（Ｂ）と各ボタン位置情報は、グラフィックユニットに格納される。図５３の例では、各ボタン位置情報に２つのホットスポットが指定されており、（１）のボタン１用のボタン位置情報は、ホットスポット１１及び１２の位置情報を有し、夫々グラフィックパターンの上部の楕円及び星形状のボタンに対応し、そのどちらのボタンが選択／確定されても、同じボタンコマンドｅ２３５が発行され、メニューの選択確定動作は、同じである。同様に、（２）のボタン２用のボタン位置情報は、ホットスポット２１及び２２の位置情報を有し、夫々グラフィックパターンの中央部の楕円及び星形状のボタンに対応し、（３）のボタン３用のボタン位置情報は、ホットスポット３１及び３２の位置情報を有し、夫々グラフィックパターンの下部の楕円及び星形状のボタンに対応している。
【０３０２】
図５４は、図４５で示したビデオ合成に、さらに副映像データを含むビデオ合成の一例を示したものである。図５４において、ビデオ合成出力（Ｅ）は、主映像（Ａ）、副映像（Ｂ）、グラフィックパターン（Ｃ）およびマスクパターン（Ｄ）の４つのプレーンから構成され、それぞれ、主映像（Ａ）＋副映像（Ｂ）＋グラフィックパターン（Ｃ）＋マスクパターン（Ｄ）のデータを重ね合わせることでビデオ合成が為される。マスクプレーンでは、（１）〜（６）のボタンから選択されたボタンを重ね合わせる。図５４において、ビデオ合成出力（Ｅ）は、（１）のマスク（ボタン）パターンが選択された状態を示している。また、グラフィックパターン（Ｃ）とマスク（ボタン）パターン（Ｄ）のデータは、グラフィックユニットＧＵに格納される。
【０３０３】
図５５は、グラフィックデコーダを含むビデオデコーダ関連のビデオ合成フローを示す。図５５において、ビデオ合成は、
（１）ビデオデコーダでビデオデータをデコードする（ステップＳ１）
（２）副映像デコーダで副映像データをデコードする（ステップＳ２）
（３）グラフィックデコーダでグラフィックデータをデコードする（ステップＳ３）
（４）ハイライトデコーダでマスクデータをデコードする（ステップＳ４）
（５）グラフィックデータとマスクデータをミキサー混合する（ステップＳ５）
（６）カラーパレット選択とハイライト処理を実行する（ステップＳ６）
（７）ビデオ、副映像、グラフィックデコーダでデコードされた各データをミキサーで混合する（ステップＳ７）
（８）必要に応じて、ダウンコンバート、レターボックス（ＬＢ）及びパンスキャン（ＰＳ）等の変換処理を実行し、ビデオ出力する（ステップＳ８）
以上説明した様に、グラフィックユニットＧＵを記録した情報記憶媒体及びグラフィックユニットＧＵをデコードできるシステムでは、２５６色までのグラフィックで、従来の矩形ボタンのみならず、楕円形や星型などの複雑なボタン形状が構築でき、ユーザに対し多彩なメニュー画面を提供できる。さらに、グラフィックユニットＧＵは、字幕などに用いられる副映像ストリームと分離して構築されるので、従来のＳＤのＤＶＤメニューの様に、副映像の表示期間に左右されることなくグラフィックユニットＧＵの時間情報でメニュー選択期間を設定できるので、コンテンツ製作者の自由度が広がり、より多彩なコンテンツをユーザに提供可能となる。
【０３０４】
図１９に示したメニュー用オーディオオブジェクト領域（ＨＤＭＥＮＵ＿ＡＯＢＳ）３３内のデータ構造に関する他の例を図５６に示す。図１９とは異なり、図５６ではメニュー用オーディオオブジェクト領域（ＨＤＭＥＮＵ＿ＡＯＢＳ）３３内には唯一のメニュー用オーディオオブジェクトＨＤＭＥＮＵ＿ＡＯＢのみが記録され得る構造になっている。このメニュー用オーディオオブジェクトＨＤＭＥＮＵ＿ＡＯＢ内は任意の位置で設定できる１個または複数のエントリ（エントリポイント）により細分割出来る。各メニュー画面表示時に同時に再生する背景音声（バックグランドミュージック）の再生範囲は上記メニュー用オーディオオブジェクトＨＤＭＥＮＵ＿ＡＯＢ内のオーディオデータが記録されている先頭境界位置または最終境界位置（ＡＯＢ終了アドレス）あるいは事前に設定されたエントリ位置を境界範囲として繰り返し再生される構造になっている。すなわち、図５６に示す例では、ＰＧＣ＃Ａに対応したメニュー画面の表示時には第２エントリ位置から第３エントリ位置の範囲で繰り返し再生が行われ、ＰＧＣ＃Ｂに対応したメニュー画面の表示時にはメニュー用オーディオオブジェクトＨＤＭＥＮＵ＿ＡＯＢ内のオーディオデータが記録されている先頭境界位置である第１エントリ位置から第４エントリ位置の範囲で繰り返し再生が行われ、ＰＧＣ＃Ｃに対応したメニュー画面の表示時には第４エントリ位置からメニュー用オーディオオブジェクトＨＤＭＥＮＵ＿ＡＯＢの最終境界位置（ＡＯＢ終了アドレス）の範囲で繰り返し再生が行われる。この各エントリの位置は上記メニュー用オーディオオブジェクトＨＤＭＥＮＵ＿ＡＯＢ内の先行位置に配置されたＨＤＭＥＮＵ＿ＡＯＢヘッダ情報記録領域ＡＯＢ＿ＨＩ内で規定される。
【０３０５】
上記ＨＤＭＥＮＵ＿ＡＯＢヘッダ情報記録領域ＡＯＢ＿ＨＩ内のデータ構造を図５７に示す。ＨＤＭＥＮＵ＿ＡＯＢの終了アドレスＡＯＢ＿ＥＡにより上記メニュー用オーディオオブジェクトＨＤＭＥＮＵ＿ＡＯＢ全体のデータサイズが分かり、ＨＤＭＥＮＵ＿ＡＯＢのエントリポイント数情報ＡＯＢ＿ＥＰ＿Ｎｓで図５６に設定されたエントリ（エントリポイント）数が分かる。
【０３０６】
ＨＤＭＥＮＵ＿ＡＯＢの各エントリポイントの先頭アドレス情報ＡＯＢ＿１ＳＴ＿ＥＰ〜ＡＯＢ＿５ＴＨ＿ＥＰは上記メニュー用オーディオオブジェクトＨＤＭＥＮＵ＿ＡＯＢ内ヘッダ情報記録領域ＡＯＢ＿ＨＩの先頭位置（ＨＤＭＥＮＵ＿ＡＯＢ先頭位置）からの相対的なアドレス（アドレスの差分情報）で規定される。ここで、ＨＤＭＥＮＵ＿ＡＯＢのオーディオデータは、エレメンタリで記録されるので、このアドレス情報はバイト単位で表現する。また、ＨＤＭＥＮＵ＿ＡＯＢのオーディオデータを２０４８バイトで構成するパック単位に記録することも可能であり、この時２０４８バイト単位で論理ブロック番号（ＬＢＮ：Ｌｏｇｉｃａｌ  Ｂｌｏｃｋ  Ｎｕｍｂｅｒ）が設定されているので、上記アドレス情報を相対的な論理ブロック番号（ＲＬＢＮ：Ｒｅｌａｔｉｖｅ  Ｌｏｇｉｃａｌ  Ｂｌｏｃｋ  Ｎｕｍｂｅｒ）で記述することも可能である。図５６に示す実施例では上記メニュー用オーディオオブジェクトＨＤＭＥＮＵ＿ＡＯＢ内のオーディオデータが記録されている先頭境界位置は最初のエントリ位置（第１エントリ位置）と一致しているので、ＨＤＭＥＮＵ＿ＡＯＢの第１エントリポイントの先頭アドレス情報ＡＯＢ＿１ＳＴ＿ＥＰによりＨＤＭＥＮＵ＿ＡＯＢヘッダ情報記録領域ＡＯＢ＿ＨＩ内のデータサイズが分かる。メニュー用オーディオデータ内は図５６に示すように第１エントリから第５エントリに至る最大５エントリまでが設定可能な構造になっている。従って、図５７に示すように、必ずＨＤＭＥＮＵ＿ＡＯＢの第２エントリポイントの先頭アドレス情報ＡＯＢ＿２ＮＤ＿ＥＰからＨＤＭＥＮＵ＿ＡＯＢの第５エントリポイントの先頭アドレス情報ＡＯＢ＿５ＴＨ＿ＥＰの情報が記録される。もしメニュー用オーディオデータ内で設定されるエントリ数が３以下（例えばｎ）の場合には‘ｎ＋１’番目以降のエントリポイントの先頭アドレスＡＯＢ＿（ｎ＋１以上）ＴＨ＿ＥＰは‘００００００００ｈ’と設定される。このような設定方法によりメニュー用オーディオデータ内を５個以下の任意数のエントリ（エントリポイント）で細分割する事が可能となる。図５６の例では、最大５エントリとしているが、それ以上のエントリを設定してもよい。
【０３０７】
図５６に示した例に対応し、図８に対する他の例を図５８、図２４に対する他の例を図５９、図２７に対する他の例を図６０に示す。
【０３０８】
図５８に示すように、ビデオマネージャプログラムチェーンカテゴリ情報ＨＤＶＭＧＭ＿ＰＧＣカテゴリ（ＨＤＶＭＧＭ＿ＰＧＣ＿ＣＡＴ）情報内には、エントリＰＧＣか否かを判別するエントリタイプ情報、ブロックモード情報、ブロックタイプ情報、メニューの識別を表す（例えばタイトルのメニューか等）メニューＩＤ情報、ＰＴＬ＿ＩＤ＿ＦＬＤ情報、音声情報選択フラグ、先頭エントリ番号、終了エントリ番号が記録されている。音声情報選択フラグはメニュー用オーディオオブジェクトＨＤＭＥＮＵ＿ＡＯＢの再生か、メニュー用ビデオオブジェクトＨＤＶＭＧＭ＿ＶＯＢのオーディオの再生かの選択と、ＨＤＭＥＮＵ＿ＡＯＢの開始・終了トリガを示す。音声情報選択フラグが‘００’の場合、ＰＧＣで指定されたＨＤＶＭＧＭ＿ＶＯＢ中のオーディオが再生される（ＨＤＭＥＮＵ＿ＡＯＢの再生は停止）。音声情報選択フラグが‘１０’の場合、ＨＤＭＥＮＵ＿ＡＯＢのオーディオが続けて再生される（ＨＤＶＭＧＭ＿ＶＯＢ中のオーディオは無視）。音声情報選択フラグが‘１１’の場合、ＨＤＭＥＮＵ＿ＡＯＢのオーディオが続けて再生される（ＨＤＶＭＧＭ＿ＶＯＢ中のオーディオは無視）。先頭エントリ番号はＨＤＭＥＮＵ＿ＡＯＢのオーディオの再生を開始するエントリ番号を指定する。終了エントリ番号はＨＤＭＥＮＵ＿ＡＯＢのオーディオの再生を終了するエントリ番号を指定する。値が‘０００’の場合は、ＨＤＭＥＮＵ＿ＡＯＢの終了アドレスを示す。
【０３０９】
図５９に示すようにＨＤＶＴＳ＿ＰＧＣＩサーチポインタ４１２内のＨＤＶＴＳ＿ＰＧＣカテゴリ（ＨＤＶＴＳ＿ＰＧＣ＿ＣＡＴ）内には、エントリタイプ情報、ＲＭＳ許可フラグ、ブロックモード情報、ブロックタイプ情報、メニューＩＤ情報、ＰＴＬ＿ＩＤ＿ＦＬＤ情報、音声情報選択フラグ、先頭エントリ番号、終了エントリ番号が記録されている。ＲＭＳ許可フラグはＲＳＭ命令やＲｅｓｕｍｅ（）ファンクションによる再生再開がこのＰＧＣで許可されるか否かを示す。ＲＭＳ許可フラグが‘０’の場合、ＲＳＭ情報の更新を許可し、ＲＭＳ許可フラグが‘１’の場合、ＲＳＭ情報の更新を禁止する。
【０３１０】
図６０に示すＨＤＶＴＳＭ＿ＰＧＣカテゴリ情報（ＨＤＶＴＳＭ＿ＰＧＣ＿ＣＡＴ）内には、エントリタイプ情報、ブロックモード情報、ブロックタイプ情報、メニューＩＤ情報、ＰＴＬ＿ＩＤ＿ＦＬＤ情報、音声情報選択フラグ、先頭エントリ番号、終了エントリ番号が記録されている。
【０３１１】
図５８〜図６０では図５６に示したメニュー用オーディオデータ内の再生範囲を先頭エントリ番号と終了エントリ番号で規定している。繰り返し再生範囲の終了位置が図５６に示したＡＯＢ終了アドレスに一致する場合には、終了エントリ番号は‘０００ｂ’と設定する。例えば、図５６に示すように、ＰＧＣ＃Ｂに対応したメニュー画面表示時に再生する背景音声（バックグランドミュージック）の繰り返し再生範囲としては開始位置がメニュー用オーディオデータの開始位置開始（第１エントリ）に一致するので開始エントリ番号は‘１’、終了位置が第４エントリ位置と一致するので終了エントリ番号は‘４’となる。また、ＰＧＣ＃Ｃに対応したメニュー画面表示時に再生する背景音声（バックグランドミュージック）の繰り返し再生範囲としては開始位置が第４エントリ位置に一致するので開始エントリ番号は‘４’、終了位置がＡＯＢ終了アドレスと一致するので終了エントリ番号は‘０００ｂ’となる。音声情報選択フラグはＨＤＭＥＮＵ＿ＡＯＢのオーディオ再生かＶＯＢＳ（ＨＤＶＭＧＭ＿ＶＯＢＳ，ＨＤＶＴＳＭ＿ＶＯＢＳ又はＨＤＶＴＳ＿ＶＯＢＳ）のオーディオ再生かの選択とＨＤＭＥＮＵ＿ＡＯＢの開始・終了トリガを示す。すなわち上記音声情報選択フラグが‘００ｂ’の場合にはＰＧＣで指定されたＶＯＢ中のオーディオが再生される（ＨＤＭＥＮＵ＿ＡＯＢ停止）事を意味し、‘１０ｂ’の場合にはＨＤＭＥＮＵ＿ＡＯＢが続けて再生され（ＶＯＢ中のオーディオは無視）、‘１１ｂ’の場合にはＨＤＭＥＮＵ＿ＡＯＢの再生を開始（ＶＯＢ中のオーディオは無視）を意味している。
【０３１２】
図６１にメニュー用オーディオオブジェクトＨＤＭＥＮＵ＿ＡＯＢの再生フローチャートを示す。先ず、ＨＤＭＥＮＵ＿ＡＯＢのヘッダ情報（ＡＯＢ＿ＨＩ）を読み出し、取得した（Ｓ１１）後、各エントリポイントのアドレス（ＡＯＢ＿１ＳＴ＿ＥＰ他）の取得（Ｓ１２）と、再生するプログラムチェーン（ＰＧＣ）中のカテゴリ情報（ＰＧＣ＿ＣＡＴ）を検出し、「音声情報選択フラグ」、「先頭エントリ番号」及び「終了エントリ番号」を取得（Ｓ１３）する。取得した「音声情報選択フラグ」が‘００ｂ’か否かを判定し（Ｓ１４）、‘００ｂ’の場合にはＨＤＭＥＮＵ＿ＡＯＢを再生している時は、再生を停止（Ｓ１５）し、ＰＧＣで指定されたＶＯＢ中のオーディオを再生する（Ｓ１６）。
【０３１３】
もし「音声情報選択フラグ」が‘００ｂ’で無い場合には、更に「音声情報選択フラグ」が‘１１ｂ’か否かを判定（Ｓ１７）する。「音声情報選択フラグ」が‘１１ｂ’の場合には、ＨＤＭＥＮＵ＿ＡＯＢを「先頭エントリ番号」から再生開始（Ｓ１８）し、終了エントリ番号が‘０００ｂ’か否かを判定（Ｓ２１）する。終了エントリ番号が‘０００ｂ’の場合にはＡＯＢ終了アドレスまで再生（Ｓ２２）し、終了エントリ番号が‘０００ｂ’で無い場合には「終了エントリ番号」の手前まで再生（Ｓ２３）した後に、「先頭エントリ番号」からの繰り返し再生（Ｓ２４）を行う。また「音声情報選択フラグ」が‘１１ｂ’で無い場合には、「音声情報選択フラグ」が‘１０ｂ’か否かを判定（Ｓ１９）し、該当した場合にはＨＤＭＥＮＵ＿ＡＯＢを継続して再生（Ｓ２０）する。
【０３１４】
次に、上記実施形態におけるコマンド及びシステムパラメータについて説明する。コマンドとはユーザがインタラクティブにＤＶＤ−ｖｉｄｅｏの再生をする時のインタラクティブ処理操作方法を指定する内容であり、例えばメニュー画面にチャプターメニューを再生し、チャプターメニューをクリックすることにより、そこから再生を開始するというコマンドがある。システムパラメータとはプレーヤを制御する種々の情報がセットされるものである。
【０３１５】
図４８に示す情報再生装置内のシステムブロック図においてメモリ部１２２内に、図６２に示すような種々の情報が格納されるシステムパラメータＳＰＲＭ（０）−ＳＰＲＭ（３１）を格納する領域が割り当てられている。ＳＰＲＭ（０）には再生中のカレントメニュー言語コードＣＭ＿ＬＣＤが、ＳＰＲＭ（１）にはタイトルドメイン（ＴＴ＿ＤＯＭ）内でのオーディオストリーム番号ＡＳＴＮが、ＳＰＲＭ（２）にはＴＴ＿ＤＯＭ内でのサブピクチャストリーム番号ＳＰＳＴＮとオン／オフフラグが、ＳＰＲＭ（３）にはＴＴ＿ＤＯＭ内でのアングル番号ＡＧＬＮが、ＳＰＲＭ（４）にはＴＴ＿ＤＯＭ内でのタイトル番号ＴＴＮが、ＳＰＲＭ（５）にはＴＴ＿ＤＯＭ内でのビデオタイトル番号ＶＴＳ＿ＴＴＮが、ＳＰＲＭ（６）にはＴＴ＿ＤＯＭ内でのタイトルＰＧＣ番号ＴＴ＿ＰＧＣが、ＳＰＲＭ（７）には１シーケンシャルＰＧＣタイトル用タイトル番号パートＰＴＴＮが、ＳＰＲＭ（８）には選択状態用ハイライトボタン番号ＨＬ＿ＢＴＴＮが、ＳＰＲＭ（９）にはナビゲーションタイマＮＶ＿ＴＭＲが、ＳＰＲＭ（１０）にはＮＶ＿ＴＭＲ用ＴＴ＿ＰＧＣＮが、ＳＰＲＭ（１１）にはカラオケ用プレーヤオーディオミキシングモードＰ＿ＡＭＸＭＤが、ＳＰＲＭ（１２）にはパレンタルマネージメント用カントリーコードＣＴＹ＿ＣＤが、ＳＰＲＭ（１３）にはパレンタルレベルＰＴＬ＿ＬＶＬが、ＳＰＲＭ（１４）にはビデオ用プレーヤコンフィグレーションＰ＿ＣＦＧが、ＳＰＲＭ（１５）にはオーディオ用プレーヤコンフィグレーションＰ＿ＣＦＧが、ＳＰＲＭ（１６）にはＡＳＴ用イニシャル言語コードＩＮＩ＿ＬＣＤが、ＳＰＲＭ（１７）にはＡＳＴ用イニシャル言語コードエクステンションＩＮＩ＿ＬＣＤ＿ＥＸＴが、ＳＰＲＭ（１８）にはＳＰＳＴ用ＩＮＩ＿ＬＣＤが、ＳＰＲＭ（１９）にはＳＰＳＴ用ＩＮＩ＿ＬＣＤ＿ＥＸＴが、ＳＰＲＭ（２０）にはプレーヤリージョンコードが、ＳＰＲＭ（２１）にはイニシャルメニュー記述コードＩＮＩ＿Ｍ＿ＬＣＤが、ＳＰＲＭ（２６）にはメニュースペース用オーディオストリーム番号ＡＳＴＮが、ＳＰＲＭ（２７）にはメニュースペース用サブピクチャストリーム番号ＳＰＳＴＮとオン／オフフラグが、ＳＰＲＭ（２８）にはメニュースペース用アングル番号ＡＧＬＮが、ＳＰＲＭ（２９）にはＦＰ＿ＤＯＭ用オーディオストリーム番号ＡＳＴＮが、ＳＰＲＭ（３０）にはＦＰ＿ＤＯＭ用サブピクチャストリーム番号ＳＰＳＴＮとオン／オフフラグが格納され、ＳＰＲＭ（２２）〜ＳＰＲＭ（２５）、ＳＰＲＭ（３１）はリザーブとされる。
【０３１６】
ＳＰＲＭ（２１）はメニュー用のイニシャルメニュー記述コードＩＮＩ＿Ｍ＿ＬＣＤを指定するものであり、読出し専用のナビゲーションコマンドである。
【０３１７】
初期アクセス時はこのパラメータがセットされ、その値はＳＰＲＭ（０）にコピーされる。
【０３１８】
停止状態では、このパラメータはユーザ操作のみにより変更可能である。ＳＰＲＭ（２１）が変更される度にその値はＳＰＲＭ（０）にコピーされる。
【０３１９】
他のドメインでは、このパラメータは変更されない。
【０３２０】
ＳＰＲＭ（２６）はメニュースペース用に現在選択されているＡＳＴＮを指定するパラメータである。
【０３２１】
ＳＰＲＭ（２６）の値はユーザ操作、ナビゲーションコマンド、あるいはメニュースペース内のオーディオ、副映像ストリーム選択のためのアルゴリズム３により変更される。
【０３２２】
ａ）メニュースペース内
ＳＰＲＭ（２６）の値が変更されると、再生されるオーディオストリームが変更される。
【０３２３】
ｂ）ＦＰ＿ＤＯＭ、あるいはＴＴ＿ＤＯＭ内
メニュースペース内でセットされているＳＰＲＭ（２６）の値は保持される。
【０３２４】
ＳＰＲＭ（２６）の値はユーザ操作では変更されない。
【０３２５】
ＦＰ＿ＤＯＭ、あるいはＴＴ＿ＤＯＭ内でナビゲーションコマンドによりＳＰＲＭ（２６）の値が変更されると、メニュースペース内で有効となる。
【０３２６】
このパラメータは現在のデコーディングオーディオストリーム番号を指定しない。
【０３２７】
ＳＰＲＭ（２７）はメニュースペース用に現在選択されているＳＰＳＴＮと、副映像が表示されるか否かを指定する。
【０３２８】
ＳＰＲＭ（２７）の値はユーザ操作、ナビゲーションコマンド、あるいはメニュースペース内のオーディオ、副映像ストリーム選択のためのアルゴリズム３により変更される。
【０３２９】
ａ）メニュースペース内
ＳＰＲＭ（２７）の値が変更されると、再生される副映像ストリームと副映像表示状態が変更される。
【０３３０】
ｂ）ＦＰ＿ＤＯＭ、あるいはＴＴ＿ＤＯＭ内
メニュースペース内でセットされているＳＰＲＭ（２７）の値は保持される。
【０３３１】
ＳＰＲＭ（２７）の値はユーザ操作では変更されない。
【０３３２】
ＦＰ＿ＤＯＭ、あるいはＴＴ＿ＤＯＭ内でナビゲーションコマンドによりＳＰＲＭ（２７）の値が変更されると、メニュースペース内で有効となる。
【０３３３】
ｃ）副映像表示状態は次のように定義される。
【０３３４】
ｃ−１）有効なＳＰＳＴＮが選択される場合
ＳＰ＿ｄｉｓｐ＿ｆｌａｇの値が‘１ｂ’の場合は、指定された副映像がその表示期間中表示される。
【０３３５】
ＳＰ＿ｄｉｓｐ＿ｆｌａｇの値が‘０ｂ’の場合は、システムスペース内で強制的に表示される副映像を参照する。
【０３３６】
ｃ−２）無効なＳＰＳＴＮが選択される場合
副映像は表示されない。
【０３３７】
このパラメータは現在のデコーディング副映像ストリーム番号を指定しない。
【０３３８】
メニュースペース内でＳＰＲＭ（２７）の値が変更されると、現在の副映像の再生は破棄される。
【０３３９】
ＳＰＲＭ（２８）はメニュースペース用の現在のアングル番号ＡＧＬＮを指定するパラメータである。
【０３４０】
ＳＰＲＭ（２８）の値はユーザ操作、あるいはナビゲーションコマンドにより変更される。
【０３４１】
ａ）ＦＰ＿ＤＯＭ内
ナビゲーションコマンドによりＦＲ＿ＤＯＭ内でＳＰＲＭ（２８）の値が変更されると、メニュースペース内で有効となる。
【０３４２】
ｂ）メニュースペース内
ＳＰＲＭ（２８）の値が変更されると、再生アングルが変更される。
【０３４３】
ｃ）ＴＴ＿ＤＯＭ内
メニュースペース内でセットされているＳＰＲＭ（２８）の値は保持される。
【０３４４】
ＳＰＲＭ（２８）の値はユーザ操作では変更されない。
【０３４５】
ＴＴ＿ＤＯＭ内でナビゲーションコマンドによりＳＰＲＭ（２８）の値が変更されると、メニュースペース内で有効となる。
【０３４６】
ＳＰＲＭ（２９）はＦＰ＿ＤＯＭ用に現在選択されているオーディオストリーム番号ＡＳＴＮを指定するパラメータである。
【０３４７】
ＳＰＲＭ（２９）の値はユーザ操作、ナビゲーションコマンド、あるいはＦＰ＿ＤＯＭ内のオーディオ、副映像ストリーム選択のためのアルゴリズム４により変更される。
【０３４８】
ａ）ＦＰ＿ＤＯＭ内
ＳＰＲＭ（２９）の値が変更されると、再生されるオーディオストリームが変更される。
【０３４９】
ｂ）メニュースペース、あるいはＴＴ＿ＤＯＭ内
ＦＰ＿ＤＯＭ内でセットされているＳＰＲＭ（２９）の値は保持される。
【０３５０】
ＳＰＲＭ（２９）の値はユーザ操作では変更されない。
【０３５１】
メニュースペース、あるいはＴＴ＿ＤＯＭ内でナビゲーションコマンドによりＳＰＲＭ（２９）の値が変更されると、ＦＰ＿ＤＯＭ内で有効となる。
【０３５２】
このパラメータは現在のデコーディングオーディオストリーム番号を指定しない。
【０３５３】
ＳＰＲＭ（３０）はＦＰ＿ＤＯＭ用の現在選択されているサブピクチャストリーム番号ＳＰＳＴＮと、副映像が表示されるか否かを指定するパラメータである。
【０３５４】
ＳＰＲＭ（３０）の値はユーザ操作、ナビゲーションコマンド、あるいはＦＰ＿ＤＯＭ内のオーディオ、副映像ストリーム選択のためのアルゴリズム４により変更される。
【０３５５】
ａ）ＦＰ＿ＤＯＭ内
ＳＰＲＭ（３０）の値が変更されると、再生される副映像ストリームと、副映像表示状態が変更される。
【０３５６】
ｂ）メニュースペース、あるいはＴＴ＿ＤＯＭ内
ＦＰ＿ＤＯＭ内でセットされているＳＰＲＭ（３０）の値は保持される。
【０３５７】
ＳＰＲＭ（３０）の値はユーザ操作では変更されない。
【０３５８】
メニュースペース、あるいはＴＴ＿ＤＯＭ内でナビゲーションコマンドによりＳＰＲＭ（３０）の値が変更されると、ＦＰ＿ＤＯＭ内で有効となる。
【０３５９】
ｃ）副映像表示状態は次のように定義される。
【０３６０】
ｃ−１）有効なＳＰＳＴＮが選択される場合
ＳＰ＿ｄｉｓｐ＿ｆｌａｇの値が‘１ｂ’の場合は、指定された副映像がその表示期間中表示される。
【０３６１】
ＳＰ＿ｄｉｓｐ＿ｆｌａｇの値が‘０ｂ’の場合は、システムスペース内で強制的に表示される副映像を参照する。
【０３６２】
ｃ−２）無効なＳＰＳＴＮが選択される場合
副映像は表示されない。
【０３６３】
このパラメータは現在のデコーディング副映像ストリーム番号を指定しない。
【０３６４】
ＦＰ＿ＤＯＭ内でＳＰＲＭ（３０）の値が変更されると、現在の副映像の再生は破棄される。
【０３６５】
再生中のカレントメニュー言語コードＣＭ＿ＬＣＤはユーザとコマンドの両方で変更設定可能であるが、初期メニュー記述コードＩＮＩ＿Ｍ＿ＬＣＤはユーザのみが変更設定可能である。
【０３６６】
本実施例におけるＨＤのＤＶＤビデオコンテンツ内で使用されるコマンドの一例としては以下のものがある。
【０３６７】
Ｇｏ  ＴＯコマンドグループ：コマンドの実行順を変えるコマンド
Ｌｉｎｋコマンドグループ：同一ドメイン内での特定場所から再生を開始するコマンド
Ｊｕｍｐコマンドグループ：異なるドメインに有る特定場所から再生を開始するコマンド
Ｃｏｍｐａｒｅ  Ｇｏ  Ｔｏコマンドグループ：比較結果が正しければコマンドの実行順を変えるコマンド
Ｃｏｍｐａｒｅ  Ｌｉｎｋコマンドグループ：比較結果が正しければ同一ドメイン内での特定場所から再生開始する
Ｃｏｍｐａｒｅ  Ｊｕｍｐコマンドグループ：比較結果が正しければ異なるドメインに有る特定場所から再生を開始
ＳｅｔＳｙｓｔｅｍコマンドグループ：管理パラメーター値の変更コマンド
Ｓｅｔコマンドグループ：ゼネラルパラメータの値を計算するコマンド
Ｃｏｍｐａｒｅ  ＳｅｔＳｙｓｔｅｍコマンドグループ：比較結果が正しければ管理パラメーター値を変更するコマンド
Ｃｏｍｐａｒｅ  Ｓｅｔコマンドグループ：比較結果が正しければゼネラルパラメータの値を計算するコマンド
ＳｅｔＳｙｓｔｅｍ  Ｌｉｎｋコマンドグループ：管理パラメーター値を変更後、同一ドメイン内での特定場所から再生を開始するコマンド
Ｓｅｔ  Ｌｉｎｋコマンドグループ：ゼネラルパラメータの値を計算した後、同一ドメイン内での特定場所から再生を開始するコマンド
Ｓｅｔ  Ｇｏ  Ｔｏコマンドグループ：ゼネラルパラメータの値を計算した後にコマンドの実行順を変える
Ｓｅｔ  Ｊｕｍｐコマンドグループ：ゼネラルパラメータの値を計算した後に異なるドメインに有る特定場所から再生を開始するコマンド
具体的なコマンド例としてゼネラルパラメータの値やモードを変更するＳｅｔＧＰＲＭＭＤコマンドやメニュー記述言語コードをＳＰＲＭ（０）に設定するＳｅｔＭ＿ＬＣＤコマンドはＳｅｔＳｙｓｔｅｍコマンドグループに含まれ、ゼネラルパラメータの値を特定の値に設定したり、ゼネラルパラメータの値に特定の値を加算するＳｅｔＭｏｖｅコマンドやＳｅｔ  ＡｄｄコマンドはＳｅｔコマンドグループに含まれる。
【０３６８】
また、何も実行を行わないＮｏｐコマンドはＧｏ  Ｔｏコマンドグループに含まれ、ドメインＩＤで指定されたＰＧＣの再生を開始し、レジューム情報を記録するＣａｌｌＳＳコマンドはＪｕｍｐコマンドグループに含まれ、レジューム情報を記録するＲｅｓｕｍコマンドはＬｉｎｋコマンドグループに含まれる。
【０３６９】
ＪｕｍｐＴＴやＪｕｍｐＶＴＳ＿ＴＴあるいはＪｕｍｐＶＴＳ＿ＰＴＴコマンドはＪｕｍｐコマンドグループに属する。このコマンドは別のドメイン内の指定された位置で再生を開始するために使用される。プレーヤはこのコマンドが処理される時は全てのＧＰＲＭ値を保持しなければならない。
【０３７０】
ＪｕｍｐＴＴは指定されたタイトルの再生を開始するためのコマンドである。処理の詳細は以下の通りである。
【０３７１】
（１）現在の再生を停止する。
【０３７２】
（２）リジューム情報（存在する場合）、ナビゲーションタイマの値及びシステムパラメータ内のナビゲーションタイマ用ＴＴ＿ＰＧＣ（ＳＰＲＭ（６））を破棄する。ナビゲーションタイマを停止するために、ＳＰＲＭ（９）に‘０’を代入する。
【０３７３】
（３）ＳＰＲＭ（１）とＳＰＲＭ（２）を設定する
（４）指定されたタイトルの再生をプリコマンドフェーズから開始する。
【０３７４】
ＪｕｍｐＶＴＳ＿ＴＴは現ＶＴＳ空間内で指定されたタイトルの再生を開始するためのコマンドである。処理の詳細は以下の通りである。
【０３７５】
（１）現在の再生を停止する。
【０３７６】
（２）リジューム情報（存在する場合）、ナビゲーションタイマの値及びシステムパラメータ内のナビゲーションタイマ用ＴＴ＿ＰＧＣＮ（ＳＰＲＭ（６））を破棄する。ナビゲーションタイマを停止するために、ＳＰＲＭ（９）に‘０’を代入する。
【０３７７】
（３）ＳＰＲＭ（１）とＳＰＲＭ（２）を設定する
（４）現ＶＴＳ空間内でＶＴＳ＿ＴＴＮで指定されたタイトルの再生を開始する。
【０３７８】
ＪｕｍｐＶＴＳ＿ＰＴＴは現ＶＴＳ空間内で指定されたＰＴＴの再生を開始するためのコマンドである。処理の詳細は以下の通りである。
【０３７９】
（１）現在の再生を停止する。
【０３８０】
（２）リジューム情報（存在する場合）、ナビゲーションタイマの値及びシステムパラメータ内のナビゲーションタイマ用ＴＴ＿ＰＧＣＮ（ＳＰＲＭ（６））を破棄する。ナビゲーションタイマを停止するために、ＳＰＲＭ（９）に‘０’を代入する。
【０３８１】
（３）ＳＰＲＭ（１）とＳＰＲＭ（２）を設定する。
【０３８２】
（４）指定されたＰＴＴＮがあるＰＧＣのプリコマンド領域のコマンドを実行する。
【０３８３】
（５）現ＶＴＳ空間内でＶＴＳ＿ＴＴＮとＰＴＴＮで指定されたＰＴＴの再生を開始する。
【０３８４】
本実施形態におけるレジュームコマンドシーケンスあるいはセルコマンドシーケンス内で使用するコマンド内容とコマンドデータ内の具体的な内容について説明する。この発明実施形態の情報再生装置（プレーヤ）内でＨＤのＤＶＤビデオコンテンツの再生時に使用するパラメータは図６２に示すようにパラメータ番号毎に記録されるデータ内容が決まっているシステムパラメータ（ＳＰＲＭ：Ｓｙｓｔｅｍ  Ｐａｒａｍｅｔｅｒ）と、記録されるデータ内容を任意に設定できるゼネラルパラメータ（ＧＰＲＭ：Ｇｅｎｅｒａｌ  Ｐａｒａｍｅｔｅｒ）の２種類がある。
【０３８５】
ナビゲーションコマンド１個当たりのコマンドデータサイズは８バイトで設定され、
（１）ＰＣＩ内のボタンコマンド領域
（２）ＰＧＣＩ内のセルコマンド領域（図３５）
（３）ＰＧＣＩ内のプリコマンド領域（図３５）
（４）ＰＧＣＩ内のポストコマンド領域（図３５）
（５）ＰＧＣＩ内のＲＳＭコマンド領域（図３５）
に配置される。
【０３８６】
ナビゲーションコマンドは１個のインストラクション（命令の最小単位）から構成されるシングルインストラクションコマンドと２個または３個のインストラクションから構成されるコンポジット（複合）インストラクションコマンドの２種類を持つ。
【０３８７】
図３６の説明の所でＰＧＣＩ内のプログラムチェーン・コマンドテーブル（ＰＧＣ＿ＣＭＤＴ）５１内にプリコマンド（ＰＲＥ＿ＣＭＤ）５１１、ポストコマンド（ＰＯＳＴ＿ＣＭＤ）５１２、セルコマンド（Ｃ＿ＣＭＤ）５１３、レジュームコマンド（ＲＳＭ＿ＣＭＤ）５１４が設定（記録）され、それぞれ１個のコマンドの情報に対してそれぞれ８バイトの領域が設定されることを説明した。８バイト割り当てられたコマンド内部のデータ構造について以下に説明する。８バイト領域の内、タイプ１と２のコマンドは最上位ビットから１６ビット、タイプ３では最上位ビットから１２ビットまでをオペレーションコードの記録領域に設定されている。このオペレーションコードの情報を読むだけでコマンド識別が可能になっている。
【０３８８】
このオペレーションコード内には最上位ビットから順にコマンドＩＤ−１、コマンドＩＤ−２、設定フラグ（Ｉ−フラグ  ｆｏｒ  Ｓｅｔ）、比較用Ｉ−フラグ（Ｉ−フラグ  ｆｏｒ  Ｃｏｍｐ）などの情報が記録されている。類似内容のコマンド毎に同じコマンドＩＤ−１の値を共通にすると共に、最上位ビットから３ビットまでの領域にコマンドＩＤ−１の値を設定している。この発明実施形態においてコマンド情報の最上位ビットから最低でも１６ビットを再生するだけでオペレーションコードの内容が解読でき、コマンドの識別が可能となる。更に、コマンド情報の最上位ビットから数ビットを読むだけでコマンドＩＤ−１とコマンドＩＤ−２が解読でき、およそのコマンド内容が把握できる。この発明実施形態においてコマンド情報内容を上記の構造にすることでコマンドの解読とコマンドに対応した処理の高速化を図れる。また、各コマンド毎のＣｏｍｐａｒｅ  Ｆｉｅｌｄ内の値、Ｂｒａｎｃｈ  Ｆｉｅｌｄ内の値、Ｓｅｔ  Ｆｉｅｌｄ内の値などの設定値や変数値が変数オペランドとしてコマンド内の設定場所が指定されている。
【０３８９】
この発明のＨＤのＤＶＤビデオコンテンツ内で使われる各コマンド毎のコマンド情報内のデータ構造は以下に示すように、
（１）コマンド情報内にＧｏ  Ｔｏインストラクション、Ｌｉｎｋインストラクションオペランド、Ｌｉｎｋサブ・インストラクションのいずれかを含む場合には、それらのインストラクション（またはサブ・インストラクション）を２バイトで構成されるインストラクションオペランド（またはサブ・インストラクションオペランド）の形に設定し、そのインストラクションオペランド（またはサブ・インストラクションオペランド）をコマンド情報内の最下位２バイト位置に配置する。
【０３９０】
（２）コマンド内にＪｕｍｐインストラクションまたはＳｅｔＳｙｓｔｅｍインストラクションを含む場合には、そのインストラクションに対して４バイトで構成されるインストラクションオペランドの形に設定し、そのインストラクションオペランドをコマンド情報内の最上位バイトと最下位バイトのいずれにも属さない中央バイト内（４７ビットから１６ビットまで）に配置する。
【０３９１】
（３）コマンド内にＣｏｍｐａｒｅインストラクションまたはＳｅｔインストラクションが含まれる場合には、そのインストラクションに対して独自のインストラクションオペランドを形成しない。
【０３９２】
さらに、
（４）複合インストラクションコマンドの内容がコマンド情報内の上位ビットにオペレーションコードの形で入り、
（５）コマンドを実行する時に必要な変数値や変数が保存されている場所を示し、変数オペランドがオペレーションコードよりも下位ビット位置に配置されると言う構造を取る所に特徴がある。
【０３９３】
この発明実施形態において全てのコマンド情報内のデータ構造を上記の（１）から（５）に示すような配置方法に規則性を持たせることで、情報再生装置がコマンド情報を解読する時の簡素化が図れ、コマンド解読・対応のコマンド実行処理の高速化が図れると言う効果がある。すなわち、上記のように上位ビット位置でオペレーションコードを指定することで、即座にコマンド内容を理解でき、更にその後ろ（下位ビット領域）に複合インストラクションコマンドを構成する一個のインストラクションに関する情報が“インストラクションオペランド”の形でまとまって配置されることで対応したインストラクション内容の識別が容易になる。
【０３９４】
更に、例えば“Ｃｏｍｐａｒｅ”した後に“ＳｅｔＳｙｓｔｅｍ”を行う“Ｃｏｍｐａｒｅ  ＳｅｔＳｙｓｔｅｍ”コマンドのように、複合インストラクションコマンド（複数の命令処理が組み合わさって１個のコマンドを形成するコマンド）では、上記の（１）から（５）に示す配置方法に加え、
（６）コマンド情報内にどちらか一方のインストラクションに対応したインストラクションオペランド（またはサブ・インストラクション）が配置される場合には、コマンド情報内の残りの部分に他方のインストラクションに関係した変数オペランドまたはインストラクションオペランドが配置される。
【０３９５】
（７）特にＪｕｍｐインストラクションオペランドまたはＳｅｔＳｙｓｔｅｍインストラクションオペランドが含まれる時には、下位の２バイト内に他方のインストラクションに関係した変数オペランドまたはインストラクションオペランドが配置される。
【０３９６】
と言う構造を持つことでコマンド内容の高速識別を容易としコマンド内容の認識処理とコマンド対応実行処理の高速化と簡素化が図れる。
【０３９７】
コマンド情報内のデータ構造内に記載されたインストラクションオペランド内の具体的なデータ構造に関する一例として、ＳｅｔＳｙｓｔｅｍインストラクショングループに属するＳｅｔＧＰＲＭＭＤのインストラクションオペランドのデータ構造の例を図６３に示す。このＳｅｔＧＰＲＭＭＤインストラクションはゼネラルパラメータの値やゼネラルパラメータのモードを変更するインストラクション（命令）である。また、具体的な内容として『図３８に示すｎ番目のセル内の最初に配置されたＶＯＢＵの先頭アドレス（Ｃ＿ＦＶＯＢＵ＿ＳＡ）の値を１番目のゼネラルパラメータ（ＧＰＲＭ（１））値に設定する〔ＳｅｔＧＰＲＭＭＤ：Ｃ＃ｎ＿ＦＶＯＢＵ＿ＳＡ  ｔｏ  ＧＰＲＭ（１）〕』を例としている。この場合には、Ｍｏｄｅ＝０ｂ（Ｒｅｇｉｓｔｅｒ  Ｍｏｄｅ）、設定するゼネラルパラメータ番号は‘１’なので‘Ｂ２’（最下位バイトから３番目の“バイト”）の値はヘキサゴナル表示で‘０１ｈ’となる。
【０３９８】
上記の内容を基に、特定な使用条件下での各オペランド数値を設定したコマンド情報の具体例を図６４に示す。図６３と図６４は‘Ｂ７’〜‘Ｂ０’のバイト単位で表現している。
【０３９９】
図６４の（ａ）では『０番目のゼネラルパラメータＧＰＲＭ（０）の値がｎ番目のゼネラルパラメータＧＰＲＭ（ｎ）の値に一致すれば１番目のゼネラルパラメータＧＰＲＭ（１）の値をＣ  ＃ｎ＿ＦＶＯＢＵ＿ＳＡの値に設定する〔Ｉｆ  ＧＰＲＭ（０）＝ＧＰＲＭ（ｎ）  ｔｈｅｎ  ＳｅｔＳｙｓｔｅｍ  ＧＰＲＭ（１）  ｔｏ  Ｃ＃ｎ＿ＦＶＯＢＵ＿ＳＡ〕』と言うコマンドを設定した場合の例を示している。
【０４００】
図６４の（ｂ）では『４番目のゼネラルパラメータＧＰＲＭ（４）の値が３００以上の場合にはＧＰＲＭ（４）の値に更に１００を加算する〔Ｉｆ  ＧＰＲＭ（４）≧３００  ｔｈｅｎ  ＳｅｔＡｄｄ  １００  ｔｏ  ＧＰＲＭ（４）〕』と言うコマンドを設定した場合の例を示している。
【０４０１】
図６４の（ｃ）では『４番目のゼネラルパラメータＧＰＲＭ（４）に１００の値を設定する〔Ａｓｓｉｇｎ  １００  ｔｏ  ＧＰＲＭ（４）〕』と言うコマンドを設定した場合の例を示している。
【０４０２】
図６４の（ｄ）では『４番目のゼネラルパラメータＧＰＲＭ（４）の現在の値に対して更に５０を加算する〔Ａｄｄ  ５０  ｔｏ  ＧＰＲＭ（４）〕』と言うコマンドを設定した場合の例を示している。
【０４０３】
図６４の（ｅ）では『何も処理をしない〔Ｎｏｔ  Ｏｐｅｒａｔｉｏｎ〕』と言うコマンドを設定した場合の例を示している。
【０４０４】
図６４の（ｆ）では『メニュー画面に戻り、今まで再生していたタイトル（映像）の中断場所を示したリジューム情報（リジューム情報）の値を保存する〔ＣａｌｌＳＳ〕』と言うコマンドを設定した場合の例を示している。
【０４０５】
図６４の（ｇ）では『今まで再生していたタイトル（映像）の中断場所を示したリジューム情報（リジューム情報）の値を保存する〔Ｒｅｓｕｍｅ〕』と言うコマンドを設定した場合の例を示している。
【０４０６】
図６４の（ｈ）では『特定のメニュー記述用言語コードを０番目のシステムパラメータＳＰＲＭ（０）に設定する〔Ａｓｓｉｇｎ  Ｍｅｎｕ  Ｄｅｓｃｒｉｐｔｉｏｎ  Ｌａｎｇｕａｇｅ  Ｃｏｄｅ  ｔｏ  ＳＰＲＭ（０）〕』と言うコマンドを設定した場合の例を示している。
【０４０７】
次に、エレメンタリーオーディオオブジェクトセットＥＡＯＢＳについて説明する。
【０４０８】
ＤＶＤビデオディスクはボリュームスペース、ビデオマネージャ（ＶＭＧ）、ビデオタイトルセット（ＶＴＳ）、エンハンスドビデオオブジェクトセット（ＥＶＯＢＳ）、エレメンタリオーディオオブジェクトセット（ＥＡＯＢＳ）からなる論理構造を有する。
【０４０９】
ビデオマネージャＶＭＧはビデオマネージャ情報ＶＭＧＩと呼ばれるコントロールデータ、エレメンタリーオーディオオブジェクトセットＥＡＯＢＳ、ファーストプレイＰＧＣメニュー用のエンハンスドビデオオブジェクトＦＰ＿ＰＧＣＭ＿ＥＶＯＢ、ＶＭＧメニュー用のエンハンスドビデオオブジェクトＶＭＧＭ＿ＥＶＯＢＳ、コントロールデータのバックアップＶＭＧＩ＿ＢＵＰからなる。
【０４１０】
ＦＰ＿ＰＧＣＭ＿ＥＶＯＢはメニュー言語の選択のために使われるエンハンスドビデオオブジェクトＥＶＯＢである。ＶＭＧＭ＿ＥＶＯＢＳはボリュームアクセスをサポートするメニューに使われるエンハンスドビデオオブジェクトＥＶＯＢｓの集合である。ＥＡＯＢＳはバックグランド音楽等のために使われるエレメンタリーオーディオオブジェクトの集合である。
【０４１１】
ＥＡＯＢは８ＭＢ以下の１ファイルである。ＦＰ＿ＰＧＣＭ＿ＥＶＯＢは１ＧＢ以下の１ファイルである。ＶＭＧＭ＿ＥＶＯＢＳは各々が１ＧＢ以下の最大９８個のファイルに分割される。ビデオマネージャ情報ＶＭＧＩ、ＥＡＯＢＳ（もしあれば）、ＦＰ＿ＰＧＣＭ＿ＥＶＯＢ（もしあれば）、ＶＭＧＭ＿ＥＶＯＢＳ（もしあれば）、ＶＭＧＩ＿ＢＵＰはこの順番に配置されているので、メニューＰＧＣの前にビデオマネージャ情報ＶＭＧＩをプリロードすることができる。このため、オーディオの再生を前もって準備することができ、待ち時間無くオーディオを再生することができる。ＶＭＧＭ＿ＥＶＯＢＳを含むファイルは連続的に配置される。
【０４１２】
ビデオマネージャ情報ＶＭＧＩ、ＥＡＯＢＳ（もしあれば）、ＦＰ＿ＰＧＣＭ＿ＥＶＯＢ（もしあれば）、ＶＭＧＭ＿ＥＶＯＢＳ（もしあれば）、ＶＭＧＩ＿ＢＵＰの間の境界にギャップが存在する場合がある。ＶＭＧＭ＿ＥＡＯＢＳ（もしあれば）において、ＥＶＯＢは連続して配置される。
【０４１３】
ビデオタイトルセットＶＴＳはビデオタイトルセット情報ＶＴＳＩと呼ばるコントロールデータ、ＶＴＳメニュー用のエンハンスドビデオオブジェクトセットＶＴＳＭ＿ＥＶＯＢＳ、ＶＴＳタイトルのためのエンハンスドビデオオブジェクトセットＶＴＳＴＴ＿ＥＶＯＢＳ、コントロールデータのバックアップＶＴＳＩ＿ＢＵＰからなる。ＶＴＳＭ＿ＥＶＯＢＳとＶＴＳＴＴ＿ＥＶＯＢＳのタイトルのためのＥＶＯＢＳは各々が１ＧＢ以下の最大９９個のファイルに分割される。ＶＴＳＭ＿ＥＶＯＢＳを含むファイルは連続的に配置される。各ＶＴＳ内において、ＶＴＳＩ、ＶＴＳＭ＿ＥＡＯＢＳ（もしあれば）、ＶＴＳＴＴ＿ＥＶＯＢＳ、ＶＴＳＩ＿ＢＵＰの間の境界にギャップが存在する場合がある。各ＶＴＳＭ＿ＥＡＯＢＳ（もしあれば）において、ＥＶＯＢは連続して配置される。各ＶＴＳＴＴ＿ＥＡＯＢＳにおいて、ＥＶＯＢは連続して配置される。
【０４１４】
ＥＶＯＢＳはビデオ、グラフィック、オーディオ、副映像等のデータからなるエンハンスドビデオオブジェクトの集合である。ＥＶＯＢＳ内でＥＶＯＢｓは連続したブロックとインターリーブブロックとに記録される。１つのＥＶＯＢＳは１つ以上のＥＶＯＢから構成される。ＥＶＯＢ＿ＩＤ番号はＥＶＯＢＳ内で最も小さい論理セクタ番号ＬＳＮを持ったＥＶＯＢから１から昇順で割り振られる。１つのＥＶＯＢは１つ以上のセルから構成される。Ｃ＿ＩＤ番号はＥＶＯＢ内で最も小さい論理セクタ番号ＬＳＮを持ったセルから１から昇順で割り振られる。ＥＶＯＢＳ内のセルはＥＶＯＢ＿ＩＤ番号とＣ＿ＩＤ番号とで識別される。
【０４１５】
全てのＥＶＯＢｓが連続したブロックに記録される場合のビデオマネージャＶＭＧとビデオタイトルセットＶＴＳの構造を図６５に示す。図６５は、図１に示したボリューム構造の変形例であり、プリロード時にエレメンタリーオーディオオブジェクトセットＥＡＯＢＳのデータを早く取り込めるようにしたものである。
【０４１６】
ＶＭＧはコントロールデータＶＭＧＩ、ＥＡＯＢＳ、メニュー用ＥＶＯＢ（ＦＰ＿ＰＧＣＭ＿ＥＢＯＶ）、メニュー用ＥＶＯＢＳ（ＶＭＧＭ＿ＥＢＯＶＳ）、ＶＭＧＩのバックアップファイルからなる。このようにＥＡＯＢＳはコントロールデータの直後に記録されているので、いち早くプリロードすることができる。ＶＴＳはコントロールデータＶＴＳＩ、メニュー用ＥＶＯＢＳ（ＶＴＳＭ＿ＥＢＯＶＳ）、タイトル用ＥＶＯＢＳ（ＶＴＳＴＴ＿ＥＢＯＶＳ）、ＶＴＳＩのバックアップファイルからなる。タイトル用ＥＶＯＢＳ（ＶＴＳＴＴ＿ＥＢＯＶＳ）はセルからなる。Ｃ＿ＩＤＮ＃はＥＶＯＢ内のセルＩＤ番号であり、ＥＶＯＢ＿ＩＤＮ＃はＥＶＯＢ内のＥＶＯＢ＿ＩＤ番号である。
【０４１７】
図６６は図２に示したディレクトリ構造の変形例であり、ルートディレクトリの下にＨＤ−ＤＶＤ用のＨＶＤＶＤ＿ＴＳというサブディレクトリが、従来のＲＯＭ−ｖｉｄｅｏのサブディレクトリＶＩＤＥＯ＿ＴＳとは別に設けられている。
【０４１８】
ビデオマネージャ情報ＶＭＧＩ、エレメンタリーオーディオオブジェクトセットＥＯＢＳ、ＦＰ＿ＲＧＣメニュー用エンハンスドビデオオブジェクトＦＰ＿ＰＧＣＭ＿ＥＶＯＢ、バックアップ用ビデオマネージャ情報ＶＭＧＩ＿ＢＵＰ、ビデオタイトルセット情報ＶＴＳＩ、バックアップ用ビデオタイトルセット情報ＶＴＳＩ＿ＢＵＰがＨＶＤＶＤ＿ＴＳディレクトリのコンポーネントファイルのデータスペースに記録される。１ＧＢ（＝２３０バイト）以上のサイズのＶＭＧＭ＿ＥＶＯＢＳは最大９８個に分割される。１ＧＢ（＝２３０バイト）以上のサイズのＶＴＳＭ＿ＥＶＯＢＳ、ＶＴＳＴＴ＿ＶＯＢＳは最大９９個に分割される。そのため、各ファイルのサイズは１ＧＢ以下である。これらのファイルはＨＶＤＶＤ＿ＴＳディレクトリのコンポーネントファイルとなる。ＶＭＧＭ＿ＥＶＯＢＳ、ＶＴＳＭ＿ＥＶＯＢＳ、ＶＴＳＴＴ＿ＥＶＯＢＳの各ファイルは連続して記録される。
【０４１９】
ビデオマネージャＶＭＧのファイル名には以下の規則が適用される。
【０４２０】
１）ディレクトリ名
ＤＶＤビデオのディレクトリ名は“ＨＶＤＶＤ＿ＴＳ”である。
【０４２１】
２）ビデオマネージャＶＭＧのファイル名
ビデオマネージャ情報のファイル名は“ＨＶＩ００００１．ＩＦＯ”である。
【０４２２】
エレメンタリーオーディオオブジェクトセットのファイル名は“ＨＶＭ００００１．ＥＡＯ”である。
【０４２３】
ＦＰ＿ＰＧＣメニューのエンハンスドビデオオブジェクトのファイル名は“ＨＶＭ００００１．ＥＶＯ”である。
【０４２４】
ＶＭＧメニューのエンハンスドビデオオブジェクトセットのファイル名は“ＨＶＭ０００％％．ＥＶＯ”である。
【０４２５】
バックアップ用のビデオマネージャ情報のファイル名は“ＨＶＩ００００１．ＢＵＰ”である。
【０４２６】
ここで、％％はＶＭＧメニュー用のエンハンスドビデオオブジェクトセット毎に‘０２’から‘９９’まで連続的に変化する。
【０４２７】
３）ビデオタイトルセットＶＴＳのファイル名
ビデオタイトルセット情報のファイル名は“ＨＶＩ＠＠＠＃＃．ＩＦＯ”である。
【０４２８】
ＶＴＳメニュー用のエンハンスドビデオオブジェクトのファイル名は“ＨＶＭ＠＠＠＃＃．ＥＶＯ”である。
【０４２９】
タイトルのためのエンハンスドビデオオブジェクトセットのファイル名は“ＨＶＴ＠＠＠＃＃．ＥＶＯ”である。
【０４３０】
バックアップ用のビデオタイトルセット情報のファイル名は“ＨＶＩ＠＠＠０１．ＢＵＰ”である。
【０４３１】
ここで、＠＠＠はビデオタイトルセット番号のファイルに割当てられる‘００１’から‘５１１’までの３桁の数字である。＃＃はＶＴＳメニュー用の各エンハンスドビデオオブジェクトセット、あるいはタイトル用の各エンハンスドビデオオブジェクトセット毎に‘０１’から‘９９’まで連続的に変化する。
【０４３２】
上述の実施形態では、図５６に示したように、各メニュー画面表示時に同時に再生する背景音声（バックグランドミュージック）の再生範囲はメニュー用オーディオオブジェクトＨＤＭＥＮＵ＿ＡＯＢ内のオーディオデータが記録されている先頭境界位置または最終境界位置（ＡＯＢ終了アドレス）あるいは事前に設定されたエントリ位置を境界範囲として繰り返し再生される構造を説明した。この変形例として、ＥＶＯＢ単位でオーディオ繰り返し再生の範囲を指定する例を図６７を参照して説明する。図６７の左側は図５６の概念を示すものであり、ＥＡＯＢ内の繰り返し再生するパートをスタートポイントとエンドポイントにより指定する。そのため、各パートのスタートポイントとエンドポイントとを把握している必要がある。これに対して、右側に示す変形例ではエレメンタリーオーディオオブジェクトＥＡＯＢにより再生範囲を指定する。エントリーポイントＥＰを廃止し、ＥＡＯＢ番号ＥＡＯＢＮを導入する。再生開始／終了エントリーポイントＥＰを廃止し、再生開始／終了ＥＡＯＢ番号ＥＡＯＢＮを導入する。エントリーポイントＥＰの数ＥＡＯＢ＿ＥＰ＿ＮｓをＥＡＯＢ番号ＥＡＯＢＮの数ＥＡＯＢ＿Ｎｓとする。各エントリーポイントＥＰの先頭アドレスを各エレメンタリーオーディオオブジェクトＥＡＯＢの先頭アドレスとする。すなわち、ＥＡＯＢ＿１ＳＴ＿ＥＰを１ＳＴ＿ＥＡＯＢの先頭アドレスとする。
【０４３３】
図６７の左側に示すようにエントリポイントで再生範囲を指定するためには、始点と終点を指定しなければならず、指定箇所が２倍となる。しかも、エントリポイントは開始位置のイメージがあり、終了位置が分り難い。しかし、エレメンタリーオーディオオブジェクトＥＡＯＢ番号で指定すれば、ブロックを指定するだけでよく、指定するパラメータは半分で済む。指定しやすいので、事前のバッファへの取り込みが簡単である。
【０４３４】
エレメンタリーオーディオオブジェクトセットＥＡＯＢＳの目的はＰＧＣｓ間でビデオ表現が変化しても（メニューのどのような変化も）、シームレスなオーディオ再生を実現するためである。ＥＡＯＢＳはディスク挿入時に８ＭＢのエレメンタリーオーディオバッファにプリロードされる。ＰＧＣは各オーディオバッファを切換えることによりＥＶＯＢ（ｓ）あるいはＥＡＯＢ内のオーディオストリームのいずれをも表すことができる。表現するオーディオの指定はＰＧＣＩサーチポインタ（ＶＭＧＭ＿ＰＧＣＩ＿ＳＲＰ、ＶＴＳＭ＿ＰＧＣＩ＿ＳＲＰ、あるいはＶＴＳ＿ＰＧＣＩ＿ＳＲＰ）、及びビデオマネージャ情報管理テーブルＶＭＧＩ＿ＭＡＴ内のＦＰ＿ＰＧＣ＿ＣＡＴ内の音声情報選択フラグにより決定される。
【０４３５】
音声情報選択フラグは３つの状態をとる。
【０４３６】
１）ＰＧＣで指定されるＥＶＯＢ（ｓ）内のオーディオは再生される（ＥＶＯＢ内のオーディオが選択される）。
【０４３７】
２）非同期オーディオＥＡＯＢＳは連続的に再生される（ＥＶＯＢＳ内のオーディオが選択され、ＥＶＯＢ内のオーディオが無視される）。
【０４３８】
３）非同期オーディオＥＡＯＢＳの再生が開始される（ＥＶＯＢ内のオーディオが選択され、ＥＶＯＢ内のオーディオが無視される）。
【０４３９】
従って、ＥＡＯＢＳが選択される時、ＰＧＣ間でオーディオのシームレス再生が可能である。
【０４４０】
図６８はエレメンタリーオーディオオブジェクトセットＥＡＯＢＳの構造例を示す。ＥＡＯＢＳは図６８に示すように２個以上（最大７個）の連続したＥＡＯＢｓに分割される。各ＥＡＯＢの先頭アドレス（ＥＡＯＢ＃ｎ＿ＳＡ）はＥＡＯＢＳのヘッダに記述される。各ＥＡＯＢはオーディオフレームの先頭から指定される。
【０４４１】
ＰＧＣＩサーチポインタ内の先頭ＥＡＯＢＮ、終了ＥＡＯＢＮを用いて２個以上の連続するＥＡＯＢｓにアクセス可能である。１つまたは複数のＰＧＣｓからなるＰＧＣグループ内で中断することなくＥＡＯＢを再生することも可能である。再生順番の概略を図６９に示す。図６９は３つの例を示す。
【０４４２】
ＰＧＣグループ（Ａ）に含まれるＰＧＣにおいては、先頭ＥＡＯＢＮはＥＡＯＢ＃１に等しく、終了ＥＡＯＢＮはＥＡＯＢ＃３に等しい。このグループに属するＰＧＣは＃１から＃３までのＥＡＯＢｓをこの順番に再生し、ＰＧＣｓ間で変化が起きてもＥＡＯＢ＃１とＥＡＯＢ＃３の間で再生を繰り返す。
【０４４３】
ＰＧＣグループ（Ｂ）に含まれるＰＧＣにおいては、先頭ＥＡＯＢＮはＥＡＯＢ＃４に等しく、終了ＥＡＯＢＮはＥＡＯＢ＃４に等しい。このグループに属するＰＧＣはＥＡＯＢ＃４のみを再生し、ＰＧＣｓ間で変化が起きてもＥＡＯＢ＃４の再生を繰り返す。
【０４４４】
ＰＧＣグループ（Ｃ）に含まれるＰＧＣにおいては、先頭ＥＡＯＢＮはＥＡＯＢ＃１に等しく、終了ＥＡＯＢＮはＥＡＯＢ＃７に等しい。このグループに属するＰＧＣは＃１から＃７までのＥＡＯＢｓ（全てのＥＡＯＢｓ）をこの順番に再生し、ＰＧＣｓ間で変化が起きてもＥＡＯＢ＃１とＥＡＯＢ＃７の間で再生を繰り返す。
【０４４５】
図７０はエレメンタリーオーディオオブジェクトセットＥＡＯＢＳの内容を示す。ＥＡＯＢＳはＥＡＯＢＳヘッダ情報ＥＡＯＢＳ＿ＨＩとＥＡＯＢＳオーディオデータＥＡＯＢＳ＿ＡＵＤとを具備する。ＥＡＯＢＳオーディオデータＥＡＯＢＳ＿ＡＵＤは７個までのＥＡＯＢｓからなる。各ＥＡＯＢはエレメンタリーオーディオデータからなり、オーディオフレームの先頭から配置される。
【０４４６】
図７１はＥＡＢＯＳヘッダ情報の内容を示す。ＥＡＯＢ＿ＮｓはＥＡＯＢの数、ＥＡＯＢＳ＿ＥＡはＥＡＯＢＳの終了アドレス、ＥＡＯＢＳ＿ＡＴＲはＥＡＯＢＳの属性、１ＳＴ＿ＥＡＯＢ＿ＳＡは第１ＥＡＯＢの先頭アドレス、２ＮＤ＿ＥＡＯＢ＿ＳＡは第２ＥＡＯＢの先頭アドレス、３ＲＤ＿ＥＡＯＢ＿ＳＡは第３ＥＡＯＢの先頭アドレス、４ＴＨ＿ＥＡＯＢ＿ＳＡは第４ＥＡＯＢの先頭アドレス、５ＴＨ＿ＥＡＯＢ＿ＳＡは第５ＥＡＯＢの先頭アドレス、６ＴＨ＿ＥＡＯＢ＿ＳＡは第６ＥＡＯＢの先頭アドレス、７ＴＨ＿ＥＡＯＢ＿ＳＡは第７ＥＡＯＢの先頭アドレスを示す。
【０４４７】
ＥＡＯＢ＿ＮｓはＥＡＯＢＳ内のＥＡＯＢの数を示し、‘１’〜‘７’の値である。
【０４４８】
ＥＡＯＢＳ＿ＥＡはＥＡＯＢＳの終了アドレスをＥＡＯＢＳの第１バイトからの相対バイト番号ＲＢＮで記述する。
【０４４９】
ＥＡＯＢＳ＿ＡＴＲは各ＥＡＯＢに対して共通に使われる。
【０４５０】
１ＳＴ＿ＥＡＯＢ＿ＳＡは第１ＥＡＯＢの先頭アドレスをＥＡＯＢＳの第１バイトからの相対バイト番号ＲＢＮで記述する。第１ＥＡＯＢは必ず存在する。２ＮＤ＿ＥＡＯＢ＿ＳＡは第２ＥＡＯＢの先頭アドレスをＥＡＯＢＳの第１バイトからの相対バイト番号ＲＢＮで記述する。第２ＥＡＯＢが存在しない場合は、‘００００  ００００ｈ’を入力する。３ＲＤ＿ＥＡＯＢ＿ＳＡは第３ＥＡＯＢの先頭アドレスをＥＡＯＢＳの第１バイトからの相対バイト番号ＲＢＮで記述する。第３ＥＡＯＢが存在しない場合は、‘００００  ００００ｈ’を入力する。４ＴＨ＿ＥＡＯＢ＿ＳＡは第４ＥＡＯＢの先頭アドレスをＥＡＯＢＳの第１バイトからの相対バイト番号ＲＢＮで記述する。第４ＥＡＯＢが存在しない場合は、‘００００  ００００ｈ’を入力する。５ＴＨ＿ＥＡＯＢ＿ＳＡは第５ＥＡＯＢの先頭アドレスをＥＡＯＢＳの第１バイトからの相対バイト番号ＲＢＮで記述する。第５ＥＡＯＢが存在しない場合は、‘００００  ００００ｈ’を入力する。６ＴＨ＿ＥＡＯＢ＿ＳＡは第６ＥＡＯＢの先頭アドレスをＥＡＯＢＳの第１バイトからの相対バイト番号ＲＢＮで記述する。第６ＥＡＯＢが存在しない場合は、‘００００  ００００ｈ’を入力する。７ＴＨ＿ＥＡＯＢ＿ＳＡは第７ＥＡＯＢの先頭アドレスをＥＡＯＢＳの第１バイトからの相対バイト番号ＲＢＮで記述する。第７ＥＡＯＢが存在しない場合は、‘００００  ００００ｈ’を入力する。ＥＡＯＢＳの最大サイズはＥＡＯＢＳヘッダ情報ＥＡＯＢＳ＿ＨＩを含めて８ＭＢに制限されている。ｎ番目のＥＡＯＢの終了アドレスは（ｎ＋１）番目のＥＡＯＢの先頭アドレス−１、あるいはＥＡＯＢＳの終了アドレスである。ＥＡＯＢＳ内の各ＥＡＯＢはギャップ無しで連続して配置される。
【０４５１】
次にナビゲーションデータ構造を説明する。
【０４５２】
図７２はＶＭＧＩ内のＶＭＧＭ＿ＰＧＣＩ＿ＵＴ内のＶＭＧＭ＿ＰＧＣＩ＿ＳＲＰ内のＶＭＧＭ＿ＰＧＣ＿ＣＡＴの内容を示す。
【０４５３】
エントリータイプ（ｂ３９）
０ｂ：非エントリーＰＧＣ
１ｂ：エントリーＰＧＣ
ブロックモード（ｂ３８）
００ｂ：ブロック内の非ＰＧＣ
０１ｂ：ブロック内の最初のＰＧＣ
１０ｂ：ブロック内のＰＧＣ（最初と最後を除く）
１１ｂ：ブロック内の最後のＰＧＣ
ブロックタイプ（ｂ３７，ｂ３６）
００ｂ：ブロック内の部分ではない
０１ｂ：パレンタルブロック
他：リザーブ
オーディオセレクション（ｂ７，ｂ６）
００ｂ：ＰＧＣで指定されるＥＶＯＢ内のオーディオが再生される
０１ｂ：リザーブ
１０ｂ：先頭ＥＡＯＢＮで指定される非同期オーディオＥＡＯＢが連続して再生される（ＥＶＯＢ内のオーディオは，もし、あっても無視される）
１１ｂ：先頭ＥＡＯＢＮで指定される非同期オーディオＥＡＯＢの再生が開始される（ＥＶＯＢ内のオーディオは，もし、あっても無視される）
先頭ＥＡＯＢＮ（ｂ５−ｂ３）
オーディオセレクションが‘００ｂ’の時、先頭ＥＡＯＢＮは無意味である
オーディオセレクションが‘１０ｂ’あるいは‘１１ｂ’の時、先頭ＥＡＯＢＮは以下の通り定義される
０００ｂ：リザーブ
００１ｂ−１１１ｂ：先頭ＥＡＯＢ番号
注：先頭ＥＡＯＢＮは終了ＥＡＯＢＮ以下である
終了ＥＡＯＢＮ（ｂ２−ｂ０）
オーディオセレクションが‘００ｂ’の時、終了ＥＡＯＢＮは無意味である
オーディオセレクションが‘１０ｂ’あるいは‘１１ｂ’の時、終了ＥＡＯＢＮは以下の通り定義される
０００ｂ：リザーブ
００１ｂ−１１１ｂ：終了ＥＡＯＢ番号
注１：オーディオセレクションが‘００ｂ’の時、非同期オーディオが先頭ＥＡＯＢＮと終了ＥＡＯＢＮの間で連続して再生される
注２：オーディオセレクションが‘１０ｂ’の時、先頭ＥＡＯＢＮと終了ＥＡＯＢＮは以前のＰＧＣのそれと同じである。ＰＧＣ間で非同期オーディオがシームレスに再生される
注３：ドメイン変化が発生すると、シームレス再生は保証されない
図７３はＶＴＳＩ内のＶＴＳ＿ＰＧＣＩＴ内のＶＴＳ＿ＰＧＣＩ＿ＳＲＰ内のＶＴＳ＿ＰＧＣ＿ＣＡＴの内容を示す。
【０４５４】
エントリータイプ（ｂ３９）
０ｂ：非エントリーＰＧＣ
１ｂ：エントリーＰＧＣ
ＲＳＭパーミッション（許可）（ｂ３８）
このＰＧＣ内でＲＳＭインストラクションあるいはリジュームファンクション（）による再生の再開が許可されているか否かを記述する
０ｂ：許可（ＲＳＭ情報が更新される）
１ｂ：不許可（ＲＳＭ情報が更新されない）
ブロックモード（ｂ３７−ｂ３６）
００ｂ：ブロック内にＰＧＣがない
０１ｂ：ブロック内の最初のＰＧＣ
１０ｂ：ブロック内のＰＧＣ（最初と最後を除く）
１１ｂ：ブロック内の最後のＰＧＣ
ブロックタイプ（ｂ３５，ｂ３４）
００ｂ：ブロック内の部分ではない
０１ｂ：パレンタルブロック
他：リザーブ
ＶＴＳ＿ＴＩＮ（ｂ３２−ｂ２４）
ＶＴＳタイトル番号値
オーディオセレクション（ｂ７，ｂ６）
００ｂ：ＰＧＣで指定されるＥＶＯＢ内のオーディオが再生される
０１ｂ：リザーブ
１０ｂ：先頭ＥＡＯＢＮで指定される非同期オーディオＥＡＯＢが連続して再生される（ＥＶＯＢ内のオーディオは，もし、あっても無視される）
１１ｂ：先頭ＥＡＯＢＮで指定される非同期オーディオＥＡＯＢの再生が開始される（ＥＶＯＢ内のオーディオは，もし、あっても無視される）
先頭ＥＡＯＢＮ（ｂ５−ｂ３）
オーディオセレクションが‘００ｂ’の時、先頭ＥＡＯＢＮは無意味である
オーディオセレクションが‘１０ｂ’あるいは‘１１ｂ’の時、先頭ＥＡＯＢＮは以下の通り定義される
０００ｂ：リザーブ
００１ｂ−１１１ｂ：先頭ＥＡＯＢ番号
注：先頭ＥＡＯＢＮは終了ＥＡＯＢＮ以下である
終了ＥＡＯＢＮ（ｂ２−ｂ０）
オーディオセレクションが‘００ｂ’の時、終了ＥＡＯＢＮは無意味である
オーディオセレクションが‘１０ｂ’あるいは‘１１ｂ’の時、終了ＥＡＯＢＮは以下の通り定義される
０００ｂ：リザーブ
００１ｂ−１１１ｂ：終了ＥＡＯＢ番号
注１：オーディオセレクションが‘００ｂ’の時、非同期オーディオが先頭ＥＡＯＢＮと終了ＥＡＯＢＮの間で連続して再生される
注２：オーディオセレクションが‘１０ｂ’の時、先頭ＥＡＯＢＮと終了ＥＡＯＢＮは以前のＰＧＣのそれと同じである。ＰＧＣ間で非同期オーディオがシームレスに再生される
注３：ドメイン変化が発生すると、シームレス再生は保証されない
図７４はＶＴＳ内のＶＴＳＭ＿ＬＵ内のＶＴＳＭ＿ＰＧＣＩ＿ＳＲＰ内のＶＴＳＭ＿ＰＧＣ＿ＣＡＴの内容を示す。
【０４５５】
エントリータイプ（ｂ３９）
０ｂ：非エントリーＰＧＣ
１ｂ：エントリーＰＧＣ
ブロックモード（ｂ３７，ｂ３６）
００ｂ：ブロック内のＰＧＣではない
０１ｂ：ブロック内の最初のＰＧＣ
１０ｂ：ブロック内のＰＧＣ（最初と最後を除く）
１１ｂ：ブロック内の最後のＰＧＣ
ブロックタイプ（ｂ３５，ｂ３４）
００ｂ：ブロック内の部分ではない
０１ｂ：パレンタルブロック
他：リザーブ
メニューＩＤ（ｂ３１−ｂ２８）
００１１ｂ：ルートメニュー
０１００ｂ：サブピクチャメニュー
０１０１ｂ：オーディオメニュー
０１１０ｂ：アングルメニュー
０１１１ｂ：ＰＴＴメニュー
他：リザーブ
オーディオセレクション（ｂ７，ｂ６）
００ｂ：ＰＧＣで指定されるＥＶＯＢ内のオーディオが再生される
０１ｂ：リザーブ
１０ｂ：先頭ＥＡＯＢＮで指定される非同期オーディオＥＡＯＢが連続して再生される（ＥＶＯＢ内のオーディオは，もし、あっても無視される）
１１ｂ：先頭ＥＡＯＢＮで指定される非同期オーディオＥＡＯＢの再生が開始される（ＥＶＯＢ内のオーディオは，もし、あっても無視される）
先頭ＥＡＯＢＮ（ｂ５−ｂ３）
オーディオセレクションが‘００ｂ’の時、先頭ＥＡＯＢＮは無意味である
オーディオセレクションが‘１０ｂ’あるいは‘１１ｂ’の時、先頭ＥＡＯＢＮは以下の通り定義される
０００ｂ：リザーブ
００１ｂ−１１１ｂ：先頭ＥＡＯＢ番号
注：先頭ＥＡＯＢＮは終了ＥＡＯＢＮ以下である
終了ＥＡＯＢＮ（ｂ２−ｂ０）
オーディオセレクションが‘００ｂ’の時、終了ＥＡＯＢＮは無意味である
オーディオセレクションが‘１０ｂ’あるいは‘１１ｂ’の時、終了ＥＡＯＢＮは以下の通り定義される
０００ｂ：リザーブ
００１ｂ−１１１ｂ：終了ＥＡＯＢ番号
注１：オーディオセレクションが‘００ｂ’の時、非同期オーディオが先頭ＥＡＯＢＮと終了ＥＡＯＢＮの間で連続して再生される
注２：オーディオセレクションが‘１０ｂ’の時、先頭ＥＡＯＢＮと終了ＥＡＯＢＮは以前のＰＧＣのそれと同じである。ＰＧＣ間で非同期オーディオがシームレスに再生される
注３：ドメイン変化が発生すると、シームレス再生は保証されない
図７５は図６１の変形例であり、オーディオの繰り返し再生範囲をスタートポイント、エンドポイントで指定する代わりに、スタートＥＡＯＢ、エンドＥＡＯＢで指定する場合のメニュー用オーディオオブジェクトＨＤＭＥＮＵ＿ＡＯＢの再生フローチャートを示す。
【０４５６】
先ず、エレメンタリーオーディオオブジェクトセットＥＡＯＢＳのヘッダ情報（ＥＡＯＢ＿ＨＩ）を読み出し、取得した（Ｓ３１）後、各ＥＡＯＢの先頭アドレス（１ＳＴ＿ＥＡＯＢ＿ＳＡ）の取得（Ｓ３２）と、再生するプログラムチェーン（ＰＧＣ）中のカテゴリ情報（ＰＧＣ＿ＣＡＴ）を検出し、「音声情報選択フラグ」、「先頭ＥＡＯＢ番号」及び「終了ＥＡＯＢ番号」を取得（Ｓ３３）する。取得した「音声情報選択フラグ」が‘００ｂ’か否かを判定し（Ｓ３４）、‘００ｂ’の場合にはＥＡＯＢを再生している時は、再生を停止（Ｓ３５）し、ＰＧＣで指定されたＶＯＢ中のオーディオを再生する（Ｓ３６）。
【０４５７】
もし「音声情報選択フラグ」が‘００ｂ’で無い場合には、更に「音声情報選択フラグ」が‘１１ｂ’か否かを判定（Ｓ３７）する。「音声情報選択フラグ」が‘１１ｂ’の場合には、ＥＡＯＢＳを「開始ＥＡＯＢ番号」から再生開始（Ｓ３８）する。「音声情報選択フラグ」が‘１１ｂ’で無い場合には、更に「音声情報選択フラグ」が‘１０ｂ’か否かを判定（Ｓ３９）し、該当した場合にはＥＡＯＢＳを継続して再生（Ｓ４０）する。ステップＳ３８、Ｓ４０の後に、「開始ＥＡＯＢ番号」から「終了ＥＡＯＢ番号」間の繰り返し再生（Ｓ４４）を行う。
【０４５８】
図７６は非同期オーディオＥＡＯＢＳの再生を行なう標準プレーヤモデルを示す。トラックバッファから入力されたＥＶＯＢはでマルチプレクサでビデオとオーディオに分離され、それぞれの入力バッファに格納される。ビデオデータはビデオデコーダを介して出力される。エレメンタリーオーディオオブジェクトセットＥＡＯＢＳはディスク挿入時にエレメンタリーオーディオバッファに格納される。オーディオ入力バッファ、エレメンタリーオーディオバッファの出力は音声情報選択フラグによりいずれかが選択されてオーディオデコーダを介して出力される。
【０４５９】
このようにエレメンタリーオーディオオブジェクトセットＥＡＯＢＳはメニュー画面再生に先立ち、予めバッファ内にプリロードすることを前提としている。予め、プリロードすることでメニュー画面切替時に途中で途切れることなく、シームレスにＥＡＯＢＳの再生が可能となる。メニュー表示時に同時に再生する音声として、ＶＭＧＭ＿ＥＶＯＢＳ内に記録されているオーディオ情報を再生するか、ＥＡＯＢＳ内に記録されているオーディオ情報を再生するかは図８、５８、７１、２４、５９、８９、２７、６０、９６のそれぞれに記載されたオーディオ選択（音声情報選択）の情報により切り替えられ、図６０のステップＳ１４、Ｓ１７、Ｓ１９、及び図７５のステップＳ３４、Ｓ３７、Ｓ３９に示すような分岐処理が行なわれる。
【０４６０】
次に、ナビゲーションデータ構造を説明する。
【０４６１】
ナビゲーションデータは再生データの属性、再生制御に関する情報であり、ビデオマネージャ情報ＶＭＧＩ、ビデオタイトルセット情報ＶＴＳＩ、プレゼンテーション制御情報ＰＣＩ、データサーチ情報ＤＳＩの４種類の情報からなる。ＶＭＧＩはＶＭＧの先頭と最後に記述され、ＶＴＳＩはＶＴＳの先頭と最後に記述される。ＰＣＩとＤＳＩは再生データに沿ってエンハンスドビデオオブジェクトセットＥＶＯＢＳ内に分散配置される。
【０４６２】
図７８はビデオマネージャ情報ＶＭＧＩの構造を示す。
【０４６３】
ビデオマネージャ情報ＶＭＧＩは関連するＨＶＤＶＤ＿ＴＳディレクトリの情報、例えばタイトルを検索する情報、ＦＰ＿ＰＧＣ、ＶＭＧＭを再生する情報、さらにパレンタルマネジメント、各ＶＴＳ＿ＡＴＲ、ＴＸＴＤＴの情報を記述する。
【０４６４】
ビデオマネージャ情報ＶＭＧＩの先頭はビデオマネージャ情報管理テーブルＶＭＧＩ＿ＭＡＴ（必須）であり、以下タイトルサーチポインタテーブルＴＴ＿ＳＲＰＴ（必須）、ビデオマネージャメニューＰＧＣＩユニットテーブルＶＭＧＭ＿ＰＧＣＩ＿ＵＴ（ＶＭＧＭ＿ＥＶＯＢＳが存在する時必須）、パレンタル管理情報テーブルＰＴＬ＿ＭＡＩＴ（任意）、ビデオタイトルセット属性テーブルＶＴＳ＿ＡＴＲＴ（必須）、テキストデータマネージャＴＸＴＤＴ＿ＭＧ（任意）、ＦＰ＿ＰＧＣメニューセルアドレステーブルＦＰ＿ＰＧＣＭ＿Ｃ＿ＡＤＴ（ＦＰ＿ＰＧＣＭ＿ＥＶＯＢが存在する時必須）、ＦＰ＿ＰＧＣメニューエンハンスドビデオオブジェクトユニットテーブルマップＦＰ＿ＰＧＣＭ＿ＥＶＯＢＵ＿ＡＤＭＡＰ（ＦＰ＿ＰＧＣＭ＿ＥＶＯＢが存在する時必須）、ビデオマネージャメニューセルアドレステーブルＶＭＧＭ＿Ｃ＿ＡＤＴ（ＶＭＧＭ＿ＥＶＯＢＳが存在する時必須）、ビデオマネージャメニューエンハンスドビデオオブジェクトユニットアドレスマップＶＭＧＭ＿ＥＶＯＢＵ＿ＡＤＭＡＰ（ＶＭＧＭ＿ＥＶＯＢＳが存在する時必須）が続く。各テーブルは論理ブロック間の境界に整列される。この目的のために、各テーブルは最大２，０４７バイト（‘００ｈ’を含む）まで続く。
【０４６５】
図８０は図７９のＦＰ＿ＰＧＣＭのサブピクチャストリーム属性（ＦＰ＿ＰＧＣＭ＿ＳＰＳＴ＿ＡＴＲ）の内容を示す。
【０４６６】
サブピクチャコーディングモード（ｂ４７−ｂ４５）
０００ｂ：２ビット／１画素のランレングス。ＰＲＥ＿ＨＥＡＤの値は‘００００ｈ’以外である。
【０４６７】
００１ｂ：２ビット／１画素のランレングス。ＰＲＥ＿ＨＥＡＤの値は‘００００ｈ’である。
【０４６８】
サブピクチャタイプ（ｂ４１−ｂ４０）
０１ｂ：言語
ＨＤ（ｂ３５）
サブピクチャコーディングモードが‘００１ｂ’の時は、このフラグはＨＤストリームが存在するか否かを示す。
【０４６９】
０ｂ：ＨＤストリームが存在しない
１ｂ：ＨＤストリームが存在する
ＳＤ−ワイド（ＳＤ−Ｗｉｄｅ）（ｂ３５）
サブピクチャコーディングモードが‘００１ｂ’の時は、このフラグはＳＤ−ワイド（１６：９）ストリームが存在するか否かを示す。
【０４７０】
０ｂ：ＳＤ−Ｗｉｄｅストリームが存在しない
１ｂ：ＳＤ−Ｗｉｄｅストリームが存在する
ＳＤ−パンスキャン（ＳＤ−ＰＳ）（ｂ３３）
サブピクチャコーディングモードが‘００１ｂ’の時は、このフラグはＳＤ−パンスキャン（４：３）ストリームが存在するか否かを示す。
【０４７１】
０ｂ：ＳＤ−ＰＳストリームが存在しない
１ｂ：ＳＤ−ＰＳストリームが存在する
ＳＤ−レターボックス（ＳＤ−ＬＢ）（ｂ３２）
サブピクチャコーディングモードが‘００１ｂ’の時は、このフラグはＳＤ−レターボックス（４：３）ストリームが存在するか否かを示す。
【０４７２】
０ｂ：ＳＤ−ＬＢストリームが存在しない
１ｂ：ＳＤ−ＬＢストリームが存在する
図８１は図７９のＦＰ＿ＰＧＣカテゴリ（ＦＰ＿ＰＧＣ＿ＣＡＴ）の内容を示す。
【０４７３】
エントリータイプ（ｂ３９）
０ｂ：非エントリーＰＧＣ
１ｂ：エントリーＰＧＣ
オーディオセレクション（ｂ７，ｂ６）
００ｂ：ＰＧＣで指定されるＥＶＯＢ内のオーディオが再生される
０１ｂ：リザーブ
１０ｂ：先頭ＥＡＯＢＮで指定される非同期オーディオＥＡＯＢが連続して再生される（ＥＶＯＢ内のオーディオは，もし、あっても無視される）
１１ｂ：先頭ＥＡＯＢＮで指定される非同期オーディオＥＡＯＢの再生が開始される（ＥＶＯＢ内のオーディオは，もし、あっても無視される）
先頭ＥＡＯＢＮ（ｂ５−ｂ３）
オーディオセレクションが‘００ｂ’の時、先頭ＥＡＯＢＮは無意味である
オーディオセレクションが‘１０ｂ’あるいは‘１１ｂ’の時、先頭ＥＡＯＢＮは以下の通り定義される
０００ｂ：リザーブ
００１ｂ−１１１ｂ：先頭ＥＡＯＢ番号
注：先頭ＥＡＯＢＮは終了ＥＡＯＢＮ以下である
終了ＥＡＯＢＮ（ｂ２−ｂ０）
オーディオセレクションが‘００ｂ’の時、終了ＥＡＯＢＮは無意味である
オーディオセレクションが‘１０ｂ’あるいは‘１１ｂ’の時、終了ＥＡＯＢＮは以下の通り定義される
０００ｂ：リザーブ
００１ｂ−１１１ｂ：終了ＥＡＯＢ番号
注１：オーディオセレクションが‘００ｂ’の時、非同期オーディオが先頭ＥＡＯＢＮと終了ＥＡＯＢＮの間で連続して再生される。
【０４７４】
注２：オーディオセレクションが‘１０ｂ’の時、先頭ＥＡＯＢＮと終了ＥＡＯＢＮは以前のＰＧＣのそれと同じである。ＰＧＣ間で非同期オーディオがシームレスに再生される。
【０４７５】
注３：ドメイン変化が発生すると、シームレス再生は保証されない。
【０４７６】
図８２はＶＭＧＩ内のＦＰ＿ＰＧＣメニューセルアドレステーブル（ＦＰ＿ＰＧＣＭ＿Ｃ＿ＡＤＴ）の構造を示す。
【０４７７】
このテーブルはＦＰ＿ＰＧＣＭ＿ＥＶＯＢ内の全てのセルの先頭、終了アドレスを記述する。ＦＰ＿ＰＧＣＭ＿Ｃ＿ＡＤＴの先頭はＦＰ＿ＰＧＣメニューセルアドレステーブル情報ＦＰ＿ＰＧＣＭ＿Ｃ＿ＡＤＴＩであり、以下、各セルピースについてのＦＰ＿ＰＧＣメニューセルピース情報ＦＰ＿ＰＧＣＭ＿ＣＰＩが続く。セルピースがセルに等しくなるように連続ブロックが存在する場合がある。これらはインターリーブされない。各セルピースのＦＰ＿ＰＧＣＭ＿ＣＰＩは先ずＥＶＯＢ＿ＩＤＮが、次にＣ＿ＩＤＮが、３番目にセル内のセルピースの再生順番が続く。
【０４７８】
ＥＶＯＢ＿ＩＤＮとＣ＿ＩＤＮはセルピースが属するセルのそれである。
【０４７９】
ビデオマネージャ情報ＶＭＧＩはビデオマネージャ情報管理テーブルＶＭＧＩ＿ＭＡＴ（必須）、タイトルサーチポインタテーブルＴＴ＿ＳＲＰＴ（必須）、ビデオマネージャメニューＰＧＣＩユニットテーブルＶＭＧＭ＿ＰＧＣＩ＿ＵＴ（ＶＭＧＭ＿ＥＶＯＢＳが存在する時必須）、パレンタル管理情報テーブルＰＴＬ＿ＭＡＩＴ（任意）、ビデオタイトルセット属性テーブルＶＴＳ＿ＡＴＲＴ（必須）、テキストデータマネージャＴＸＴＤＴ＿ＭＧ（任意）、ＦＰ＿ＰＧＣメニューセルアドレステーブルＦＰ＿ＰＧＣＭ＿Ｃ＿ＡＤＴ（ＦＰ＿ＰＧＣＭ＿ＥＶＯＢ  が存在する時必須）、ＦＰ＿ＰＧＣメニューＥＶＯＢＵアドレスマップＦＰ＿ＰＧＣＭ＿ＥＶＯＢＵ＿ＡＤＭＡＰ（ＦＰ＿ＰＧＣＭ＿ＥＶＯＢが存在する時必須）、ビデオマネージャメニューセルアドレステーブルＶＭＧＭ＿Ｃ＿ＡＤＴ（ＶＭＧＭ＿ＥＶＯＢＳが存在する時必須）、ビデオマネージャメニューＥＶＯＢＵアドレスマップＶＭＧＭ＿ＥＶＯＢＵ＿ＡＤＭＡＰ（ＶＭＧＭ＿ＥＶＯＢＳが存在する時必須）からなる。
【０４８０】
ＦＰ＿ＰＧＣメニューセルアドレステーブルＦＰ＿ＰＧＣＭ＿Ｃ＿ＡＤＴはＦＰ＿ＰＧＣメニューセルアドレステーブル情報ＦＰ＿ＰＧＣＭ＿Ｃ＿ＡＤＴＩと、
ＦＰ＿ＰＧＣメニューセルピース＃１情報ＦＰ＿ＰＧＣＭ＿ＣＰＩ  ＃１、ＦＰ＿ＰＧＣメニューセルピース＃２情報ＦＰ＿ＰＧＣＭ＿ＣＰＩ  ＃２、…ＦＰ＿ＰＧＣ  メニューセルピース＃ｎ情報ＦＰ＿ＰＧＣＭ＿ＣＰＩ  ＃ｎからなる。
【０４８１】
図８３はＶＭＧＩ内のＦＰ＿ＰＧＣメニューエンハンスドビデオオブジェクトユニットアドレスマップＦＰ＿ＰＧＣＭ＿ＥＶＯＢＵ＿ＡＤＭＡＰの構造を示す。
【０４８２】
このマップ上で、ＦＰ＿ＰＧＣＭ＿ＥＶＯＢ内の全てのＥＶＯＢＵｓの先頭アドレスはＬＢＮ（論理ブロック番号）の昇順に記述される。ＦＰ＿ＰＧＣＭ＿ＥＶＯＢＵ＿ＡＤＭＡＰの先頭はＦＰ＿ＰＧＣメニューエンハンスドビデオオブジェクトユニットアドレスマップ情報ＦＰ＿ＰＧＣＭ＿ＥＶＯＢＵ＿ＡＤＭＡＰＩであり、以下、各ＥＶＯＢＵ毎のＦＰ＿ＰＧＣメニューエンハンスドビデオオブジェクトユニット＃ｎアドレスＦＰ＿ＰＧＣＭ＿ＥＶＯＢＵ＿ＡＤ＃ｎが続く。
【０４８３】
次に、グラフィックユニットの変形例を説明する。
【０４８４】
映画からＤＶＤコンテンツを作る場合、映画のフレーム数（２４フレーム／秒）と、テレビジョン方式の毎秒フレーム数が異なるので、フレーム変換が行なわれる。ＮＴＳＣテレビジョン方式は３０フレーム／秒であり、図８７に示すように、映画の２フレームをＮＴＳＣの５フィールドに変換する（３：２プルダウン方式）。
【０４８５】
コンテンツ内の再生開始／終了位置は再生時刻ＰＴＭ（Ｐｒｅｓｅｎｔａｔｉｏｎ  ｔｉｍｅ）で定義している。しかし、同じコンテンツでもＮＴＳＣ／ＰＡＬ方式ではＰＴＳが異なるので、ＮＴＳＣ／ＰＡＬ方式コンテンツに対してＰＴＳを書き換える必要がある。しかし、ＰＴＭの代わりに映画のフレーム番号で再生開始／終了位置を指定するように変更してもよい。こうすると、３：２プルダウンは必要であるが、ＮＴＳＣ／ＰＡＬ方式とで先頭のＰＴＭのみ書き換えるだけで、処理できるメリットがある。
【０４８６】
図８８はボタンパターンデータのランレングス圧縮ルールを示す。
【０４８７】
（ａ）同じ値が連続しない場合は、第１ビットに‘０’を、次の１ビットに画素（ピクセル）データを入力する。２ビットが１ユニットを構成する。
【０４８８】
（ｂ）同じ値の２−３画素が連続する場合は、第１ビットに‘１’を、次の２ビットに後続する画素数を、次の１ビットに画素データを入力する。４ビットが１ユニットを構成する。
【０４８９】
（ｃ）同じ値の４−７画素が連続する場合は、第１ビットに‘１’を、次の１ビットに‘０’を、次の３ビットに後続する画素数を、次の１ビットに画素データを入力する。６ビットが１ユニットを構成する。
【０４９０】
（ｄ）同じ値の８−１５画素が連続する場合は、第１ビットに‘１’を、次の２ビットに‘０’を、次の４ビットに後続する画素数を、次の１ビットに画素データを入力する。８ビットが１ユニットを構成する。
【０４９１】
（ｅ）同じ値の１６−３１画素が連続する場合は、第１ビットに‘１’を、次の３ビットに‘０’を、次の５ビットに後続する画素数を、次の１ビットに画素データを入力する。１０ビットが１ユニットを構成する。
【０４９２】
（ｆ）同じ値の３２−６３画素が連続する場合は、第１ビットに‘１’を、次の４ビットに‘０’を、次の６ビットに後続する画素数を、次の１ビットに画素データを入力する。１２ビットが１ユニットを構成する。
【０４９３】
（ｇ）同じ値の６４−１２７画素が連続する場合は、第１ビットに‘１’を、次の５ビットに‘０’を、次の７ビットに後続する画素数を、次の１ビットに画素データを入力する。１４ビットが１ユニットを構成する。
【０４９４】
（ｈ）同じ値の１２８−２５５画素が連続する場合は、第１ビットに‘１’を、次の６ビットに‘０’を、次の８ビットに後続する画素数を、次の１ビットに画素データを入力する。１６ビットが１ユニットを構成する。
【０４９５】
（ｉ）１行の最後まで同じ値の画素が連続する場合は、第１ビットに‘１’を、次の１４ビットに‘０’を、次の１ビットに画素データを入力する。１６ビットが１ユニットを構成する。
【０４９６】
もし、１行の画素の記述が完了したときにバイト整列が達成されていない場合は、調整のためにデータ中に２ビットデータ‘００ｂ’、４ビットデータ‘００００ｂ’、あるいは６ビットデータ‘００００００ｂ’が挿入される。各ＢＴＮＰＤ（圧縮データ）のサイズは１２８ｋＢ以下である。
【０４９７】
次に、副映像の変形例を説明する。
【０４９８】
図８９は副映像ユニットＳＰＵ（Ｓｕｂ−Ｐｉｃｔｕｒｅ  Ｕｎｉｔ）内のデータ構造を示す。副映像ユニットヘッダＳＰＵＨ（Ｓｕｂ−Ｐｉｃｔｕｒｅ  Ｕｎｉｔ  Ｈｅａｄｅｒ）の後ろに副映像のビットマップ画面がランレングス圧縮（データ圧縮技術の一部）されてピクセルデータ領域ＰＸＤ内に記録される。更に、その後ろにはピクセルデータ領域ＰＸＤ内に記録されたランレングス圧縮前の副映像のビットマップ画面の主映像画面に対する表示位置や表示サイズ、表示タイミングなどの情報が記録された副映像表示制御シーケンステーブルＳＰ＿ＤＣＳＱＴ（Ｓｕｂ−Ｐｉｃｔｕｒｅ  Ｄｉｓｐｌａｙ  ｃｏｎｔｒｏｌ  ｓｅｑｕｅｎｃｅ  ｔａｂｌｅ）が記録される。現状のＳＤのＤＶＤコンテンツに使われている副映像ユニットヘッダＳＰＵＨ内のデータ構造は、図９１（ａ）に示すように、副映像ユニットのサイズ情報ＳＰＵ＿ＳＺと副映像表示制御シーケンステーブル開始アドレス情報ＳＰ＿ＤＣＳＱＴ＿ＳＡから構成され、各情報がそれぞれ２バイトで表現されている。
【０４９９】
上記副映像ユニットのサイズ情報ＳＰＵ＿ＳＺと副映像表示制御シーケンステーブル開始アドレス情報ＳＰ＿ＤＣＳＱＴ＿ＳＡの定義を図９０に示す。副映像表示制御シーケンステーブル開始アドレス情報ＳＰ＿ＤＣＳＱＴ＿ＳＡは副映像ユニットヘッダＳＰＨＵの先頭位置から副映像表示制御シーケンステーブル開始位置までの相対アドレス（データサイズ）を表す。また、副映像ユニットのサイズ情報ＳＰＵ＿ＳＺは副映像ユニットＳＰＵ全体のサイズを表し、現状のＳＤのＤＶＤにおいてこの値は５３，２２０バイト以下に設定する必要が有る。現行のＤＶＤビデオ規格では例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）では解像度が最大４８０ライン×７２０ピクセルのＳＤ（Ｓｔａｎｄａｒｄ  Ｄｅｆｉｎｉｔｉｏｎ）画像しかサポートしていない。それに対して映像情報としてＮＴＳＣで例えば１，０８０ライン×１，９２０ピクセルの高解像度を持ったＨＤ（Ｈｉｇｈ  Ｄｅｆｉｎｉｔｉｏｎ）画像まで対応させ、それに応じた高解像度の副映像ストリームを記録しようとしても、上限が５３，２２０バイトと規定されている現行の副映像ユニットＳＰＵには入らないと言う問題が生じる。また、同様に副映像画面の表示位置などの情報を記録する副映像表示制御シーケンステーブルＳＰ＿ＤＣＳＱＴのサイズも拡張する必要が有る。従って、ＨＤに対応した副映像ユニットヘッダＳＰＵＨでは、図９１（ｃ）に示すように、副映像ユニットのサイズ情報ＳＰＵ＿ＳＺを従来の２バイト表現から４バイト表現まで拡張し、最大３９３，２１６バイトまで設定可能としている。また、副映像表示制御シーケンステーブル開始アドレス情報ＳＰ＿ＤＣＳＱＴ＿ＳＡも従来の２バイト表現から４バイト表現に拡張した。更に、現状のＳＤのＤＶＤコンテンツとの間のデータ構造互換性確保を目指した構造にしている。すなわち、映像ユニットヘッダＳＰＵＨの先頭から２バイトの情報でＳＤ用副映像ユニットヘッダＳＰＵＨかＨＤ用副映像ユニットヘッダＳＰＵＨかの識別が可能な構造にしている。副映像ユニットヘッダＳＰＵＨの先頭から２バイトの情報が‘００００ｈ’以外の情報が記録されている場合には、ＳＤ用副映像ユニットヘッダＳＰＵＨで有ると識別し、この２バイトの情報は副映像ユニットのサイズ情報ＳＰＵ＿ＳＺの情報を示していると識別させる。逆に、この２バイト情報が‘００００ｈ’の場合には、ＨＤ用副映像ユニットヘッダＳＰＵＨで有ると識別し、この２バイトの情報は副映像ユニットのプリヘッダＰＲＥ＿ＨＥＡＤ内に記録されたＨＤ用の副映像ユニット用ＩＤ情報ＳＰＵ＿ＩＤと認識させる。ＨＤ用の副映像ユニットヘッダＳＰＵＨ内では副映像ユニットのサイズ情報ＳＰＵ＿ＳＺと副映像表示制御シーケンステーブル開始アドレス情報ＳＰ＿ＤＣＳＱＴ＿ＳＡは副映像ユニットのポストヘッダＰＯＳＴ＿ＨＥＡＤ内に記録されている。
【０５００】
上記説明内容に基づき、判定した種別に応じて副映像ユニットの再生を行うフローチャートを図９４に示す。
【０５０１】
先ず、副映像ユニットヘッダ（ＳＰＵＨ）中の２バイトの先行ヘッダ（ＰＲＥ＿ＨＥＡＤ）を取得し（Ｓ３１）、ＰＲＥ＿ＨＥＡＤ内のデータが‘００００ｈ’か否かを判定する（Ｓ３２）。このデータが‘００００ｈ’以外の場合には、２バイトのＰＲＥ＿ＨＥＡＤを副映像ユニットサイズ（ＳＰＵ＿ＳＺ）として処理し（Ｓ３３）、２バイトの後続ヘッダ（ＰＯＳＴ＿ＨＥＡＤ）を副映像表示制御シーケンステーブル開始アドレス（ＳＰ＿ＤＣＳＱＴ＿ＳＡ）として処理する（Ｓ３４）。
【０５０２】
ＰＲＥ＿ＨＥＡＤ内のデータが‘００００ｈ’の場合には、２バイトのＰＲＥ＿ＨＥＡＤを副映像ユニット識別子（ＳＰＵ＿ＩＤ）として処理し（Ｓ３７）、８バイトの後続ヘッダ（ＰＯＳＴ＿ＨＥＡＤ）を、４バイトの副映像ユニットサイズ（ＳＰＵ＿ＳＺ）と、４バイトの副映像表示制御シーケンステーブル開始アドレス（ＳＰ＿ＤＣＳＱＴ＿ＳＡ）として処理する（Ｓ３８）。
【０５０３】
いずれの場合でも、その後に後続のピクセルデータ（ＰＸＤ）を取得（Ｓ３５）した後に、後続の副映像表示制御シーケンステーブル（ＳＰ＿ＤＣＳＱＴ）を取得する（Ｓ３６）。
【０５０４】
図９１（ｃ）に示したＨＤ用の副映像ユニットヘッダＳＰＵＨ内のデータ構造を別の観点から書き直したのが図９２である。
【０５０５】
副映像表示制御シーケンステーブルＳＰ＿ＤＣＳＱＴ内に記録し得る副映像表示制御コマンドＳＰ＿ＤＣＣＭＤの一覧に対して、図９３に示すように、ＨＤコンテンツに対応した高解像度の副映像に対するコマンドであるピクセルデータの表示領域を設定２（ＳＥＴ＿ＤＡＲＥＡ２）、ピクセルデータの表示先頭アドレスを設定２（ＳＥＴ＿ＤＳＰＸＡ２）、ピクセルデータの色とコントラストの変更を設定２（ＣＨＧ＿ＣＯＬＣＯＮ２）を追加する。ピクセルデータの表示領域の設定２であるＳＥＴ＿ＤＡＲＥＡ２はＳＥＴ＿ＤＡＲＥＡと同様に副映像ビットマップ画面の主映像画面内での表示範囲を指定したコマンドで、表示範囲の指定値設定条件に対して従来のＳＤ映像に加えてＨＤ映像に対する条件が付加されている。ピクセルデータの表示先頭アドレスの設定２であるＳＥＴ＿ＤＳＰＸＡ２はＳＥＴ＿ＤＳＰＸＡと同様に副映像ビットマップ画面の主映像画面内での表示先頭アドレスを指定したコマンドでＨＤの高解像度に合わせて、ＰＸＤデータの表示開始位置をアドレス指定可能なように（ＳＥＴ＿ＤＳＰＸＡの）５バイト表現から８バイト表現に拡張している。ピクセルデータの色とコントラストの変更を設定２するＣＨＧ＿ＣＯＬＣＯＮ２はＣＨＧ＿ＣＯＬＣＯＮと同様に副映像ビットマップ画面の色とコントラストの変更を指定するコマンドである。
【０５０６】
図９５は図７９に示したＶＭＧＩ＿ＭＡＴ内のＶＭＧＭのサブピクチャストリーム属性（ＶＭＧＭ＿ＳＰＳＴ＿ＡＴＲ）の内容を示す。
【０５０７】
サブピクチャコーディングモード（ｂ４７−ｂ４５）
０００ｂ：２ビット／１画素のランレングス。ＰＲＥ＿ＨＥＡＤの値は‘００００ｈ’以外である。
【０５０８】
００１ｂ：２ビット／１画素のランレングス。ＰＲＥ＿ＨＥＡＤの値は‘００００ｈ’である。
【０５０９】
ＨＤ（ｂ３５）
サブピクチャコーディングモードが‘００１ｂ’の時は、このフラグはＨＤストリームが存在するか否かを示す。
【０５１０】
０ｂ：ＨＤストリームが存在しない
１ｂ：ＨＤストリームが存在する
ＳＤ−Ｗｉｄｅ（ｂ３４）
サブピクチャコーディングモードが‘００１ｂ’の時は、このフラグはＳＤ−Ｗｉｄｅ（１６：９）ストリームが存在するか否かを示す。
【０５１１】
０ｂ：ＳＤ−Ｗｉｄｅストリームが存在しない
１ｂ：ＳＤ−Ｗｉｄｅストリームが存在する
ＳＤ−ＰＳ（ｂ３３）
サブピクチャコーディングモードが‘００１ｂ’の時は、このフラグはＳＤ  Ｐａｎ−Ｓｃａｎ（４：３）ストリームが存在するか否かを示す。
【０５１２】
０ｂ：ＳＤ−ＰＳストリームが存在しない
１ｂ：ＳＤ−ＰＳストリームが存在する
ＳＤ−ＬＢ（ｂ３２）
サブピクチャコーディングモードが‘００１ｂ’の時は、このフラグはＳＤ  Ｌｅｔｔｅｒｂｏｘ（４：３）ストリームが存在するか否かを示す。
【０５１３】
０ｂ：ＳＤ−ＬＢストリームが存在しない
１ｂ：ＳＤ−ＬＢストリームが存在する
図９６は図２１に示したＨＤビデオタイトルセット情報管理テーブル（ＨＤＶＴＳＩ＿ＭＡＴ）内のＨＤＶＴＳのサブピクチャストリーム属性（ＨＤＶＴＳ＿ＳＰＳＴ＿ＡＴＲ）の内容を示す。
【０５１４】
サブピクチャコーディングモード（ｂ４７−ｂ４５）
０００ｂ：２ビット／１画素のランレングス。ＰＲＥ＿ＨＥＡＤの値は‘００００ｈ’以外である。
【０５１５】
００１ｂ：２ビット／１画素のランレングス。ＰＲＥ＿ＨＥＡＤの値は‘００００ｈ’である。
【０５１６】
サブピクチャタイプ（ｂ４１−ｂ４０）
００ｂ：指定しない
０１ｂ：言語
ＨＤ（ｂ３５）
サブピクチャコーディングモードが‘００１ｂ’の時は、このフラグはＨＤストリームが存在するか否かを示す。
【０５１７】
０ｂ：ＨＤストリームが存在しない
１ｂ：ＨＤストリームが存在する
ＳＤ−Ｗｉｄｅ（ｂ３４）
サブピクチャコーディングモードが‘００１ｂ’の時は、このフラグはＳＤ−Ｗｉｄｅ（１６：９）ストリームが存在するか否かを示す。
【０５１８】
０ｂ：ＳＤ−Ｗｉｄｅストリームが存在しない
１ｂ：ＳＤ−Ｗｉｄｅストリームが存在する
ＳＤ−ＰＳ（ｂ３３）
サブピクチャコーディングモードが‘００１ｂ’の時は、このフラグはＳＤ  Ｐａｎ−Ｓｃａｎ（４：３）ストリームが存在するか否かを示す。
【０５１９】
０ｂ：ＳＤ−ＰＳストリームが存在しない
１ｂ：ＳＤ−ＰＳストリームが存在する
ＳＤ−ＬＢ（ｂ３２）
サブピクチャコーディングモードが‘００１ｂ’の時は、このフラグはＳＤ  Ｌｅｔｔｅｒｂｏｘ（４：３）ストリームが存在するか否かを示す。
【０５２０】
０ｂ：ＳＤ−ＬＢストリームが存在しない
１ｂ：ＳＤ−ＬＢストリームが存在する
図９７は図３４に示したＰＧＣサブピクチャストリーム制御テーブル（ＰＧＣ＿ＳＰＳＴ＿ＣＴＬＴ）の中の１つのＰＧＣサブピクチャストリーム制御情報（ＰＧＣ＿ＳＰＳＴ＿ＣＴＬ）の内容を示す。
【０５２１】
ＳＤアベイラビリティフラグ（ｂ３１）
１ｂ：このＰＧＣ内でＳＤサブピクチャストリームが利用可能
０ｂ：このＰＧＣ内でＳＤサブピクチャストリームが利用不可能
ＨＤアベイラビリティフラグ（ｂ３０）
１ｂ：このＰＧＣ内でＨＤサブピクチャストリームが利用可能
０ｂ：このＰＧＣ内でＨＤサブピクチャストリームが利用不可能
４：３／ＨＤＤ用デコーディングサブピクチャストリーム数（ｂ２８−ｂ２４）
現在のビデオ属性（ＦＰ＿ＰＧＣＭ＿Ｖ＿ＡＴＲ，ＶＭＧＭ＿Ｖ＿ＡＴＲ，ＶＴＳＭ＿Ｖ＿ＡＴＲ，あるいはＶＴＳ＿Ｖ＿ＡＴＲ）のアスペクト比とＴＶシステムが‘００ｂ’と‘００ｂ’あるいは‘０１ｂ’で、ＳＤアベイラビリティフラグが‘１ｂ’の時は、対応する４：３用のサブピクチャストリーム番号のｓｕｂ＿ｓｔｒｅａｍ＿ｉｄの下位５ビットを記述する。
【０５２２】
現在のビデオ属性（ＦＰ＿ＰＧＣＭ＿Ｖ＿ＡＴＲ，ＶＭＧＭ＿Ｖ＿ＡＴＲ，ＶＴＳＭ＿Ｖ＿ＡＴＲ，あるいはＶＴＳ＿Ｖ＿ＡＴＲ）のアスペクト比とＴＶシステムが‘１１ｂ’と‘１０ｂ’あるいは‘１１ｂ’で、ＨＤアベイラビリティフラグが‘１ｂ’の時は、対応するＨＤ用のサブピクチャストリーム番号のｓｕｂ＿ｓｔｒｅａｍ＿ｉｄの下位５ビットを記述する。
【０５２３】
ＳＤ−Ｗｉｄｅ用デコーディングサブピクチャストリーム数（ｂ２０−ｂ１６）
現在のビデオ属性（ＦＰ＿ＰＧＣＭ＿Ｖ＿ＡＴＲ，ＶＭＧＭ＿Ｖ＿ＡＴＲ，ＶＴＳＭ＿Ｖ＿ＡＴＲ，あるいはＶＴＳ＿Ｖ＿ＡＴＲ）のアスペクト比が‘１１ｂ’で、ＳＤアベイラビリティフラグが‘１ｂ’の時は、対応するＳＤ−Ｗｉｄｅ用のサブピクチャストリーム番号のｓｕｂ＿ｓｔｒｅａｍ＿ｉｄの下位５ビットを記述する。
【０５２４】
Ｌｅｔｔｅｒｂｏｘ用デコーディングサブピクチャストリーム数（ｂ１２−ｂ８）
現在のビデオ属性（ＦＰ＿ＰＧＣＭ＿Ｖ＿ＡＴＲ，ＶＭＧＭ＿Ｖ＿ＡＴＲ，ＶＴＳＭ＿Ｖ＿ＡＴＲ，あるいはＶＴＳ＿Ｖ＿ＡＴＲ）のアスペクト比と表示モードが‘１１ｂ’と‘００ｂ’あるいは‘１０ｂ’で、ＳＤアベイラビリティフラグが‘１ｂ’の時は、対応するＬｅｔｔｅｒｂｏｘ用のサブピクチャストリーム番号のｓｕｂ＿ｓｔｒｅａｍ＿ｉｄの下位５ビットを記述する。
【０５２５】
Ｐａｎ−Ｓｃａｎ用デコーディングサブピクチャストリーム数（ｂ４−ｂ０）
現在のビデオ属性（ＦＰ＿ＰＧＣＭ＿Ｖ＿ＡＴＲ，ＶＭＧＭ＿Ｖ＿ＡＴＲ，ＶＴＳＭ＿Ｖ＿ＡＴＲ，あるいはＶＴＳ＿Ｖ＿ＡＴＲ）のアスペクト比と表示モードが‘１１ｂ’と‘００ｂ’あるいは‘０１ｂ’で、ＳＤアベイラビリティフラグが‘１ｂ’の時は、対応するＰａｎ−Ｓｃａｎ用のサブピクチャストリーム番号のｓｕｂ＿ｓｔｒｅａｍ＿ｉｄの下位５ビットを記述する。
【０５２６】
各ストリーム番号に使われるサブピクチャビットストリームのコーディング条件はＰ＿ＰＧＣＭ＿ＥＶＯＢ、ＶＭＧＭ＿ＥＶＯＢＳ、ＶＴＳＭ＿ＥＶＯＢＳ、あるいはＶＴＳＴＴ＿ＥＢＯＶＳ内で同じである。
【０５２７】
ＳＤアベイラビリティフラグが‘１ｂ’で、ＨＤアベイラビリティフラグが‘１ｂ’の時は、ＨＤ用のデコーディングサブピクチャストリーム番号と同じ番号がＳＤ−Ｗｉｄｅ用、ｌｅｔｔｅｒｂｏｘ用、Ｐａｎ−Ｓｃａｎ用の各デコーディングサブピクチャストリーム番号として使用される。
【０５２８】
図３３に示したＰＧＣ＿ＧＩの変形例を図９８に示す。ＰＧＣ＿ＧＩはＰＧＣの情報であり、その内容は以下を含む。
【０５２９】
（１）ＰＧＣ＿ＣＮＴ：ＰＧＣ内容
（２）ＰＧＣ＿ＰＢ＿ＴＭ：時間、分、秒、ＢＣＤフォーマット内のフレームで計時されるＰＧＣ内のプログラムのトータル再生時間（ｔｃ＿ｆｌａｇで定義されるビデオタイムコードシステムに基づく）
（３）ＰＧＣ＿ＵＯＰ＿ＣＴＬ：ＰＧＣユーザ操作時間（ＰＧＣが再生される間，ユーザ操作が禁止される）
（４）ＰＧＣ＿ＡＳＴ＿ＣＴＬＴ：ＰＧＣオーディオストリーム制御テーブル。オーディオストリームのアベイラビリティフラグと、オーディオストリーム番号からデコーディングオーディオストリーム番号への変換情報が以下のように記述される。
【０５３０】
ＰＧＣ＿ＡＳＴ＿ＣＴＬＴは８個のＰＧＣ＿ＡＳＴ＿ＣＴＬｓからなる。１つのＰＧＣ＿ＡＳＴ＿ＣＴＬは各オーディオストリーム毎に記述される。オーディオストリーム番号が８未満の場合は、使用しないストリームのＰＧＣ＿ＡＳＴ＿ＣＴＬの各ビットに‘０ｂ’が入力される。
【０５３１】
（５）ＰＧＣ＿ＳＰＳＴ＿ＣＴＬＴ：ＰＧＣサブピクチャストリーム制御テーブル。サブピクチャストリームのアベイラビリティフラグと、サブピクチャストリーム番号からデコーディングサブピクチャストリーム番号への変換情報が以下のように記述される。
【０５３２】
ＰＧＣ＿ＳＰＳＴ＿ＣＴＬＴは３２個のＰＧＣ＿ＳＰＳＴ＿ＣＴＬｓからなる。１つのＰＧＣ＿ＳＰＳＴ＿ＣＴＬは各サブピクチャストリーム毎に記述される。サブピクチャストリーム番号が３２未満の場合は、使用しないストリームのＰＧＣ＿ＳＰＳＴ＿ＣＴＬの各ビットに‘０ｂ’が入力される。
【０５３３】
（６）ＰＧＣ＿ＮＶ＿ＣＴＬ：ＰＧＣナビゲーション制御。
【０５３４】
Ｎｅｘｔ＿ＰＧＣＮはこのＰＧＣの後に再生されるＰＧＣＮを記述する。Ｐｒｅｖｉｏｕｓ＿ＰＧＣＮはＬｉｎｋＰｒｅｖＰＧＣ命令、あるいはＰｒｅｖＰＧ＿Ｓｅａｒｃｈ（）により参照されるＰＧＣＮを記述する。２以上のＰＧＣＮｓが次に再生される場合は、いずれかのＰＧＣＮｓが記述される。ＧｏＵｐ＿ＰＧＣＮはこのＰＧＣから復帰されるＰＧＣＮを記述する。
【０５３５】
Ｎｅｘｔ＿ＰＧＣＮ、Ｐｒｅｖ＿ＰＧＣＮ、あるいはＧｏＵｐ＿ＰＧＣＮに対応するＰＧＣが存在しない場合は、対応するフィールドには‘０ｂ’が記述される。
【０５３６】
（７）ＰＧＣ＿ＳＤＳＰ＿ＰＬＴ：ＳＤ用ＰＧＣサブピクチャパレット。
【０５３７】
このＰＧＣ内の全てのＳＤ用サブピクチャストリームに共通に使われる１６組の輝度信号と２つの色差信号を記述する。‘０’から‘１５’までのカラーコードが記述される。
【０５３８】
（８）ＰＧＣ＿ＨＤＳＰ＿ＰＬＴ：ＨＤ用ＰＧＣサブピクチャパレット。
【０５３９】
このＰＧＣ内の全てのＨＤ用サブピクチャストリームに共通に使われる１６組の輝度信号と２つの色差信号を記述する。‘０’から‘１５’までのカラーコードが記述される。
【０５４０】
（９）ＰＧＣ＿ＣＭＤＴ＿ＳＡ：ＰＧＣ＿ＣＭＤＴの先頭アドレス
ＰＧＣ＿ＣＭＤＴの先頭アドレスがこのＰＧＣＩの第１バイトからの相対バイト番号（ＲＢＮ）で記述される。ＰＧＣ＿ＣＭＤＴが存在しない場合は、‘００００ｈ’が入力される。
【０５４１】
（１０）ＰＧＣ＿ＰＧＭＡＰ＿ＳＡ：ＰＧＣ＿ＰＧＭＡＰの先頭アドレス
ＰＧＣ＿ＰＧＭＡＰの先頭アドレスがこのＰＧＣＩの第１バイトからの相対バイト番号（ＲＢＮ）で記述される。ＰＧＣ＿ＰＦＭＡＰが存在しない場合は、‘００００ｈ’が入力される。
【０５４２】
（１１）Ｃ＿ＰＢＩＴ＿ＳＡ：Ｃ＿ＰＢＩＴの先頭アドレス
Ｃ＿ＰＢＩＴの先頭アドレスがこのＰＧＣＩの第１バイトからの相対バイト番号（ＲＢＮ）で記述される。Ｃ＿ＰＢＩＴが存在しない場合は、‘００００ｈ’が入力される。
【０５４３】
（１２）Ｃ＿ＰＯＳＩＴ＿ＳＡ：Ｃ＿ＰＯＳＩＴの先頭アドレス
Ｃ＿ＰＯＳＩＴの先頭アドレスがこのＰＧＣＩの第１バイトからの相対バイト番号（ＲＢＮ）で記述される。Ｃ＿ＰＯＳＩＴが存在しない場合は、‘００００ｈ’が入力される。
【０５４４】
次に、ＳＤ対応の変形例を説明する。
【０５４５】
ＳＤ用のカラーマトリクスとＨＤ用のカラーマトリクスを同時にＰＧＣにセットできない問題がある。そこで、パレットテーブルＰＧＣ＿ＳＰ＿ＰＬＴを分割する：
１）ＳＤ用のカラーマトリクスを使用するＰＧＣ＿ＳＤＳＰ＿ＰＬＴ
２）ＨＤ用のカラーマトリクスを使用するＰＧＣ＿ＨＤＳＰ＿ＰＬＴ
２つのパレットテーブルにおいて、パレット数と各パレットのサイズは同じである。
【０５４６】
次に、ＳＤ出力のためのプレーヤ標準モデルを説明する。プレーヤは表示モードをＨＤＴＶ方式からＳＤＴＶ方式に変換し、ビデオデータ、グラフィックデータ、サブピクチャデータを混合するための機能を有する。プレーヤ標準モデルのための前提条件は以下の通りである。
【０５４７】
１）グラフィックデータの解像度はビデオデータの解像度と等しい。
【０５４８】
２）グラフィックデータ（存在する場合）は最初にビデオデータに混合される。
【０５４９】
図９９は基本的なプレーヤ標準モデルを示す。
【０５５０】
図１００はプレーヤ標準モデルの種類を示す。入力のタイプと出力のタイプとの組合せに応じてＳＤ出力用のプレーヤ標準モデルは４種類がある。
【０５５１】
ケース１：入力タイプはビデオ：ＨＤ、グラフィック：ＨＤ、サブピクチャ：ＨＤ、出力タイプは（１）ＨＤ、（２）ＳＤ  １６：９Ｗｉｄｅ（ミキシング後ダウンコンバート）、（３）ＳＤ  ４：３Ｐａｎ−Ｓｃａｎ（ミキシング後ダウンコンバート）、（４）ＳＤ  ４：３Ｌｅｔｔｅｒｂｏｘ（ミキシング後ダウンコンバート）がある。
【０５５２】
ケース２：入力タイプはビデオ：ＨＤ、グラフィック：ＨＤ、サブピクチャ：ＨＤ、サブピクチャ：ＳＤ（任意）、（ＳＤＷｉｄｅ／ＳＤＰａｎ−Ｓｃａｎ／ＳＤＬｅｔｔｅｒｂｏｘ）、出力タイプは（１）ＨＤ、（２）ＳＤ  １６：９Ｗｉｄｅ（ダウンコンバート後ミックス）、（３）ＳＤ  ４：３Ｐａｎ−Ｓｃａｎ（ダウンコンバート＆Ｐａｎ−Ｓｃａｎ後ミックス）、（４）ＳＤ  ４：３Ｌｅｔｔｅｒｂｏｘ（ダウンコンバート＆Ｌｅｔｔｅｒｂｏｘ後ミックス）がある。
【０５５３】
ケース３：入力タイプはビデオ：ＳＤ、グラフィック：ＳＤ、サブピクチャ：ＳＤ、サブピクチャ：ＳＤ（任意）、（ＳＤＷｉｄｅ／ＳＤＰａｎ−Ｓｃａｎ／ＳＤＬｅｔｔｅｒｂｏｘ）、出力タイプは（１）ＳＤ  １６：９Ｗｉｄｅ（ミックス）、（２）ＳＤ  ４：３Ｐａｎ−Ｓｃａｎ（Ｐａｎ−Ｓｃａｎ後ミックス）、（３）ＳＤ  ４：３Ｌｅｔｔｅｒｂｏｘ（Ｌｅｔｔｅｒｂｏｘ後ミックス）がある。
【０５５４】
ケース３’：入力タイプはビデオ：ＳＤ、グラフィック：ＳＤ、サブピクチャ：ＳＤ、サブピクチャ：ＳＤ（任意）、（ＳＤＷｉｄｅ）、出力タイプは（１）ＳＤ  １６：９Ｗｉｄｅ（ミックス）、（２）ＳＤ  ４：３Ｐａｎ−Ｓｃａｎ（ミキシング後Ｐａｎ−Ｓｃａｎ）、（３）ＳＤ  ４：３Ｌｅｔｔｅｒｂｏｘ（ミキシング後Ｌｅｔｔｅｒｂｏｘ）がある。
【０５５５】
ケース４：入力タイプはビデオ：ＳＤ、サブピクチャ：ＳＤ（任意）、（ＳＤＷｉｄｅ／ＳＤＰａｎ−Ｓｃａｎ／ＳＤＬｅｔｔｅｒｂｏｘ）、出力タイプは（１）ＳＤ  １６：９Ｗｉｄｅ（ミックス）、（２）ＳＤ  ４：３Ｐａｎ−Ｓｃａｎ（Ｐａｎ−Ｓｃａｎ後ミックス）、（３）ＳＤ  ４：３Ｌｅｔｔｅｒｂｏｘ（Ｌｅｔｔｅｒｂｏｘ後ミックス）がある。
【０５５６】
ケース１のプレーヤ標準モデルを図１０１に示す。このモデルでは、ＨＤ用ビデオデータとＨＤ用グラフィックデータとがミックスされた後、ＨＤ用サブピクチャがミックスされる。ミックスデータはダウンコンバート後、ＳＤ  Ｗｉｄｅ、ＳＤ  Ｐａｎ−Ｓｃａｎ、ＳＤ  Ｌｅｔｔｅｒｂｏｘに分割される。
【０５５７】
ケース２のプレーヤ標準モデルを図１０２に示す。このモデルでは、ＨＤ用ビデオデータとＨＤ用グラフィックデータとがミックスされた後、ダウンコンバートされ、ＳＤ  Ｗｉｄｅ、ＳＤ  Ｐａｎ−Ｓｃａｎ、ＳＤ  Ｌｅｔｔｅｒｂｏｘに分割される。なお、ＳＤ  Ｗｉｄｅ、ＳＤ  Ｐａｎ−Ｓｃａｎ、ＳＤ  Ｌｅｔｔｅｒｂｏｘデータには任意でＳＤ  Ｗｉｄｅ用サブピクチャ、ＳＤ  Ｐａｎ−Ｓｃａｎ用サブピクチャ、ＳＤ  Ｌｅｔｔｅｒｂｏｘ用サブピクチャがミックスされる。
【０５５８】
ケース３のプレーヤ標準モデルを図１０３に示す。このモデルでは、ＳＤ用ビデオデータとＳＤ用グラフィックデータとがミックスされた後、ＳＤ  Ｐａｎ−Ｓｃａｎ、ＳＤ  Ｌｅｔｔｅｒｂｏｘに分割される。なお、ＳＤ  Ｐａｎ−Ｓｃａｎ、ＳＤ  Ｌｅｔｔｅｒｂｏｘデータには任意でＳＤ  Ｐａｎ−Ｓｃａｎ用サブピクチャ、ＳＤ  Ｌｅｔｔｅｒｂｏｘ用サブピクチャがミックスされる。ＳＤ用ビデオデータとＳＤ用グラフィックデータとがミックスされた後、さらにＳＤ  Ｗｉｄｅ用サブピクチャがミックスされ、ＳＤ  Ｗｉｄｅが生成される。
【０５５９】
ケース３’のプレーヤ標準モデルを図１０４に示す。このモデルでは、ＳＤ用ビデオデータとＳＤ用グラフィックデータとＳＤ用サブピクチャデータとがミックスされた後、ＳＤ  Ｗｉｄｅ、ＳＤ  Ｐａｎ−Ｓｃａｎ、ＳＤ  Ｌｅｔｔｅｒｂｏｘに分割される。
【０５６０】
ケース４のプレーヤ標準モデルを図１０５に示す。このモデルでは、グラフィックデータが無い場合で、ＳＤ用ビデオデータとＳＤ  Ｗｉｄｅ用サブピクチャデータとがミックスされ、ＳＤ  Ｗｉｄｅが生成される。ＳＤ用ビデオデータからＳＤ  Ｐａｎ−Ｓｃａｎ、ＳＤ  Ｌｅｔｔｅｒｂｏｘが分割される。なお、ＳＤ  Ｐａｎ−Ｓｃａｎ、ＳＤ  ＬｅｔｔｅｒｂｏｘデータにはＳＤ  Ｐａｎ−Ｓｃａｎ用サブピクチャ、ＳＤ  Ｌｅｔｔｅｒｂｏｘ用サブピクチャがミックスされる。
【０５６１】
次に、レジュームコマンド／セルコマンドについて説明する。
【０５６２】
プログラムチェーンコマンドテーブルＰＧＣ＿ＣＭＤＴは、プログラムチェーンコマンドテーブル情報ＰＧＣ＿ＣＭＤＴＩと、ＰＧＣのプレコマンドＰＲＥ＿ＣＭＤとポストコマンドＰＯＳＴ＿ＣＭＤ、セルコマンドＣ＿ＣＭＤ、リジュームコマンドＲＳＭ＿ＣＭＤを記述する。
【０５６３】
プレコマンドＰＲＥ＿ＣＭＤの数ｉ、ポストコマンドＰＯＳＴ＿ＣＭＤの数ｊ、セルコマンドＣ＿ＣＭＤの数ｋ、リジュームコマンドＲＳＭ＿ＣＭＤの数ｍは
ｉ＋ｊ＋ｋ＋ｍ＜１０２３
の関係がある。
【０５６４】
プログラムチェーンコマンドテーブル情報ＰＧＣ＿ＣＭＤＴＩは、ＰＲＥ＿ＣＭＤ＿Ｎｓ：プレコマンドＰＲＥ＿ＣＭＤ数、ＰＯＳＴ＿ＣＭＤ＿Ｎｓ：ポストコマンドＰＯＳＴ＿ＣＭＤ数、Ｃ＿ＣＭＤ＿Ｎｓ：セルコマンドＣ＿ＣＭＤ数、ＲＳＭ＿ＣＭＤ＿Ｎｓ：リジュームコマンドＲＳＭ＿ＣＭＤ数、ＰＧＣ＿ＣＭＤＴ＿ＥＡ：プログラムチェーンコマンドテーブルＰＧＣ＿ＣＭＤＴの終了アドレスを記述する。
【０５６５】
ＲＳＭ＿ＣＭＤ＿Ｎｓ：リジュームコマンドＲＳＭ＿ＣＭＤ数（図３６）は‘０’と‘１０２３’の間の数を使って記述する。
【０５６６】
注：ＲＳＭ許可フラグが‘０ｂ’のＴＴ＿ＰＧＣはこのコマンドエリアを有する。ＲＳＭ許可フラグが‘１ｂ’のＴＴ＿ＰＧＣ、ＥＰ＿ＰＧＣ、ＶＭＧＭ＿ＰＧＣ、あるいはＶＴＳＭ＿ＰＧＣはこのコマンドエリアを有さない。このフィールドは‘０’にセットされる。
【０５６７】
リジュームコマンドＲＳＭ＿ＣＭＤ（図３６）はＰＧＣがリジュームされる前に実施されるコマンドを記述する。ＲＳＭ＿ＣＭＤの最後の命令は中断（ブレーク）命令である。
【０５６８】
図１０７は図３８に示したセル再生情報（Ｃ＿ＰＢＩ）の変形例を示す。ここでは、Ｃ＿ＰＢＩは以下を含む。
【０５６９】
（１）Ｃ＿ＣＡＴ：セルカテゴリ
（２）Ｃ＿ＰＢＴＭ：セル再生時間
（３）Ｃ＿ＦＥＶＯＢＵ＿ＳＡ：セルの先頭ＥＶＯＢＵの先頭アドレス
（４）Ｃ＿ＦＩＬＶＵ＿ＥＡ：セルの先頭ＩＬＶＵの終了アドレス
（５）Ｃ＿ＬＥＶＯＢＵ＿ＳＡ：セルの最終ＥＶＯＢＵの先頭アドレス
（６）Ｃ＿ＬＥＶＯＢＵ＿ＥＡ：セルの最終ＩＬＶＵの終了アドレス
（７）Ｃ＿ＣＭＤ＿ＳＥＱ：セルコマンドのシーケンス
図１０８は図１０７に示すセルコマンドのシーケンスの情報を記述するセルコマンドのシーケンスＣ＿ＣＭＤ＿ＳＥＱの内容を示す。Ｃ＿ＣＭＤ＿ＳＥＱは以下を含む。
【０５７０】
セルコマンド数（ｂ１５−ｂ１２）
このセル内の先頭セルコマンド番号から順次実行されるセルコマンドの数を‘０’と‘８’の間の数で記述する。値が‘０’ということは、このセル内で実行されるセルコマンドが無いことを示す。
【０５７１】
スタートセルコマンド番号（ｂ１１−ｂ０）
このセル内で実行されるセルコマンドの先頭番号を‘０’と‘１０２３’の間の数で記述する。値が‘０’ということは、このセル内で実行されるセルコマンドが無いことを示す。
【０５７２】
注：Ｃ＿ＣＡＴ内のシームレス再生フラグが‘１ｂ’であり、以前のセルに１以上のセルコマンドが存在する時、以前のセルとこのセルの再生はシームレスになる。以前のセルのコマンドはこのセルの再生開始から０．５秒以内に実行される。コマンドが再生を分岐する命令を含んでいる場合、このセルの再生は終了し、命令に応じて新しい再生が開始する。
【０５７３】
図１０９は、ＨＤ−ＤＶＤビデオ規格に準拠した情報再生装置において、要求された映像出力形態に応じて、ＨＤの主映像情報に、ＨＤ及びＳＤの副映像情報を選択的に重畳するための構成を示している。この場合、入力情報として、ＨＤの主映像情報と、ＨＤのグラフィック情報と、ＨＤの副映像情報と、ＳＤでワイド（Ｗ）タイプの副映像情報と、ＳＤでレターボックス（ＬＢ）タイプの副映像情報と、ＳＤでパンスキャン（ＰＳ）タイプの副映像情報とがある。
【０５７４】
これらの各情報は、分離部２０１に供給されて分離される。分離部２０１で分離されたＨＤの主映像情報は、混合部２０２を構成する主映像デコーダ部２０２ａによりデコード処理される。また、分離部２０１で分離されたＨＤのグラフィック情報は、混合部２０２を構成するグラフィックデコーダ部２０２ｂによりデコード処理される。そして、主映像デコーダ部２０２ａによりデコード処理された主映像情報と、グラフィックデコーダ部２０２ｂによりデコード処理されたグラフィック情報とが、加算器２０２ｃで加算されて、ＨＤの主映像情報となる。
【０５７５】
このようにして、混合部２０２から出力されたＨＤの主映像情報は、加算器２０３によりＨＤの副映像情報と加算されてＨＤの映像情報となり出力される。また、混合部２０２から出力されたＨＤの主映像情報は、ＨＤ／ＳＤ変換部２０４を構成するダウンコンバータ部２０４ａ及びカラーマトリクスコンバータ部２０４ｂを通過することにより、ＳＤの主映像情報に変換され、加算器２０５によりＳＤでワイド（Ｗ）タイプの副映像情報と加算されてＳＤでワイド（Ｗ）タイプの映像情報となり出力される。
【０５７６】
また、ＨＤ／ＳＤ変換部２０４から出力されたＳＤの主映像情報は、レターボックスコンバータ部２０６によりレターボックスタイプに変換され、加算器２０７によりＳＤでレターボックス（ＬＢ）タイプの副映像情報と加算されてＳＤでレターボックス（ＬＢ）タイプの映像情報となり出力される。
【０５７７】
さらに、ＨＤ／ＳＤ変換部２０４から出力されたＳＤの主映像情報は、パンスキャンコンバータ部２０８によりパンスキャンタイプに変換され、加算器２０９によりＳＤでパンスキャン（ＰＳ）タイプの副映像情報と加算されてＳＤでパンスキャン（ＰＳ）タイプの映像情報となり出力される。
【０５７８】
一方、分離部２０１で分離されたＨＤ及びＳＤで各タイプの副映像情報は、副映像デコーダ部２１０によりデコード処理される。この副映像デコーダ部２１０によりデコード処理されたＨＤ及びＳＤで各タイプの副映像情報は、前記ＭＰＵ部１２１（図４８参照）から出力される副映像信号出力切替情報に基づいて制御される切替スイッチ２１１により、選択的にカラーマトリクスアダプタ部２１２に供給される。
【０５７９】
このカラーマトリクスアダプタ部２１２は、ＨＤの副映像情報が供給されたとき、前記ＲＯＭ部１２３（図４８参照）に記憶されているＨＤ副映像カラー係数が供給され、ＳＤの副映像情報が供給されたとき、ＲＯＭ部１２３に記憶されているＳＤ副映像カラー係数が供給される。この場合、前記ＭＰＵ部１２１から出力されるＨＤ／ＳＤ副映像デコーダ切替情報に基づいて制御される切替スイッチ１２３ａにより、ＲＯＭ部１２３に記録されたＨＤ副映像カラー係数及びＳＤ副映像カラー係数が、カラーマトリクスアダプタ部２１２に選択的に供給されるようになっている。
【０５８０】
そして、カラーマトリクスアダプタ部２１２から出力されるＨＤの副映像情報が、加算器２０３により混合部２０２から出力されるＨＤの主映像情報と加算される。また、カラーマトリクスアダプタ部２１２から出力されるＳＤでワイド（Ｗ）タイプの副映像情報が、加算器２０５によりＨＤ／ＳＤ変換部２０４から出力されるＳＤの主映像情報と加算される。さらに、カラーマトリクスアダプタ部２１２から出力されるＳＤでレターボックス（ＬＢ）タイプの副映像情報が、加算器２０７によりレターボックスコンバータ部２０６から出力されるＳＤの主映像情報と加算される。また、カラーマトリクスアダプタ部２１２から出力されるＳＤでパンスキャン（ＰＳ）タイプの副映像情報が、加算器２０９によりパンスキャンコンバータ部２０８から出力されるＳＤの主映像情報と加算される。
【０５８１】
上記のような構成により、ＨＤの主映像情報に、ＨＤ及びＳＤの副映像情報を選択的に重畳して、種々の形態で出力することが可能となる。
【０５８２】
図１１０は、上記した主映像情報と副映像情報との重畳動作をまとめたフローチャートを示している。すなわち、デコードする副映像情報（副映像ストリーム）の属性情報を取得し（Ｓ６１）、副映像情報がＨＤ用かＳＤ用かを判定し、副映像ストリームをデコード処理するデコーダ部またはデコード方法を切り替える（Ｓ６２）。
【０５８３】
その後、副映像情報がＨＤ用かＳＤ用か、また、ＳＤ用の場合には、ワイド（Ｗ）、レターボックス（ＬＢ）、パンスキャン（ＰＳ）を判定し、対応する変換処理が施された主映像情報に混合するように切替スイッチ２１１を切り替え（Ｓ６３）、副映像情報を混合した主映像信号を出力する（Ｓ６４）。
【０５８４】
図１１１は、副映像情報がＨＤかＳＤかに応じて、ＲＯＭ部１２３からＨＤ副映像カラー係数及びＳＤ副映像カラー係数を選択的に読み出してカラーマトリクスアダプタ部２１２に設定する動作をまとめたフローチャートを示している。すなわち、デコードする副映像ストリームの属性情報であるサブピクチャストリーム属性（ＨＤＶＴＳ＿ＳＰＳＴ＿ＡＴＲ）（図９６参照）を取得し（Ｓ７１）、その属性情報がＨＤ用かＳＤ用かを判定する（Ｓ７２）。
【０５８５】
そして、判定結果がＨＤ用であれば（Ｓ７３のＹＥＳ）、ＨＤ用の副映像カラーパレット（ＰＧＣ＿ＨＤＳＰ＿ＰＬＴ）（図９８参照）を選択し（Ｓ７４）、判定結果がＳＤ用であれば（Ｓ７３のＮＯ）、ＳＤ用の副映像カラーパレット（ＰＧＣ＿ＳＤＳＰ＿ＰＬＴ）（図９８参照）を選択する（Ｓ７５）。その後、選択したカラーパレットをカラーマトリクスカラーマトリクスアダプタ部２１２に設定する（Ｓ７６）。
【０５８６】
また、図１１２は、図１０９に示した情報再生装置の変形例を示している。図１１２において、図１０９と同一部分には同一符号を付して説明すると、分離部２０１で分離されたＨＤの副映像情報は、前記ＭＰＵ部１２１（図４８参照）から出力されるＨＤ／ＳＤ副映像デコーダ切替情報に基づいて制御される切替スイッチ２１３により、ＨＤ副映像デコーダ部２１４に供給されてデコード処理される。このＨＤ副映像デコーダ部２１４によりデコード処理されたＨＤの副映像情報は、カラーマトリクスアダプタ部２１２に供給される。
【０５８７】
また、分離部２０１で分離されたＳＤで各タイプの副映像情報は、ＭＰＵ部１２１から出力されるＨＤ／ＳＤ副映像デコーダ切替情報に基づいて制御される切替スイッチ２１３により、ＳＤ副映像デコーダ部２１５に供給されてデコード処理される。このＳＤ副映像デコーダ部２１５によりデコード処理されたＳＤで各タイプの副映像情報は、ＭＰＵ部１２１から出力されるＳＤ副映像信号出力切替情報に基づいて制御される切替スイッチ２１６により、選択的にカラーマトリクスアダプタ部２１２に供給される。
【０５８８】
このように、ＨＤの副映像情報をＨＤ副映像デコーダ部２１４によりデコード処理し、ＳＤの各タイプの副映像情報をＳＤ副映像デコーダ部２１５によりデコード処理するようにしても良い。
【０５８９】
さらに、図１１３は、図１０９に示した情報再生装置の他の変形例を示している。図１１３において、図１０９と同一部分には同一符号を付して説明すると、入力情報として、ＨＤの主映像情報とＨＤのグラフィック情報とＨＤの副映像情報とを対象としている。この場合、副映像デコーダ部２１０は、ＨＤの副映像情報のみをデコードし、そのデコードされたＨＤの副映像情報が、切替スイッチ２１１及びＨＤ副映像カラー係数が供給されるカラーマトリクスアダプタ部２１２を介して、加算器２０３により混合部２０２から出力されたＨＤの主映像情報と加算される。
【０５９０】
そして、加算器２０３から出力されるＨＤの映像情報が、ＨＤ／ＳＤ変換部２０４に供給されてＳＤに変換され、ワイド（Ｗ）タイプの出力、レターボックス（ＬＢ）タイプの出力、パンスキャン（ＰＳ）タイプの出力に供されることになる。
【０５９１】
なお、この発明は、上記した実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０５９２】
【図１】この発明実施形態におけるディスク形状の情報記憶媒体１に記録される情報内容を示す図。
【図２】ＤＶＤビデオコンテンツのファイルシステムを示す図。
【図３】図１の（ｅ）に示すＨＤビデオマネージャ情報領域（ＨＤＶＭＧＩ）３１内のデータ構造を示す図。
【図４】図３のＨＤビデオマネージャ情報・管理テーブル（ＨＤＶＭＧＩ＿ＭＡＴ）３１０内のデータ構造を示す図。
【図５】図３に示したタイトルサーチポインタテーブル（ＴＴ＿ＳＲＰＴ）３１１内のデータ構造を示す図。
【図６】３に示したＨＤビデオマネージャメニュー・ＰＧＣＩ・ユニットテーブル（ＨＤＶＭＧＭ＿ＰＧＣＩ＿ＵＴ）３１２内のデータ構造を示す図。
【図７】図３に示したＨＤビデオマネージャメニューＰＧＣＩ（ＨＤＶＭＧＭ＿ＰＧＣＩ＿ＵＴ）３１２内に記録されるＨＤビデオマネージャメニュー・言語ユニット＃ｎ（ＨＤＶＭＧＭ＿ＬＵ  ＃ｎ）３１２ｃ（図６）内のデータ構造を示す図。
【図８】図７に示したＨＤビデオマネージャメニュー・言語ユニット＃ｎ（ＨＤＶＭＧＭ＿ＬＵ  ＃ｎ）３１２ｃ（図６）内に記録されるＨＤビデオマネージャメニュープログラムチェーンカテゴリ（ＨＤＶＭＧＭ＿ＰＧＣ＿ＣＡＴ）内のデータ構造を示す図。
【図９】図３に示したパレンタルマネジメント（管理）情報テーブル（ＰＴＬ＿ＭＡＩＴ）３１３内のデータ構造を示す図。
【図１０】図９に示したパレンタル管理情報（ＰＴＬ＿ＭＡＩ）３１３ｃ内のデータ構造を示す図。
【図１１】図３に示したＨＤビデオタイトルセット属性情報テーブル（ＨＤＶＴＳ＿ＡＴＲＴ）３１４内のデータ構造を示す図。
【図１２】図３に示したテキストデータマネージャ（ＴＸＴＤＴ＿ＭＧ）３１５内のデータ構造を示す図。
【図１３】図１２に示したテキストデータマネージャ（ＴＸＴＤＴ＿ＭＧ）３１５内のテキストデータ言語ユニット（ＴＸＴＤＴ＿ＬＵ）３１５ｃ内のデータ構造を示す図。
【図１４】図１３に示したテキストデータ言語ユニット（ＴＸＴＤＴ＿ＬＵ）３１５ｃ内のテキストデータ（ＴＸＴＤＴ）３１５ｃ４内のデータ構造を示す図。
【図１５】図３に示したＨＤビデオマネージャメニューセルアドレステーブル（ＨＤＶＭＧＭ＿Ｃ＿ＡＤＴ）３１６内のデータ構造を示す図。
【図１６】図３に示したＨＤビデオマネージャメニュービデオオブジェクトユニットアドレスマップ（ＨＤＶＭＧＭ＿ＶＯＢＵ＿ＡＤＭＡＰ）３１７内のデータ構造を示す図。
【図１７】ＨＤビデオコンテンツのメニュー用ＡＯＢ（ＨＤＭＥＮＵ＿ＡＯＢ）自体に対する管理情報内容を示す図。
【図１８】図２のＨＤ＿ＶＭＧ０１．ＨＤＶファイル内にまとめて格納された図１の（ｅ）に示すメニュー用ビデオオブジェクト領域（ＨＤＶＭＧＭ＿ＶＯＢＳ）３２内のデータ構造を示す図。
【図１９】メニュー用のオーディオオブジェクト領域（ＨＤＭＥＮＵ＿ＡＯＢＳ）内のデータ構造を示す図。
【図２０】図１の（ｆ）に示したＨＤビデオタイトルセット情報領域（ＨＤＶＴＳＩ）４１内のデータ構造を示す図。
【図２１】ＨＤビデオタイトルセット情報管理テーブル（ＨＤＶＴＳＩ＿ＭＡＴ）４１０内のデータ構造を示す図。
【図２２】図２０に示したＨＤビデオタイトルセットＰＴＴサーチポインタテーブル（ＨＤＶＴＳ＿ＰＰＴ＿ＳＲＰＴ）４１１の内のデータ構造を示す図。
【図２３】図２０に示したＨＤビデオタイトルセット・プログラムチェーン情報テーブル（ＨＤＶＴＳ＿ＰＧＣＩＴ）４１２内のデータ構造を示す図。
【図２４】図２３に示したＨＤＶＴＳ＿ＰＧＣＩサーチポインタ（ＨＤＶＴＳ＿ＰＧＣＩ＿ＳＰＲ）内に記録されるＨＤビデオタイトルセットプログラムチェーンカテゴリ（ＨＤＶＴＳ＿ＰＧＣ＿ＣＡＴ）内のデータ構造を示す図。
【図２５】図２０に示したＨＤビデオタイトルセットメニュー・ＰＧＣＩ・ユニットテーブル（ＨＤＶＴＳＭ＿ＰＧＣＩ＿ＵＴ）４１３内のデータ構造を示す図。
【図２６】図２５に示したＨＤビデオタイトルセットメニュー・言語ユニット（ＨＤＶＴＳＭ＿ＬＵ）４１３ｃ内のデータ構造を示す図。
【図２７】図２６に示したＨＤＶＴＳＭ＿ＰＧＣカテゴリ情報（ＨＤＶＴＳＭ＿ＰＧＣ＿ＣＡＴ）内のデータ構造を示す図。
【図２８】図２０に示したのＨＤビデオタイトルセット・タイムマップテーブル（ＨＤＶＴＳ＿ＴＭＡＰＴ）４１４内のデータ構造を示す図。
【図２９】図２０に示したＨＤビデオタイトルセットメニュー・セル・アドレステーブル（ＨＤＶＴＳＭ＿Ｃ＿ＡＤＴ）４１５内のデータ構造を示す図。
【図３０】図２０に示したＨＤビデオタイトルセットメニュー・ビデオオブジェクトユニット・アドレスマップ（ＨＤＶＴＳＭ＿ＶＯＢＵ＿ＡＤＭＡＰ）４１６内のデータ構造を示す図。
【図３１】図２０に示したＨＤビデオタイトルセット・セル・アドレステーブル（ＨＤＶＴＳ＿Ｃ＿ＡＤＴ）４１７内のデータ構造を示す図。
【図３２】図２０に示したＨＤビデオタイトルセット・セル・アドレステーブル（ＨＤＶＴＳ＿Ｃ＿ＡＤＴ）４１７内のデータ構造を示す図。
【図３３】プログラムチェーン情報ＰＧＣＩ内のデータ構造を示す図。
【図３４】プログラムチェーン情報ＰＧＣＩ内のプログラムチェーン・一般情報ＰＧＣＩ＿ＧＩ内のデータ構造を示す図。
【図３５】図３４に示したプログラムチェーン情報ＰＧＣＩ内のプログラムチェーン・コマンドテーブルＰＧＣＩ＿ＣＭＤＴ内のデータ構造を示す図。
【図３６】図３５に示したプログラムチェーン・コマンドテーブルＰＧＣＩ＿ＣＭＤＴ内のプログラムチェーン・コマンドテーブル情報ＰＧＣ＿ＣＭＤＴＩとリジュームコマンドＲＳＭ＿ＣＭＤ内のデータ構造を示す図。
【図３７】プログラムチェーン情報ＰＧＣＩ内に配置されたプログラムチェーン・プログラムマップ（ＰＧＣ＿ＰＧＭＡＰ）とセル・位置情報テーブル（Ｃ＿ＰＯＳＩＴ）５４内のデータ構造を示す図。
【図３８】プログラムチェーン情報ＰＧＣＩ内に配置されたセル・再生情報テーブルＣ＿ＰＢＩＴ内のデータ構造を示す図。
【図３９】グラフィックユニットＧＵがＭＰＥＧプログラムストリームとして格納される構造を示す図。
【図４０】グラフィックユニットＧＵの各ストリームに割当てられるストリームＩＤ及びサブストリームＩＤを示す図。
【図４１】マスクデータを有するグラフィックユニットＧＵのデータ構造の一例を示す図。
【図４２】図４１のマスクデータを有するグラフィックユニットのデータ構造の他の一例を示す図。
【図４３】ヘッダ情報ｂ１及び一般情報ｂ２１の内容を示す図。
【図４４】グラフィックユニットに格納されるデータイメージを示す図。
【図４５】マスクパターンを含むビデオ合成の一例を示す図。
【図４６】カラーパレット情報ｂ２２に格納されるカラー・コントラスト情報テーブルの一例を示す図。
【図４７】グラフィックユニットＧＵに格納される１ビット／画素のマスクデータｂ３のビット定義を示す図。
【図４８】ディスク形状の情報記憶媒体１からそこに格納されている情報を読み出して再生する情報再生装置（プレーヤ）を示す図。
【図４９】図４８の分離部１０３以降のビデオ系でコーダブロックのモデル例Ａを示す図。
【図５０】図４８の分離部１０３以降のビデオ系でコーダブロックのモデル例Ｂを示す図。
【図５１】図４８の分離部１０３以降のビデオ系でコーダブロックのモデル例Ｃを示す図。
【図５２】図４１及び図４２で示したグラフィックユニットＧＵのデータ構造において、ボタン位置情報を有する別の一例を示す図。
【図５３】図５２で示したボタン位置情報を有するグラフィックユニットを含むビデオ合成の一例を示す図。
【図５４】図４５で示したビデオ合成に、さらに副映像データを含むビデオ合成の一例を示す図。
【図５５】グラフィックデコーダを含むビデオデコーダ関連のビデオ合成のフローチャートを示す図。
【図５６】図１９に示したメニュー用オーディオオブジェクト領域（ＨＤＭＥＮＵ＿ＡＯＢＳ）３３内のデータ構造に関する他の例を示す図。
【図５７】図５６に示したメニュー用オーディオオブジェクト領域（ＨＤＭＥＮＵ＿ＡＯＢ）ヘッダ情報の内容を示す図。
【図５８】ＨＤビデオマネージャメニュープログラムチェーンカテゴリ（ＨＤＶＭＧＭ＿ＰＧＣ＿ＣＡＴ）内のデータ構造の他の例を示す図。
【図５９】ＨＤビデオタイトルセットプログラムチェーンカテゴリ（ＨＤＶＴＳ＿ＰＧＣ＿ＣＡＴ）内のデータ構造の他の例を示す図。
【図６０】ＨＤＶＴＳＭ＿ＰＧＣカテゴリ情報（ＨＤＶＴＳＭ＿ＰＧＣ＿ＣＡＴ）内のデータ構造の他の例を示す図。
【図６１】メニュー用オーディオオブジェクトＨＤＭＥＮＵ＿ＡＯＢの再生処理を示すフローチャート。
【図６２】システムパラメータＳＰＲＭの内容を示す図。
【図６３】コマンド情報内のデータ構造内に記載されたＳｅｔＳｙｓｔｅｍインストラクショングループに属するＳｅｔＧＰＲＭＭＤのインストラクションオペランドのデータ構造の例を示す図。
【図６４】特定な使用条件下での各オペランド数値を設定したコマンド情報の具体例を示す図。
【図６５】全てのエレメンタリオーディオオブジェクトＥＶＯＢｓが連続したブロックに記録される場合のビデオマネージャＶＭＧとビデオタイトルセットＶＴＳの構造を示す図。
【図６６】図２に示したＤＶＤビデオコンテンツのファイルシステム（ディレクトリ構造）の変形例を示す図。
【図６７】エレメンタリオーディオオブジェクトＥＡＯＢ番号によりオーディオデータの繰り返し再生の範囲を指定する動作を説明する図。
【図６８】エレメンタリーオーディオオブジェクトセットＥＡＯＢＳの構造例を示す図。
【図６９】ＰＧＣＩサーチポインタ内の先頭ＥＡＯＢＮ、終了ＥＡＯＢＮを用いて１つまたは複数のＰＧＣｓからなるＰＧＣグループ内で２個以上の連続するＥＡＯＢｓを再生する動作を説明する図。
【図７０】エレメンタリーオーディオオブジェクトセットＥＡＯＢＳの内容を示す図。
【図７１】ＥＡＢＯＳヘッダ情報の内容を示す図。
【図７２】ＶＭＧＩ内のＶＧＭＶ＿ＰＧＣＩ＿ＵＴ内のＶＭＧＭ＿ＰＧＣＩ＿ＳＲＰ内のＶＭＧＭ＿ＰＧＣ＿ＣＡＴの内容を示す図。
【図７３】ＶＴＳＩ内のＶＴＳ＿ＰＧＣＩＴ内のＶＴＳ＿ＰＧＣＩ＿ＳＲＰ内のＶＴＳ＿ＰＧＣ＿ＣＡＴの内容を示す図。
【図７４】ＶＴＳ内のＶＴＳＭ＿ＬＵ内のＶＴＳＭ＿ＰＧＣＩ＿ＳＲＰ内のＶＴＳＭ＿ＰＧＣ＿ＣＡＴの内容を示す図。
【図７５】オーディオの繰り返し再生範囲をスタートポイント、エンドポイントで指定する代わりに、スタートＥＡＯＢ、エンドＥＡＯＢで指定する場合のメニュー用オーディオオブジェクトＨＤＭＥＮＵ＿ＡＯＢの再生フローチャート。
【図７６】非同期オーディオＥＡＯＢＳの再生を行なう標準プレーヤモデルを示す図。
【図７７】言語セレクションメニューを示す図。
【図７８】ビデオマネージャ情報ＶＭＧＩの構造を示す図。
【図７９】ＨＤビデオマネージャ情報管理テーブル（ＨＤＶＭＧＩ＿ＭＡＴ）３１０内の詳細なデータ構造の変形例を示す図。
【図８０】図７９のＦＰ＿ＰＧＣＭのサブピクチャストリーム属性（ＦＰ＿ＰＧＣＭ＿ＳＰＳＴ＿ＡＴＲ）の内容を示す図。
【図８１】図７９のＦＰ＿ＰＧＣカテゴリ（ＦＰ＿ＰＧＣ＿ＣＡＴ）の内容を示す図。
【図８２】ＶＭＧＩ内のＦＰ＿ＰＧＣメニューセルアドレステーブル（ＦＰ＿ＰＧＣＭ＿Ｃ＿ＡＤＴ）の構造を示す図。
【図８３】ＶＭＧＩ内のＦＰ＿ＰＧＣメニューエンハンスドビデオオブジェクトユニットアドレスマップＦＰ＿ＰＧＣＭ＿ＥＶＯＢＵ＿ＡＤＭＡＰの構造を示す図。
【図８４】再生制御情報ＰＣＩの内容を示す図。
【図８５】グラフィックユニットヘッダＧＲＵＨの変形例を示す図。
【図８６】ハイライトジェネラル情報ＨＬ＿ＧＩの内容を示す図。
【図８７】映画フレームをＮＴＳＣビデオフレームに変換するための３２プルダウン処理を示す図。
【図８８】ボタンパターンデータのランレングス圧縮ルールを示す図。
【図８９】副映像ユニットＳＰＵ内のデータ構造を示す図。
【図９０】副映像ユニットのサイズ情報ＳＰＵ＿ＳＺと副映像表示制御シーケンステーブル開始アドレス情報ＳＰ＿ＤＣＳＱＴ＿ＳＡの定義を示す図。
【図９１】ＳＤ用とＨＤ対応とにおける副映像ユニットヘッダ内のデータ構造を示す図。
【図９２】図９１に示したＨＤ用の副映像ユニットヘッダＳＰＵＨ内のデータ構造を別の観点から書き直した図。
【図９３】副映像表示制御シーケンステーブルＳＰ＿ＤＣＳＱＴ内に記録し得る副映像表示制御コマンドＳＰ＿ＤＣＣＭＤの内容を示す図。
【図９４】副映像ユニットヘッダＳＰＵＨ内の先行ヘッダの内容に応じて副映像ユニットの再生を行うフローチャート。
【図９５】図７９に示したＶＭＧＩ＿ＭＡＴ内のＶＭＧＭのサブピクチャストリーム属性（ＶＭＧＭ＿ＳＰＳＴ＿ＡＴＲ）の内容を示す図。
【図９６】図２１に示したＨＤビデオタイトルセット情報管理テーブル（ＨＤＶＴＳＩ＿ＭＡＴ）内のＨＤＶＴＳのサブピクチャストリーム属性（ＨＤＶＴＳ＿ＳＰＳＴ＿ＡＴＲ）の内容を示す図。
【図９７】図３４に示したＰＧＣサブピクチャストリーム制御テーブル（ＰＧＣ＿ＳＰＳＴ＿ＣＴＬＴ）の中の１つのＰＧＣサブピクチャストリーム制御情報（ＰＧＣ＿ＳＰＳＴ＿ＣＴＬ）の内容を示す図。
【図９８】図３３に示したＰＧＣ＿ＧＩの変形例を示す図。
【図９９】基本的なプレーヤ標準モデルを示す図。
【図１００】プレーヤ標準モデルの種類を示す図。
【図１０１】ケース１のプレーヤ標準モデルを示す図。
【図１０２】ケース２のプレーヤ標準モデルを示す図。
【図１０３】ケース３のプレーヤ標準モデルを示す図。
【図１０４】ケース３’のプレーヤ標準モデルを示す図。
【図１０５】ケース４のプレーヤ標準モデルを示す図。
【図１０６】リジューム処理の一例を示す図。
【図１０７】図３８に示したセル再生情報（Ｃ＿ＰＢＩ）の変形例を示す図。
【図１０８】図１０７に示すセルコマンドのシーケンスの情報を記述するセルコマンドのシーケンスＣ＿ＣＭＤ＿ＳＥＱの内容を示す図。
【図１０９】ＨＤ−ＤＶＤビデオ規格に準拠した情報再生装置におけるＨＤの主映像情報にＨＤ及びＳＤの副映像情報を選択的に重畳するための構成を説明するために示すブロック構成図。
【図１１０】図１０９に示した情報再生装置の主要な動作を説明するために示すフローチャート。
【図１１１】図１０９に示した情報再生装置のカラーパレットの選択動作を説明するために示すフローチャート。
【図１１２】図１０９に示した情報再生装置の変形例を説明するために示すブロック構成図。
【図１１３】図１０９に示した情報再生装置の他の変形例を説明するために示すブロック構成図。
【符号の説明】
【０５９３】
１…ディスク形状の情報記憶媒体、１０…リードイン領域、１１…ボリューム／ファイル構造情報領域、１２…データ領域、１３…リードアウト領域、２０…ビデオデータ記録領域、２１…他のビデオデータ記録領域、２２…一般コンピュータ情報記録領域、３０…ＨＤビデオマネージャ記録領域、３１…ＨＤビデオマネージャ情報領域、３５…ファーストプレイＰＧＣ用言語選択メニュー、３２…メニュー用ビデオオブジェクト領域、３３…メニュー用オーディオオブジェクト領域、３４…ＨＤビデオマネージャ情報バックアップ領域、４０…ＨＤビデオタイトルセット記録領域、４１…ＨＤビデオタイトルセット情報領域、４２…メニュー用ビデオオブジェクト領域、４３…タイトル用ビデオオブジェクト領域、４４…ＨＤビデオタイトルセット情報バックアップ領域、２０１…分離部、２０２…混合部、２０３…加算器、２０４…ＨＤ／ＳＤ変換部、２０５…加算器、２０６…レターボックスコンバータ部、２０７…加算器、２０８…パンスキャンコンバータ部、２０９…加算器、２１０…副映像デコーダ部、２１１…切替スイッチ、２１２…カラーマトリクスアダプタ部、２１３…切替スイッチ、２１４…ＨＤ副映像デコーダ部、２１５…ＳＤ副映像デコーダ部、２１６…切替スイッチ。
【図１】
2006041937.tif 000003
【図２】
2006041937.tif 000004
【図３】
2006041937.tif 000005
【図４】
2006041937.tif 000006
【図５】
2006041937.tif 000007
【図６】
2006041937.tif 000008
【図７】
2006041937.tif 000009
【図８】
2006041937.tif 000010
【図９】
2006041937.tif 000011
【図１０】
2006041937.tif 000012
【図１１】
2006041937.tif 000013
【図１２】
2006041937.tif 000014
【図１３】
2006041937.tif 000015
【図１４】
2006041937.tif 000016
【図１５】
2006041937.tif 000017
【図１６】
2006041937.tif 000018
【図１７】
2006041937.tif 000019
【図１８】
2006041937.tif 000020
【図１９】
2006041937.tif 000021
【図２０】
2006041937.tif 000022
【図２１】
2006041937.tif 000023
【図２２】
2006041937.tif 000024
【図２３】
2006041937.tif 000025
【図２４】
2006041937.tif 000026
【図２５】
2006041937.tif 000027
【図２６】
2006041937.tif 000028
【図２７】
2006041937.tif 000029
【図２８】
2006041937.tif 000030
【図２９】
2006041937.tif 000031
【図３０】
2006041937.tif 000032
【図３１】
2006041937.tif 000033
【図３２】
2006041937.tif 000034
【図３３】
2006041937.tif 000035
【図３４】
2006041937.tif 000036
【図３５】
2006041937.tif 000037
【図３６】
2006041937.tif 000038
【図３７】
2006041937.tif 000039
【図３８】
2006041937.tif 000040
【図３９】
2006041937.tif 000041
【図４０】
2006041937.tif 000042
【図４１】
2006041937.tif 000043
【図４２】
2006041937.tif 000044
【図４３】
2006041937.tif 000045
【図４４】
2006041937.tif 000046
【図４５】
2006041937.tif 000047
【図４６】
2006041937.tif 000048
【図４７】
2006041937.tif 000049
【図４８】
2006041937.tif 000050
【図４９】
2006041937.tif 000051
【図５０】
2006041937.tif 000052
【図５１】
2006041937.tif 000053
【図５２】
2006041937.tif 000054
【図５３】
2006041937.tif 000055
【図５４】
2006041937.tif 000056
【図５５】
2006041937.tif 000057
【図５６】
2006041937.tif 000058
【図５７】
2006041937.tif 000059
【図５８】
2006041937.tif 000060
【図５９】
2006041937.tif 000061
【図６０】
2006041937.tif 000062
【図６１】
2006041937.tif 000063
【図６２】
2006041937.tif 000064
【図６３】
2006041937.tif 000065
【図６４】
2006041937.tif 000066
【図６５】
2006041937.tif 000067
【図６６】
2006041937.tif 000068
【図６７】
2006041937.tif 000069
【図６８】
2006041937.tif 000070
【図６９】
2006041937.tif 000071
【図７０】
2006041937.tif 000072
【図７１】
2006041937.tif 000073
【図７２】
2006041937.tif 000074
【図７３】
2006041937.tif 000075
【図７４】
2006041937.tif 000076
【図７５】
2006041937.tif 000077
【図７６】
2006041937.tif 000078
【図７７】
2006041937.tif 000079
【図７８】
2006041937.tif 000080
【図７９】
2006041937.tif 000081
【図８０】
2006041937.tif 000082
【図８１】
2006041937.tif 000083
【図８２】
2006041937.tif 000084
【図８３】
2006041937.tif 000085
【図８４】
2006041937.tif 000086
【図８５】
2006041937.tif 000087
【図８６】
2006041937.tif 000088
【図８７】
2006041937.tif 000089
【図８８】
2006041937.tif 000090
【図８９】
2006041937.tif 000091
【図９０】
2006041937.tif 000092
【図９１】
2006041937.tif 000093
【図９２】
2006041937.tif 000094
【図９３】
2006041937.tif 000095
【図９４】
2006041937.tif 000096
【図９５】
2006041937.tif 000097
【図９６】
2006041937.tif 000098
【図９７】
2006041937.tif 000099
【図９８】
2006041937.tif 000100
【図９９】
2006041937.tif 000101
【図１００】
2006041937.tif 000102
【図１０１】
2006041937.tif 000103
【図１０２】
2006041937.tif 000104
【図１０３】
2006041937.tif 000105
【図１０４】
2006041937.tif 000106
【図１０５】
2006041937.tif 000107
【図１０６】
2006041937.tif 000108
【図１０７】
2006041937.tif 000109
【図１０８】
2006041937.tif 000110
【図１０９】
2006041937.tif 000111
【図１１０】
2006041937.tif 000112
【図１１１】
2006041937.tif 000113
【図１１２】
2006041937.tif 000114
【図１１３】
2006041937.tif 000115